(57)【要約】  既に発売されている、あるいはフォーマットが既知の情報記録媒体との下位互換性を確保し、新フォーマットの多層情報記録媒体を既に広まっている情報記録再生装置を使って記録再生する。  多層情報記録媒体は、積層された複数の情報面Ｌ０〜Ｌ３を有し、複数の情報面は、光が入射したときに、光を所定の第１の戻り光量で反射させるＢＣＡ及び初期記録領域（第１の反射面）を有する第１及び第２の情報面Ｌ０，Ｌ１と、光を第１の戻り光量よりも小さい第２の戻り光量で反射させる低反射率領域（第２の反射面）を有する第３及び第４の情報面Ｌ２，Ｌ３とを含む。
2007099835.tif 000002
【特許請求の範囲】
【請求項１】
積層された複数の情報面を有し、光によって情報を記録又は再生する多層情報記録媒体であって、
前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含むことを特徴とする多層情報記録媒体。
【請求項２】
前記第１の反射面には、ディスク管理情報が記録されていることを特徴とする請求項１に記載の多層情報記録媒体。
【請求項３】
前記多層情報記録媒体は、光ディスク媒体を含み、
前記第２の反射面は、前記光ディスク媒体の内周部を含み、
前記内周部の反射率は、データを記録するデータ領域の反射率よりも低いことを特徴とする請求項１記載の多層情報記録媒体。
【請求項４】
前記多層情報記録媒体は、光ディスク媒体を含み、
前記第１の反射面及び前記第２の反射面は、前記光ディスク媒体の内周部と、データを記録するデータ領域とを含み、
前記第２の反射面の内周部及びデータ領域の反射率は、前記第１の反射面の内周部及びデータ領域の反射率よりも低いことを特徴とする請求項１記載の多層情報記録媒体。
【請求項５】
前記複数の情報面は、４つの情報面を含み、
前記４つの情報面のうちの２つの情報面は、前記第１の反射面に光が入射したときに、前記光を所定の第１の戻り光量で反射させ、
残りの２つの情報面は、前記第２の反射面に光が入射したときに、前記光を前記第１の戻り光量よりも小さい第２の戻り光量で反射させることを特徴とする請求項１記載の多層情報記録媒体。
【請求項６】
前記複数の情報面は、８つの情報面を含み、
前記８つの情報面のうちの４つの情報面は、前記第１の反射面に光が入射したときに、前記光を所定の第１の戻り光量で反射させ、
残りの４つの情報面は、前記第２の反射面に光が入射したときに、前記光を前記第１の戻り光量よりも小さい第２の戻り光量で反射させることを特徴とする請求項１記載の多層情報記録媒体。
【請求項７】
前記第１の反射面において、出射光量に対する前記第１の戻り光量の比を高戻り光量比Ｒｂとし、前記第２の反射面において、出射光量に対する前記第２の戻り光量の比を低戻り光量比Ｒｄとしたとき、前記低戻り光量比Ｒｄは、０≦Ｒｄ＜３．５％の範囲であり、前記高戻り光量比Ｒｂは、３．５％≦Ｒｂ≦８％の範囲であることを特徴とする請求項１〜６のいずれかに記載の多層情報記録媒体。
【請求項８】
前記低戻り光量比Ｒｄと前記高戻り光量比Ｒｂとの関係が２×Ｒｄ＜Ｒｂであることを特徴とする請求項７記載の多層情報記録媒体。
【請求項９】
前記低戻り光量比Ｒｄは前記高戻り光量比Ｒｂに対して十分小さく、前記低戻り光量比Ｒｄは概略０であることを特徴とする請求項７記載の多層情報記録媒体。
【請求項１０】
前記多層情報記録媒体は光ディスク媒体を含み、
前記第１の反射面及び前記第２の反射面は、前記光ディスク媒体の回転中心から２４ｍｍ以内の範囲に設けられていることを特徴とする請求項１〜９のいずれかに記載の多層情報記録媒体。
【請求項１１】
前記第１の反射面は、多層情報記録媒体に固有の識別情報を反射層を焼ききることにより記録するＢＣＡ領域を含むことを特徴とする請求項１０に記載の多層情報記録媒体。
【請求項１２】
前記第２の反射面は、レーザ光によってあらかじめ初期記録がなされていることを特徴とする請求項１〜１１のいずれかに記載の多層情報記録媒体。
【請求項１３】
前記第２の反射面は、反射層を焼ききることで形成されていることを特徴とする請求項１〜１１のいずれかに記載の多層情報記録媒体。
【請求項１４】
前記第２の反射面は、反射層が形成されていないことを特徴とする請求項１〜１１のいずれかに記載の多層情報記録媒体。
【請求項１５】
前記複数の情報面の間隔は６μｍ〜３０μｍであることを特徴とする請求項１〜１４のいずれかに記載の多層情報記録媒体。
【請求項１６】
前記第１の反射面のうちの少なくとも２箇所以上にディスク管理情報が記録されていることを特徴とする請求項１〜１５のいずれかに記載の多層情報記録媒体。
【請求項１７】
前記ディスク管理情報が記録されている領域は、上下の情報面で重ならないように配置されていることを特徴とする請求項１６記載の多層情報記録媒体。
【請求項１８】
情報面単位でユーザデータ領域へのデータ記録を禁止する書き込み禁止フラグが記録され、前記書き込み禁止フラグにより禁止された情報面へのデータ記録が禁止されることを特徴とする請求項１〜１７のいずれかに記載の多層情報記録媒体。
【請求項１９】
前記複数の情報面は、第１から第ｎの情報面を含み、
ＭＯＤ（ｎ／４）＝１，２（但し、ＭＯＤは数値ｎを除数４で割ったときの剰余）となる情報面は、光ディスク媒体の内周側から外周側に向かって記録又は再生が行われ、
ＭＯＤ（ｎ／４）＝３，０となる情報面は、光ディスク媒体の外周側から内周側に向かって記録又は再生が行われることを特徴とする請求項１〜１８のいずれかに記載の多層情報記録媒体。
【請求項２０】
ＭＯＤ（ｎ／４）＝１，２となる情報面は、光ディスク媒体の内周側から外周側に向かってアドレスが記録されており、
ＭＯＤ（ｎ／４）＝３，０となる情報面は、光ディスク媒体の外周側から内周側に向かってアドレスが記録されていることを特徴とする請求項１９記載の多層情報記録媒体。
【請求項２１】
前記複数の情報面は、第１から第ｎ（ｎは偶数）の情報面を含み、
第１から第ｎ／２の情報面は、光ディスク媒体の内周側から外周側に向かって記録又は再生が行われ、
第（ｎ／２）＋１から第ｎの情報面は、光ディスク媒体の外周側から内周側に向かって記録又は再生が行われることを特徴とする請求項１〜１８のいずれかに記載の多層情報記録媒体。
【請求項２２】
第１から第ｎ／２の情報面は、光ディスク媒体の内周側から外周側に向かってアドレスが記録されており、
第（ｎ／２）＋１から第ｎの情報面は、光ディスク媒体の外周側から内周側に向かってアドレスが記録されていることを特徴とする請求項２１記載の多層情報記録媒体。
【請求項２３】
前記第１から第ｎの情報面は、第１から第ｎの情報面に向かってレーザ入射面に近づくよう形成されていることを特徴とする請求項１９〜２２のいずれかに記載の多層情報記録媒体。
【請求項２４】
積層された複数の情報面を有する多層記録媒体から情報を記録又は再生する情報記録再生装置であって、
前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含み、
前記多層情報記録媒体が有する信号トラックに対して、信号の記録または再生を行うためのレーザ光を照射するレーザ光照射部と、
前記レーザ光の球面収差を補正する球面収差補正部と、
前記レーザ光を照射する情報面に応じて、前記レーザ光の焦点位置を制御する制御部と、
前記多層情報記録媒体の前記第１の反射面にレーザ光を照射し、情報面の数を判別する媒体判別部とを備えることを特徴とする情報記録再生装置。
【請求項２５】
前記媒体判別部は、フォーカスエラー信号の波形情報から情報面の数を判別することを特徴とする請求項２４記載の情報記録再生装置。
【請求項２６】
情報面単位でユーザデータ領域へのデータ記録を禁止する書き込み禁止フラグを設定するフラグ設定部と、
前記フラグ設定部によって前記書き込み禁止フラグが設定された情報面へのデータ記録を行わない記録部とをさらに備えることを特徴とする請求項２４又は２５記載の情報記録再生装置。
【請求項２７】
積層された複数の情報面を有する多層情報記録媒体の製造方法であって、
片面に情報面が形成された基板上に、反射層を形成する第１の工程と、
前記反射層の上に、情報面を有する透光性の中間層を形成する第２の工程と、
前記中間層の前記情報面側に反射層を形成する第３の工程と、
前記第２の工程と前記第３の工程とを複数回繰り返して複数の情報面を形成した後、透光性の保護層を形成する第４の工程と、
光が入射したときに、前記光を所定の第１の戻り光量で反射させる第１の反射面を少なくとも１つの情報面に形成するとともに、前記光を前記第１の戻り光量よりも小さい第２の戻り光量で反射させる第２の反射面を他の情報面に形成する第５の工程とを含むことを特徴とする多層情報記録媒体の製造方法。
【請求項２８】
前記第５の工程は、前記他の情報面に対して、レーザ光によってあらかじめ初期記録することにより第２の反射面を形成することを特徴とする請求項２７記載の多層情報記録媒体の製造方法。
【請求項２９】
前記第５の工程は、前記他の情報面に対して、レーザ光によってあらかじめ反射層を焼ききることにより第２の反射面を形成することを特徴とする請求項２７記載の多層情報記録媒体の製造方法。
【請求項３０】
前記第１及び第３の工程は、反射層を形成する際に、前記他の情報面に対してマスク処理を行うことにより第２の反射面を形成することを特徴とする請求項２７記載の多層情報記録媒体の製造方法。
【請求項３１】
前記複数の情報面は、第１から第ｎの情報面を含み、
ＭＯＤ（ｎ／４）＝１，２（但し、ＭＯＤは数値ｎを除数４で割ったときの剰余）となる情報面と、ＭＯＤ（ｎ／４）＝３，０となる情報面とは、スパイラルの方向がそれぞれ反対となるように形成されることを特徴とする請求項２７〜３０のいずれかに記載の多層情報記録媒体の製造方法。
【請求項３２】
ＭＯＤ（ｎ／４）＝１，２となる情報面は、光ディスク媒体の内周側から外周側に向かってアドレスが順番に形成され、ＭＯＤ（ｎ／４）＝３，０となる情報面は、光ディスク媒体の外周側から内周側に向かってアドレスが順番に形成されることを特徴とする請求項３１記載の多層情報記録媒体の製造方法。
【請求項３３】
前記複数の情報面は、前記第１から第ｎ（ｎは偶数）の情報面を含み、
第１から第ｎ／２の情報面と、第（ｎ／２）＋１から第ｎの情報面とは、スパイラルの方向がそれぞれ反対となるように形成されることを特徴とする請求項２７〜３０のいずれかに記載の多層情報記録媒体の製造方法。
【請求項３４】
第１から第ｎ／２の情報面は、光ディスク媒体の内周側から外周側に向かってアドレスが順番に形成され、第（ｎ／２）＋１から第ｎの情報面は、光ディスク媒体の外周側から内周側に向かってアドレスが順番に形成されることを特徴とする請求項３３記載の多層情報記録媒体の製造方法。
【請求項３５】
前記第１から第ｎの情報面は、第１から第ｎの情報面に向かってレーザ入射面に近づくよう形成されることを特徴とする請求項３１〜３４のいずれかに記載の多層情報記録媒体の製造方法。
【発明の詳細な説明】
【技術分野】
【０００１】
本発明は、積層された複数の情報面を有し、光によって情報を記録又は再生する多層情報記録媒体、その多層情報記録媒体の製造方法、及びデジタルビデオ情報などの情報を高密度で多層情報記録媒体に記録するとともに、多層情報記録媒体に記録された情報を再生する情報記録再生装置に関するものである。
【背景技術】
【０００２】
高密度・大容量の記憶媒体として、ピット状パターンを有する光ディスク媒体を用いる光メモリ技術は、ディジタル・バーサタイル・ディスク（ＤＶＤ）、ビデオディスク、文書ファイルディスク、さらにはデータファイルと用途を拡張しつつ、実用化されてきている。例えば、直径１μｍ以下の微小に絞られた光ビームを介して、光ディスク媒体に対して高い信頼性のもとに情報の記録・再生が首尾よく遂行されるために要求される機能は、回折限界の微小スポットを形成する集光機能、光学系の焦点制御機能（フォーカスサーボ）、トラッキング制御機能、及びピット信号（情報信号）検出機能に大別される。【０００３】
近年、光ディスク媒体の記録密度を一層高密度化するため、光ディスク媒体上に光ビームを収束させて回折限界の微小スポットを形成する対物レンズの開口数（ＮＡ）を拡大することが検討されている。しかし、光ディスク媒体の記録層を保護する基材厚みの誤差に起因する球面収差はＮＡの４乗に比例するため、例えばＮＡを０．８や０．８５等に大きくする場合には、球面収差が飛躍的に大きくなってしまう。従って、開口数を大きくする場合、光学系に球面収差を補正する手段を設けることが不可欠になる。【０００４】
このような球面収差を補正する方法としては、例えば特許文献１に示した方法がある。図１９は、特許文献１に示す従来の光ディスク装置の構成を示す図である。図１９で収差補正量切替手段６１４には、基準厚みを１００μｍとして、球面収差補正量が０ｍλである収差補正量（ａ）、基準厚みに対して基材厚が薄い光ディスク媒体の球面収差を補正するための収差補正量（ｂ）、及び基準厚みに対して基材厚が厚い光ディスク媒体の球面収差を補正するための収差補正量（ｃ）からなる３種類の球面収差補正量がフォーカス制御を行う光ディスク媒体の情報面ごとに予め設定されている。収差補正量切替手段６１４は、これらの収差補正量のうちから、ディスク判別手段６１２からのディスク判別信号６１３に応じて適切な球面収差補正量を選択し、切り替える。これにより、ＮＡの大きな対物レンズを用いて高密度の光ディスク媒体に対して記録又は再生する場合に、フォーカス制御を行う光ディスク媒体の情報面に適した球面収差補正が行われるので、安定してフォーカス制御を行うことができる。【０００５】
ところで、近年、光ディスク媒体の片面に２つの情報面を有した光ディスク媒体（２層光ディスク媒体）として、８．５ＧＢの容量をもつ２層ＤＶＤ−Ｒのような追記型光ディスク媒体や、青色レーザ光源を用いて記録再生を行う５０ＧＢの容量をもつ２層Ｂｌｕ−ｒａｙディスク媒体のような書き換え可能な光ディスク媒体等が商品化されている。このような２層光ディスク媒体は、単層光ディスク媒体に比べて２倍近く記憶容量を増大することができる。このような２層以上の情報面をもつ多層光ディスク媒体のディスクフォーマットに関して、例えば特許文献２に示したフォーマットがある。【０００６】
特許文献２に示されたフォーマットによると、情報面がレーザ入射側から１層である単層光ディスク媒体と、２層以上の複数層光ディスク媒体とにおいて、第１層となる情報面Ｌ０はディスク厚み方向において、レーザ光が入射されるカバー層表面からの距離を同一とする。また複数層光ディスク媒体においては、第２の情報面Ｌ１以降の情報面は、第１の情報面Ｌ０よりもカバー層表面に近づく位置に形成される。このため、単層光ディスク媒体と、２層、３層、或いは更に多数層の複数層光ディスク媒体のそれぞれにおいて、第１層としての記録層（例えば相変化記録膜の記録層）はポリカーボネート基板上に同様に形成することができ、製造工程の共通化が図られると共に、１層光ディスク媒体、複数層光ディスク媒体とも同様の記録再生特性を得ることができる。【０００７】
また、複数層光ディスク媒体においては、第２層以降の記録層は、第１層よりもカバー層表面に近づく位置に形成されているため、第２層以降の記録層は、それぞれ各記録層からカバー層表面までの距離が短くなる。つまり、各層からみてカバー層の厚さが薄くなる。これにより光ディスク媒体と光ビームのチルト（傾き）許容角度が拡大する。即ち、第２層以降の記録層のチルトマージンを、第１層の記録膜に比較して緩めることができるため、記録再生特性の向上、ディスク生産性の向上、及びコストダウンを促進できる。【０００８】
また、前述の２層光ディスク媒体にフォーカス制御する方法に関して、例えば特許文献３に示した方法がある。特許文献３によると多層光ディスク媒体のようにそれぞれの情報面からの全反射光量のレベルが低くなる場合であっても、情報面に対するフォーカス引き込みを確実にするための方法が開示されている。【０００９】
さらに、特許文献４には、ＢＤフォーマットに対応する記録面と、ＤＶＤフォーマットに対応する記録面とを有する光記録媒体が開示されている。特許文献４における光記録媒体は、異なるフォーマットに対応した光記録再生装置に対して装着可能な互換性を有している。【００１０】
上記の特許文献１に記載の従来の球面収差補正方法は、ディスク判別手段を用いて光ディスク媒体の種類を判別し、フォーカス制御の対象である記録面の厚みに対応した球面収差補正量を収差補正量切替手段で予め補正する方法である。しかしながら、記録面が２層までの光ディスク媒体を想定した光ディスク装置では、当初設定範囲外の光ディスク媒体、例えばレーザ入射面から片側４層の情報記録面を持った光ディスク媒体などが挿入された場合、エラー処理を実施して光ディスク媒体を排出するなどして、挿入された光ディスク媒体に対するアクセス制御を中止し、光ディスク媒体に対して記録または再生動作ができない。あるいは、動作したとしても、最適な条件で光ディスク媒体を起動することができないという課題があった。【００１１】
また、特許文献２に記載の従来の多層光ディスク媒体は、情報面がレーザ入射側からディスク厚み方向において、カバー層表面に近づく位置に形成されている。この場合、多層光ディスク媒体を設計、開発すると同時に、その多層光ディスク媒体を記録／再生することができる光ディスク装置が設計、開発されれば問題ない。しかしながら、多層光ディスク媒体の全ての種類のフォーマットがあらかじめ決まる前に発売されているレガシードライブにおいて、旧来のフォーマットの光ディスク媒体に記録あるいは再生する場合には制限がある。例えば、既に発売済の２層光ディスク媒体に対応の光ディスク装置において、４層光ディスク媒体のように情報面が片側２層を超えるような光ディスク媒体が挿入された場合、正しく４層光ディスク媒体と判別することは不可能である。【００１２】
また、複数の情報面のうち第１の情報面Ｌ０の厚みと第２の情報面Ｌ１の厚みとが、従来の発売済の２層光ディスク媒体と同一の厚みであったとしても、ディスク判別時に２層光ディスク媒体でないと判断された場合には、４層光ディスク媒体に記録あるいは再生を行うことができない。例えば、情報面が４層であるディスクのフォーマットが開示される前に発売された、情報面が２層であるディスクを光ディスク装置に挿入した場合、光ディスク装置の起動時に行われる起動手順によっては、４層光ディスク媒体を排出してしまい、新フォーマットの４層光ディスク媒体に対して記録あるいは再生することはできない。
【特許文献１】特開２００２−３７３４４１号公報
【特許文献２】特開２００３−３４６３７９号公報
【特許文献３】国際公開第０２／０６７２５０号パンフレット
【特許文献４】特開２００６−２３６５０９号公報
【発明の開示】
【００１３】
本発明は、上記の課題を解決するためになされたもので、既に発売されている、あるいはフォーマットが既知の情報記録媒体との下位互換性を確保することができ、新フォーマットの多層情報記録媒体を既に広まっている情報記録再生装置を使って記録再生することができる多層情報記録媒体、情報記録再生装置及び多層情報記録媒体の製造方法を提供することを目的とする。
【００１４】
本発明の一局面に係る多層情報記録媒体は、積層された複数の情報面を有し、光によって情報を記録又は再生する多層情報記録媒体であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含む。
【００１５】
本発明の他の局面に係る情報記録再生装置は、積層された複数の情報面を有する多層記録媒体から情報を記録又は再生する情報記録再生装置であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含み、前記多層情報記録媒体が有する信号トラックに対して、信号の記録または再生を行うためのレーザ光を照射するレーザ光照射部と、前記レーザ光の球面収差を補正する球面収差補正部と、前記レーザ光を照射する情報面に応じて、前記レーザ光の焦点位置を制御する制御部と、前記多層情報記録媒体の前記第１の反射面にレーザ光を照射し、情報面の数を判別する媒体判別部とを備える。
【００１６】
本発明の他の局面に係る多層情報記録媒体の製造方法は、積層された複数の情報面を有する多層情報記録媒体の製造方法であって、片面に情報面が形成された基板上に、反射層を形成する第１の工程と、前記反射層の上に、情報面を有する透光性の中間層を形成する第２の工程と、前記中間層の前記情報面側に反射層を形成する第３の工程と、前記第２の工程と前記第３の工程とを複数回繰り返して複数の情報面を形成した後、透光性の保護層を形成する第４の工程と、光が入射したときに、前記光を所定の第１の戻り光量で反射させる第１の反射層を少なくとも１つの情報面に形成するとともに、前記光を前記第１の戻り光量よりも小さい第２の戻り光量で反射させる第２の反射面を他の情報面に形成する第５の工程とを含む。
【００１７】
本発明によれば、既に発売されている情報記録媒体の情報面と一致する少なくとも１つの情報面へのフォーカス引き込みを確実に実行することができるので、既に発売されている、あるいはフォーマットが既知の情報記録媒体との下位互換性を確保することができ、新フォーマットの多層情報記録媒体を既に広まっている情報記録再生装置を使って記録再生することができる。
【図面の簡単な説明】
【００１８】
【図１】本実施の形態における光学的情報記録媒体の構成について説明するための図である。
【図２】従来の２層光ディスク媒体の各層のトラックレイアウトを説明するための図である。
【図３】本実施の形態における４層光ディスク媒体のスタック構成を示す概略図である。
【図４】本実施の形態における４層光ディスク媒体における各層のトラックレイアウトを説明する図である。
【図５】低反射率領域が形成されていない４層光ディスク媒体を用いた場合の各情報面のディスク表面からの厚みとフォーカスエラー信号との関係を示す図である。
【図６】本実施の形態における４層光ディスク媒体を用いた場合の各情報面のディスク表面からの厚みとフォーカスエラー信号との関係を示す図である。
【図７】本実施の形態における多層光ディスク媒体を記録再生する光学的情報記録再生装置の全体構成を示す図である。
【図８】２層対応光ディスク装置における処理手順について説明するための第１のフローチャートである。
【図９】２層対応光ディスク装置における処理手順について説明するための第２のフローチャートである。
【図１０】本実施の形態における４層光ディスク媒体の半径方向のエリア構成を説明するための図である。
【図１１】本実施の形態における８層光ディスク媒体の半径方向のエリア構成を説明するための図である。
【図１２】本実施の形態における８層光ディスク媒体の半径方向の別のエリア構成を説明するための図である。
【図１３】本実施の形態における４層光ディスク媒体の半径方向の別のエリア構成を説明するための図である。
【図１４】本実施の形態における８層光ディスク媒体の半径方向のさらに別のエリア構成を説明するための図である。
【図１５】本実施の形態における多層光ディスク媒体を作製するための基板作製用金型の製造方法を説明するための断面図である。
【図１６】本実施の形態における多層光ディスク媒体の断面図である。
【図１７】本実施の形態における多層情報記録媒体の製造方法について説明するための図である。
【図１８】本実施の形態におけるスパッタ装置の構造を示す断面図である。
【図１９】従来の光ディスク装置の構成を示す図である。
【発明を実施するための最良の形態】
【００１９】
以下、本発明の一実施の形態に係る多層情報記録媒体について図面を参照しながら説明する。なお、本実施の形態では多層情報記録媒体として追記型の相変化光ディスク媒体を例に説明するが、これは多層情報記録媒体を特に限定するものではなく、多層情報記録媒体にエネルギーを注入して未記録部とは物理的性質の異なるマークを形成することによって情報を記録する多層情報記録媒体（ＢＤ−ＲＥなどの書き換え型記録媒体やＢＤ−Ｒなどの追記型記録媒体）あるいは、凹凸のピット等の物理形状の違いによって情報を記録する再生専用の光ディスク媒体に共通の技術である。【００２０】
主な光学条件は、波長４０５ｎｍのレーザと、ＮＡ＝０．８５の対物レンズとを用いる。ディスク構造は、トラックピッチが０．３２μｍであり、レーザ入射面から情報面までの厚みが２５μｍ〜１３０μｍである。光ディスク媒体上には０．１３８μｍから０．１６０μｍの最短マーク長（２Ｔ）をもつ信号がマークあるいはピットとして記録され、１層当たりの記録容量が２３．３ＧＢから２７ＧＢの多層光ディスク媒体を例として説明する。また、書き込み時の速度としては、６６ＭＨｚ（Ｔｗ＝１５．１５ｎｓ）のチャネルレートを１倍速とするＢＤ（Ｂｌｕ−ｒａｙディスク）において、チャネルレートが１３２ＭＨｚ（Ｔｗ＝７．５８ｎｓ）であるＢＤ２倍速の場合を例に説明する。この場合、記録線速度は９．８３ｍ／ｓである。【００２１】
まず、本実施の形態における多層情報記録媒体である多層光ディスク媒体について説明する。図１は、本実施の形態における光学的情報記録媒体の構成について説明するための図である。図１では、多層光ディスク媒体の平面上の領域構成を示している。光ディスク媒体内の平面領域としては、内周側から、リードイン領域１００６と、データ領域１００１と、リードアウト領域１００５とが配置されている。リードイン領域１００６は、ＢＣＡ（Ｂｕｒｓｔ  Ｃｕｔｔｉｎｇ  Ａｒｅａ）１００２、初期記録領域（Ｐｒｅ−ｒｅｃｏｒｄｅｄ  ａｒｅａ）１００３、及び学習領域及びＤＭＡ領域１００４を含む。【００２２】
次に、参考例として従来の２層光ディスク媒体の各層のトラックレイアウトについて説明する。図２は、従来の２層光ディスク媒体の各層のトラックレイアウトを説明するための図である。【００２３】
図２においてリードイン領域は、第１の情報面Ｌ０の半径およそ２４ｍｍより内側に位置している。半径２１〜２２．２ｍｍの位置に媒体固有のユニークＩＤを情報面を焼ききる形式等で予め記録したＢＣＡ（Ｂｕｒｓｔ  Ｃｕｔｔｉｎｇ  Ａｒｅａ）がある。ＢＣＡは、記録マークを同心円状に並べるように形成することで、バーコード状の記録データが形成される。【００２４】
半径２２．２〜２３．１ｍｍが初期記録領域（Ｐｒｅ−ｒｅｃｏｒｄｅｄ  ａｒｅａ）とされる。初期記録領域は、あらかじめ、記録パワーや記録パルス条件の推奨値、記録線速度の条件等のディスク情報や、コピープロテクションに用いる情報等を、ＨＦＭグルーブとよばれるスパイラル状に形成されたグルーブ（案内溝）をウォブリング（蛇行）させることによって記録している（プリレコーデッド情報）。これらのプリレコーデッド情報は書換不能な再生専用の情報であり、ディスク出荷時に予め記録されている。つまりＢＣＡと初期記録領域とが再生専用領域となる。【００２５】
リードイン領域において半径２３．１〜２４ｍｍには、試し記録を行う学習領域及びディフェクトマネジメントエリア（ＤＭＡ）が設けられている。学習領域は、光ディスク装置に光ディスク媒体が挿入された起動時や、動作中に温度変動が大きく生じた際に、記録パワーや記録パルス条件の変動分をキャリブレーションするために、試し記録が行われる。ディフェクトマネジメントエリア（ＤＭＡ）は、光ディスク媒体上のディフェクト情報を管理するための領域である。【００２６】
半径２４．０〜５８．０ｍｍには、データ領域が設けられている。データ領域は、実際にユーザが希望するデータが書き込まれる領域である。データ領域には、ＰＣユース等において、ディフェクト等により記録再生できない部分が存在した場合、記録再生できない部分（セクタ、クラスタ）を交替する交替エリアとして、ユーザデータを記録再生するデータエリアの前後にＩＳＡ（Ｉｎｎｅｒ  Ｓｐａｒｅ  Ａｒｅａ）、ＯＳＡ（Ｏｕｔｅｒ  Ｓｐａｒｅ  Ａｒｅａ）を設定する。ビデオ記録再生等の、高転送レートのリアルタイム記録では、交替エリアを設定しない場合もある。【００２７】
半径５８．０〜５８．５ｍｍには、リードアウト領域が設けられている。リードアウト領域は、リードイン領域と同様のディフェクトマネジメントエリアが設けられたり、また、シークの際、オーバーランしてもよいようにバッファエリアとして使われる。なお記録再生の終了領域としての意味でのリードアウトは、複数層光ディスク媒体の場合は内周側となることもある。半径２３．１ｍｍ、つまり学習領域から、外周のアウターゾーンあるいはリードアウト領域までが、相変化マークが記録再生されるデータ領域（記録可能領域）とされる。【００２８】
従来の２層光ディスク媒体において、第１の情報面Ｌ０以外の情報面にはＢＣＡに相当するエリアは設けられているが、ユニークＩＤの記録は行わない。第１の情報面Ｌ０のＢＣＡには、高出力のレーザで記録層を焼ききる記録方式により、半径方向にバーコード状の信号が記録される。この際、第１の情報面Ｌ０のＢＣＡと厚み方向に同じ位置にある、第２の情報面Ｌ１にユニークＩＤ等のＢＣＡ情報を新たに記録しても、信頼性のある記録ができない可能性があるからである。また、逆にいえば、第２の情報面Ｌ１にはＢＣＡ記録を行わないことにより、第１の情報面Ｌ０のＢＣＡの信頼性を高めるものとなる。【００２９】
また、初期記録領域については、少なくとも第１の情報面Ｌ０に初期値情報を記録してある。また、第１の情報面Ｌ０の内周側がインナーゾーンとなり、外周側がアウターゾーンとなる。その場合、第１の情報面Ｌ０のアドレスのオーダーは、内周から外周の方向に記録されており、記録再生は内周から外周の方向に行う。第２の情報面Ｌ１では、内周側がリードアウト領域となり、外周側がアウターゾーンとなる。その場合、第２の情報面Ｌ１のアドレスのオーダーは、外周から内周の方向に記録されており、記録再生は外周から内周の方向に行う。このような記録再生の進行が行われることで、外周から内周へのフルシークを必要とせず、第１の情報面Ｌ０は内周側から外周側に向かって、第２の情報面Ｌ１は外周側から内周側に向かって順次記録再生することができ、ビデオ記録再生等の、高転送レートのリアルタイム記録を長時間行うことができる。【００３０】
図３は、本実施の形態においてレーザ入射側から４つの情報面を有する４層光ディスク媒体のスタック構成を示す概略図である。４層光ディスク媒体は、基板９０５、第１の情報面Ｌ０、第２の情報面Ｌ１、第３の情報面Ｌ２、第４の情報面Ｌ３及びカバー層９０９を備える。レーザ光は、カバー層９０９側から入射する。基板９０５の厚みは概略１．１ｍｍであり、カバー層９０９の厚みは少なくとも２５μｍ以上である。各情報面は、透明なスペース層９０６〜９０８で隔てられている。本実施の形態においては、具体例として、カバー層９０９の厚みは６０μｍであり、第４の情報面Ｌ３と第３の情報面Ｌ２との間の厚みは１０μｍであり、第３の情報面Ｌ２と第２の情報面Ｌ１との間の厚みは１７μｍであり、第２の情報面Ｌ１と第１の情報面Ｌ０との間の厚みは１３μｍであるが、スペース層で隔てられた各情報面の間隔は、４層光ディスク媒体の場合６μｍ〜３０μｍの間であればよい。スペース層で隔てられた情報面の間隔は、各情報面からの回折光の干渉（層間干渉）が少なくなるよう最適化されており、上述のスペース間距離に限定されるわけではない。【００３１】
次に、４つの情報面を有する４層光ディスク媒体の各層のトラックレイアウトについて説明する。図４は、本実施の形態における４層光ディスク媒体の各層のトラックレイアウトを説明するための図である。【００３２】
図４において、４層光ディスク媒体の第１の情報面Ｌ０は、情報面が１つの単層光ディスク媒体の情報面あるいは、図２で示した情報面が２つの２層光ディスク媒体の第１の情報面Ｌ０と同様のトラックレイアウトである。同様に４層光ディスク媒体の第２の情報面Ｌ１は、図２で示した情報面が２つの２層光ディスク媒体の第２の情報面Ｌ１と同様のトラックレイアウトである。ただし、第２の情報面Ｌ１における内周側となったリードアウトゾーンは、３層以上の情報面をもった多層光ディスク媒体では記録再生終端ではないためインナーゾーンとなる。【００３３】
第３の情報面Ｌ２と第４の情報面Ｌ３の内周部は、第１及び第２の情報面Ｌ０，Ｌ１の内周部のトラックレイアウトと異なっている。通常、各情報面における初期記録領域は、同一の半径位置に並ぶよう配置されるが、本実施の形態の多層光ディスク媒体においては、第３の情報面Ｌ２の初期記録領域は図４で示すとおり第１の情報面Ｌ０のＢＣＡや初期記録領域の半径位置と大きく重ならないように配置されている。これにより、第１の情報面Ｌ０のＢＣＡ及び初期記録領域を再生する際、第４の情報面Ｌ３及び第３の情報面Ｌ２を通過する光ビームが散乱や回折を受けて、再生信号品質の低下を少なくする構成がなされている。【００３４】
第３の情報面Ｌ２では、初期記録領域に対応するトラックの蛇行で形成されたＨＦＭグルーブは半径２３．１ｍｍの位置から開始され、ユーザデータ領域が開始される２４．０ｍｍの位置までの間に形成されている。初期記録領域の外側には、学習領域とＤＭＡ領域とが配置されている。同様に第４の情報面Ｌ３では、半径２３．１ｍｍの位置から外側に学習領域とＤＭＡ領域とが配置されている。４層光ディスク媒体において、第１の情報面Ｌ０以外の情報面にはＢＣＡに対する記録は行わない。【００３５】
また、初期記録領域は、第１の情報面Ｌ０と、第３の情報面Ｌ２及び第４の情報面Ｌ３の内の少なくとも１つとに設けられ、記録媒体全体で合計少なくとも２面にディスク管理情報が記録されている。第１の情報面Ｌ０の初期記録領域には、第１の情報面Ｌ０及び第２の情報面Ｌ１の記録パワー、記録パルス条件、ディスクバージョン及びレイヤー番号などの情報が記録されており、さらに従来リザーブ領域として使われていなかった管理領域内の所定の領域に、第３の情報面Ｌ２及び第４の情報面Ｌ３のディスク管理情報を記録している。こうすることで、ディスク管理情報を従来の光ディスク装置で読み出すことができるだけでなく、新しい多層光ディスク媒体用の光ディスク装置においては、第１の情報面Ｌ０から第４の情報面Ｌ３までの全ての情報面のディスク管理情報を一括して読み出すことができ、起動時間を短縮できる。【００３６】
また、第３の情報面Ｌ２には、少なくとも第３の情報面Ｌ２及び第４の情報面Ｌ３に関する記録パワー及び記録パルス条件等の情報が記録されている。第３の情報面Ｌ２には、従来の２層光ディスク媒体で記録されている第１の情報面Ｌ０及び第２の情報面Ｌ１に関する記録パワー及び記録パルス条件等の情報を省略することにより、第３の情報面Ｌ２の記録スペースを節約することができる。【００３７】
また、第３の情報面Ｌ２のインナーゾーンの追記可能な記録エリアには、第３の情報面Ｌ２及び第４の情報面Ｌ３のユーザデータ領域への記録の可否を示すフラグ情報が記録される。フラグ情報が第３の情報面Ｌ２及び第４の情報面Ｌ３への記録不可状態になっている場合は、第３の情報面Ｌ２及び第４の情報面Ｌ３にデータを記録することはできず、第１の情報面Ｌ０及び第２の情報面Ｌ１のみにデータを記録することとなる。フラグ情報は、従来の２層光ディスク媒体対応ドライブでは読み出すことができないが、４層対応の光ディスク装置においては、読み出し、書き込みあるいは書き換えをすることが可能である。４層対応光ディスク装置は、本フラグ情報を用いることにより、２層対応光ディスク装置で読み出し可能な状態になるよう４層光ディスク媒体にデータを記録することができる。即ち、４層対応光ディスク装置は、４層光ディスク媒体において、２層光ディスク媒体と同じ領域にのみ同一フォーマットでデータを記録することで、既に発売済で広く市場に存在する２層対応光ディスク装置を使ってデータの読み出しが可能となる。【００３８】
また、４層対応光ディスク装置は、第３の情報面Ｌ２及び第４の情報面Ｌ３へデータの記録を禁止する状態にフラグ情報を設定し、２層光ディスク媒体と同じ領域にデータを記録した後、第３の情報面Ｌ２及び第４の情報面Ｌ３へデータの記録を許可する状態にフラグ情報を設定し、４層光ディスク媒体全体へデータを記録することもできる。こうすることで、ユーザは、２層対応光ディスク装置と４層対応光ディスク装置との間で１枚の光ディスク媒体を共有することができ、データを自由にやり取りすることが可能となる。【００３９】
また、第３の情報面Ｌ２及び第４の情報面Ｌ３の半径２３．１ｍｍより内周側は、スパイラル状の溝を持ったトラックを形成する他に、溝を形成せずに鏡面を形成してもよい。このように、第３の情報面Ｌ２及び第４の情報面Ｌ３の初期記録領域及びＢＣＡに相当する領域を鏡面状にすることで、溝による回折光を低減し、第１の情報面Ｌ０及び第２の情報面Ｌ１へのフォーカス引き込みを容易にすることが可能となる。【００４０】
また、図４において、領域２０１と領域２０２とはそれぞれ第３の情報面Ｌ２及び第４の情報面Ｌ３の内周部における低反射率領域（ＬＲＡ；Ｌｏｗ  Ｒｅｆｌｅｃｔｉｖｉｔｙ  Ａｒｅａ）となっており、これらの領域でのレーザ光の反射や散乱をできるだけ少なくし、第１の情報面Ｌ０及び第２の情報面Ｌ１にレーザ光を効率よく集光するための構造になっている。低反射率領域の反射率は概略０にするか、あるいは、低反射率領域とそれ以外の領域とで反射率に差をつけた条件として設計する。例えば、レーザ出射光に対する戻り光量の比である戻り光量比をＲとしたとき、低反射率領域での戻り光量比Ｒｄの範囲は０≦Ｒｄ＜３．５％となるように設計し、それ以外の領域での戻り光量比Ｒｂの範囲は３．５％≦Ｒｂ≦８％となるように設計する。あるいは、低反射率領域での戻り光量比Ｒｄと、低反射率領域以外の領域での戻り光量比Ｒｂとの関係が２×Ｒｄ＜Ｒｂとなるように設計してもよい。【００４１】
ディスク表面（厚み０μｍ）からの反射率は理論的に約４％であり、この表面反射率を下回る反射高レベルに戻り光量比Ｒｄを設定する。レーザ光が光ディスク表面へ入射する際には、カバー層を透過して情報面に集光される。このカバー層樹脂の屈折率ｎは、およそ１．５±０．１である。一般に、光が空気中から媒質へ垂直入射した場合の表面からの反射率は、媒質の屈折率をｎとすると、Ｒ＝（１−ｎ）２／（１＋ｎ）２で表される。これにより、カバー層樹脂表面からの反射率Ｒは３％〜５％と計算される。ただし、本実施の形態における多層光ディスク媒体のように、１００μｍの入射厚みを有する情報面に光学系が収差補正されている場合、ディスク表面ではカバー層厚み分の球面収差が生じるため、表面からの戻り光量が約７０％に減衰する。表面反射率に球面収差の減衰量を掛け合わせた値が実際の表面からの戻り光量となり、表面反射率は、２％〜３．５％程度となる。【００４２】
カバー層樹脂の屈折率の値が予め決まっていることから、光ディスク装置には、表面反射率は約３％の値であることが予め記憶されている。表面反射によるＲＦ信号の振幅値よりも、低反射率領域からの戻り光量が小さい場合、ディスク表面からの反射光であると誤検出する可能性が低くなる。そこで、低反射率領域の反射率は、この表面からの戻り光（表面反射）よりも小さくすることが望まれる。【００４３】
表面からのＳ字波形の検出を確実にするためには、表面Ｓ字波形の半分をスライスレベルにして検出するのが一番確実な方法である。したがって、低反射率領域での戻り光量比Ｒｄは、表面反射率の１／２以下にするのが最も効果が高くなる。このように、情報記録再生装置に記憶されている値より小さい反射光量となるように、低反射率領域での戻り光量比Ｒｄを設計することで、２層対応情報記録再生装置で多層情報記録媒体を利用することができる。【００４４】
また、第３の情報面Ｌ２及び第４の情報面Ｌ３からの反射光や散乱光を低減することによって、ディスク起動時に第１の情報面Ｌ０あるいは第２の情報面Ｌ１へのフォーカス引き込みを容易にすることが可能である。ディスク挿入時又は光ディスク装置の起動時のシーケンスとしては、第１の情報面Ｌ０の内周部にあるＢＣＡが再生される。レーザ光のフォーカス引き込みの実行処理は、ＢＣＡがある内周部で行われるのが一般的である。第１の情報面Ｌ０のＢＣＡを含む半径位置である第３の情報面Ｌ２の領域２０１及び第４の情報面Ｌ３の領域２０２は、第１の情報面Ｌ０及び第２の情報面Ｌ１の同一半径位置における領域に比べて反射率が低く設定されており、第３の情報面Ｌ２及び第４の情報面Ｌ３からの反射光を少なくする。これにより、第１の情報面Ｌ０のＢＣＡへのフォーカス引き込みを確実に実行することができる。【００４５】
なお、本実施の形態において、第１及び第２の情報面におけるＢＣＡ及び初期記録領域が第１の反射面に相当し、第３及び第４の情報面における低反射率領域が第２の反射面に相当する。【００４６】
前述の第３の情報面Ｌ２及び第４の情報面Ｌ３の内周部の低反射率領域（ＬＲＡ）の形成方法としては、ディスク出荷前のディスク製造工程において、情報面の成膜後、レーザ初期化装置によって、第３の情報面Ｌ２及び第４の情報面Ｌ３のそれぞれの記録層に対して記録パワーのレーザ光を照射してあらかじめ強制的にマークを形成するプリ記録を行うことによって、低反射状態を実現する方法がある。また、レーザ初期化装置だけでなく、ＢＣＡライターの照射パワーを下げるなどして、マークが形成される記録パワーでプリ記録を行う方法でもよい。これらの方法を用いた場合、光ディスク媒体を通常の成膜プロセスで製作することができ、ディスク製造工程に特殊な設備を付加することが必要なく、容易に多層光ディスク媒体を量産することができる。【００４７】
また、別の方法として、ＢＣＡライターなどが備える高出力レーザの集光ビームを使って所望の情報面の反射層を焼ききるなどして、低反射率領域を形成する方法もある。または、例えばスパッタ装置を使って反射層を成膜する際、内周部の低反射率領域にマスクをすることで、内周部に反射層を成膜しない方法もある。この場合、マスクの径を変更することで容易に低反射率領域を形成することができるため、ディスク製造後、レーザ光によりプリ記録する工程や、反射層を焼ききって低反射率領域を形成する工程が不要となり、従来のディスク製造工程をそのまま利用することができる。【００４８】
なお、本実施の形態では、複数の情報面のうち、従来の光ディスク媒体、例えば２層構造の光ディスク媒体と互換性のある情報面の内周部（ＢＣＡ及び初期記録領域）の反射率を、他の情報面の内周部の反射率よりも高くしているが、本発明は特にこれに限定されず、従来の光ディスク媒体と互換性のある情報面以外の情報面のデータ領域の反射率を、互換性のある情報面の反射率より下げてもよい。例えば、第３の情報面Ｌ２及び第４の情報面Ｌ３のデータ領域の反射率を、第１の情報面Ｌ０及び第２の情報面Ｌ２のデータ領域の反射率よりも低く設定する。この場合、第３の情報面Ｌ２及び第４の情報面Ｌ３の内周部及びデータ領域等の全ての領域の反射率を、第１の情報面Ｌ０及び第２の情報面Ｌ２の全ての領域の反射率よりも低く設定してもよい。なお、この場合、第１及び第２の情報面におけるＢＣＡ、初期記録領域及びデータ領域が第１の反射面に相当し、第３及び第４の情報面における低反射率領域及びデータ領域が第２の反射面に相当する。【００４９】
次に多層光ディスク媒体の情報面へのフォーカス引き込み時の動作について説明する。フォーカスエラー信号に非点収差法を用いる場合、フォーカスエラー信号のＳ字特性を使ってフォーカス引き込みを実行する。図５は、低反射率領域が形成されていない４層光ディスク媒体を用いた場合の各情報面のディスク表面からの厚みとフォーカスエラー信号との関係を示す図である。図５の直線４１は、紙面の左から右にいくにつれて、レーザ光の集光点がディスク表面から奥側にある情報面に向かって徐々に移動していることを表している。このとき、フォーカスエラー信号には光ディスク媒体の反射面（情報面）に応じて図５に示すようなＳ字波形４２が現れる。【００５０】
球面収差補正部によってディスク入射面の厚みが第１の情報面Ｌ０に最適化されている場合、ディスク表面のＳ字波形、第４情報面Ｌ３のＳ字波形、第３情報面Ｌ２のＳ字波形、第２情報面Ｌ１のＳ字波形、及び第１情報面Ｌ０のＳ字波形の順に徐々にＳ字波形の振幅が大きくなる。これらの５つのＳ字波形４２がフォーカスエラー信号として現れることとなる。このような４層光ディスク媒体を、例えば既に発売されている２層対応の光ディスク装置でフォーカス引き込みを実施しようとすると、想定されているよりも多くのＳ字信号を検出してしまうこととなり、正確に所望の情報面へのフォーカス引き込みを実行することが困難となる。そこで、本実施の形態では、上述の通り、第３の情報面Ｌ２及び第４の情報面Ｌ３のフォーカスエラー信号を検出する位置に低反射率領域を設けている。【００５１】
図６は、本実施の形態における４層光ディスク媒体を用いた場合の各情報面のディスク表面からの厚みとフォーカスエラー信号との関係を示す図である。図６の直線５１は、ディスク表面からのレーザビームスポットの焦点位置の変化を表し、図６のＳ字波形５２は、フォーカスエラー信号を表す。直線５１は、紙面の左から右にいくにつれて、レーザ光の集光点がディスク表面から奥側にある情報面に向かって徐々に移動していることを表している。このとき、フォーカスエラー信号には光ディスク媒体の反射面（情報面）に応じて図６に示すようなＳ字波形５２が現れる。【００５２】
球面収差補正部によってディスク厚みが第１の情報面Ｌ０に最適化されている場合、図６に示す３つのＳ字波形５２が現れる。レーザ入射方向から順に、ディスク表面のＳ字波形、第２の情報面Ｌ１のＳ字波形、及び第１情報面Ｌ０のＳ字波形が現れる。低反射率領域が形成された４層光ディスク媒体では、これらの３つのＳ字波形がフォーカスエラー信号として現れる。これは、情報面が２つの２層光ディスク媒体のＳ字波形とほぼ同様のＳ字波形となる。よって、既に発売されている２層対応の光ディスク装置を使った場合、あたかも２層光ディスク媒体であるかのごとくフォーカス処理を実行することができ、容易に第１の情報面Ｌ０へのフォーカス引き込みが可能となりＢＣＡを再生することが可能となる。【００５３】
また、本実施の形態では、多層光ディスク媒体として、４層の情報面をもつ４層光ディスク媒体を例に説明したが、低反射率領域を備えた５層以上の多層光ディスク媒体に応用できることはいうまでもない。【００５４】
また、本実施の形態では、２層光ディスク媒体のトラックレイアウトを含む４層光ディスク媒体のトラックレイアウトを例に説明したが、単層光ディスク媒体のトラックレイアウトを含む３層光ディスク媒体としてもよい。この場合、３層光ディスク媒体の第１の情報面Ｌ０のトラックレイアウトは単層光ディスク媒体のトラックレイアウトと同一であり、３層光ディスク媒体の第２、第３の情報面Ｌ１、Ｌ２は内周部に低反射率領域を含むトラックレイアウトとなる。【００５５】
さらに、多層情報記録媒体は、２層光ディスク媒体のトラックレイアウトを含む３層光ディスク媒体としてもよい。この場合、３層光ディスク媒体の第１及び第２の情報面Ｌ０，Ｌ１のトラックレイアウトは２層光ディスク媒体の第１及び第２の情報面Ｌ０，Ｌ１のトラックレイアウトと同一であり、３層光ディスク媒体の第３の情報面Ｌ２は内周部に低反射率領域を含むトラックレイアウトとなる。【００５６】
さらにまた、多層情報記録媒体は、単層光ディスク媒体のトラックレイアウトを含む２層光ディスク媒体としてもよい。この場合、２層光ディスク媒体の第１及び第２の情報面Ｌ０のトラックレイアウトは単層光ディスク媒体の第１の情報面Ｌ０のトラックレイアウトと同一であり、２層光ディスク媒体の第２の情報面Ｌ１は内周部に低反射率領域を含むトラックレイアウトとなる。このとき、内周部の反射率は、データを記録するデータ領域の反射率よりも低い。【００５７】
次に、本実施の形態の４層光ディスク媒体への情報記録再生システムについて説明する。図７は、本実施の形態における多層光ディスク媒体を記録再生する情報記録再生装置（光ディスク装置）の全体構成の一例を示す図である。【００５８】
図７において、光ディスク装置は、球面収差補正部１０８、光ピックアップ１１１、ディスク判別部１１２、センサ１１３、ＦＥ（フォーカスエラー）信号演算部１１４、ＲＦ信号演算部１１５、記憶部１１６及び制御部１１７を備える。光ピックアップ１１１は、回折素子１０２、コリメートレンズ１０３，１０４、対物レンズ１０５、レーザ光源１０６、アクチュエータ１０７及び光検出器１０９，１１０を備える。【００５９】
ここで、図７に示す光ディスク装置の動作について説明する。まず、レーザ光源１０６は、光ビームを出射する。レーザ光源１０６から出射された光ビームは、回折素子１０２を透過し、コリメートレンズ１０３，１０４によって平行光に変換され、対物レンズ１０５に入射する。対物レンズ１０５は、多層光ディスク媒体１０１の情報記録面上に光ビームを収束させる。多層光ディスク媒体１０１で反射された光ビームは、もとの光路を逆にたどってコリメートレンズ１０３，１０４によって集光され、回折素子１０２によって分岐され、光検出器１０９，１１０へ入射する。フォーカスエラー信号及びトラッキングエラー信号を含むサーボ信号と情報信号（ＲＦ信号）とは、光検出器１０９，１１０の出力信号より生成される。【００６０】
ここで、対物レンズ１０５のＮＡは０．８以上の大きなものである。アクチュエータ１０７は、対物レンズ１０５の光軸方向の位置制御であるフォーカス制御と、光軸に垂直な方向の位置制御であるトラッキング制御とを制御部１１７からの信号に基づいて行う。アクチュエータ１０７は、コイルや磁石などの駆動手段により構成される。また、ＦＥ信号演算部１１４は、光検出器１０９，１１０からの信号に基づいてＦＥ信号を生成し、ＲＦ信号演算部１１５は、光検出器１０９，１１０からの信号に基づいてＲＦ信号を生成する。【００６１】
センサ１１３は、ディスクカートリッジのホールを検出し、検出信号を出力する。ディスク判別部１１２は、記憶部１１６に格納されているＦＥ振幅ＦＥ０及びＲＦ振幅ＲＦ０と、ＦＥ信号演算部１１４及びＲＦ信号演算部１１５によって生成されたＦＥ振幅ＦＥ１及びＲＦ振幅ＲＦ１と、センサ１１３からの検出信号とのうちのいずれかあるいは複数の信号を組み合わせて得たディスク判別情報を用いて多層光ディスク媒体１０１の種類を判別する。球面収差補正部１０８は、ディスク判別部１１２によって判別した光ディスク媒体の種別に応じてコリメートレンズ１０４を駆動し、各情報面の表面からの厚みに応じた最適な球面収差補正を行う。【００６２】
なお、制御部１１７は、情報面単位でユーザデータ領域へのデータ記録を禁止する書き込み禁止フラグを設定する。また、制御部１１７は、書き込み禁止フラグが設定された情報面へのデータ記録を禁止する。本実施の形態において、レーザ光源１０６がレーザ光照射部の一例に相当し、球面収差補正部１０８が球面収差補正部の一例に相当し、制御部１１７が制御部、フラグ設定部及び記録禁止部の一例に相当し、ディスク判別部１１２が媒体判別部の一例に相当する。【００６３】
本実施の形態における多層光ディスク媒体１０１が装填された際の、２層対応光ディスク装置における処理手順について説明する。図８及び図９は、２層対応光ディスク装置における処理手順について説明するためのフローチャートである。【００６４】
まず、ステップＳ１において、制御部１１７は、多層光ディスク媒体１０１が光ディスク装置に挿入されたか否かを判断する。ここで、光ディスク媒体が挿入されていないと判断された場合（ステップＳ１でＮＯ）、光ディスク媒体が挿入されるまで所定の時間間隔でステップＳ１の判断処理が実行される。【００６５】
一方、２層対応光ディスク装置に多層光ディスク媒体１０１が装填され、光ディスク媒体が挿入されたと判断された場合（ステップＳ１でＹＥＳ）、ステップＳ２において、制御部１１７は、多層光ディスク媒体１０１の第１の情報面Ｌ０に合わせて球面収差を補正するように、球面収差補正部１０８に指示する。球面収差補正部１０８は、コリメートレンズ１０４を駆動することにより、第１の情報面Ｌ０に合わせて球面収差を補正する。図７のような光学系においてコリメートレンズ１０４はレーザ光の径を可変する機能を持つ。即ち、コリメートレンズ１０４が光軸方向に移動することで、多層光ディスク媒体１０１に照射されるレーザ光の径が調整される。つまり、光ディスク装置は、液晶等の収差補正素子の替わりに、コリメートレンズ１０４を光軸方向に移動させる球面収差補正部１０８を備えることで、第１の情報面Ｌ０に最適な球面収差補正を行うことが可能である。【００６６】
また、このような球面収差補正方法の他に、コリメートレンズ１０３，１０４に代えて液晶パネル等を備えることで球面収差を補正する方法も可能であるが、本方式の球面収差補正方法では、液晶パネル等を不要とし、光ディスク装置の部品点数削減、コスト及び調整工程の節減、及び小型化の面で優れている。【００６７】
次に、ステップＳ３において、制御部１１７は、レーザ光源１０６を制御し、レーザを単層光ディスク媒体の設定パワーで照射する。一般的に単層光ディスク媒体からの戻り光量は、第２の情報面Ｌ１の透過率を５０％とすると２層光ディスク媒体の戻り光量に比べて４倍程度多く、制御部１１７はレーザパワーを２層光ディスク媒体に比べて低く設定する。また高い照射パワーで記録されたマークを誤消去してしまわないように、制御部１１７は、読み取り時に照射するレーザパワーを２層光ディスク媒体に比べて１／２程度低く設定する。【００６８】
次に、ステップＳ４において、ディスク判別部１１２は、光ディスク媒体の種別を判別し、単層光ディスク媒体であるか否かを判別する。ここで、ディスク判別部１１２による光ディスク媒体の種別を判別する方法について説明する。【００６９】
第１のディスク種別判別方法は、光ディスク媒体が入っているカートリッジを使って判別する方法である。まず、図７のセンサ１１３は、赤外線あるいはその他の波長の光をカートリッジ方向に照射する。ディスク判別部１１２は、光ディスク媒体による反射光からの情報に基づいて、挿入された光ディスク媒体がカートリッジに入っているかの有無を判別する。光ディスク媒体がカートリッジに入っている場合、ディスク判別部１１２は、カートリッジに設けられたセンサホールを用いて光ディスク媒体の種別を判別する。なお、ディスク判別部１１２は、２層光ディスク媒体であるか、単層光ディスク媒体であるか、ＲＯＭ光ディスク媒体であるか、書き換え可能光ディスク媒体であるか、追記型光ディスク媒体であるかを判別する。【００７０】
第２のディスク種別判別方法は、光ディスク媒体がカートリッジに入っていない場合に、光ディスク媒体からの戻り光から判別する方法である。ディスク判別部１１２は、図７のＲＦ信号演算部１１５によって生成されるＲＦ信号の信号レベルと、ＦＥ信号演算部１１４によって生成されるＦＥ信号の振幅レベルとに基づいて、単層光ディスク媒体であるか、２層光ディスク媒体であるかを判別する。単層光ディスク媒体と２層光ディスク媒体とは、光ディスク媒体からの戻り光量の差で区別される。ディスク判別部１１２は、記憶部１１６に予め記憶されているＲＦ信号の基準信号レベル及びＦＥ信号の基準振幅レベルと、実際の光ディスク媒体からの戻り光から生成されるＲＦ信号の信号レベル及びＦＥ信号の振幅レベルとを比較し判別する。なお、当初設定されている範囲のいずれのグループにも属さない光ディスク媒体、例えば反射光量が０あるいは、制限を越えるものは、異常ディスクとしてエラー処理が行われる。【００７１】
また、第３のディスク種別判別方法は、フォーカスエラー信号のＳ字波形の数を用いて判別する方法である。フォーカスサーボがＯＦＦになった状態で、レーザの焦点位置をディスク表面から徐々に光ディスク媒体の厚み方向に移動させることによって、フォーカスエラー信号に図５あるいは図６のようなＳ字波形が現れる。ディスク判別部１１２は、このＳ字波形の閾値振幅が規定値より超える個数をカウントすることによって、単層光ディスク媒体であるか、２層光ディスク媒体であるかを判別する。【００７２】
このように、本実施の形態では、光ディスク媒体からの戻り光量、ＦＥ信号のＳ字波形、又はＲＦ信号の信号レベルを用いて光ディスク媒体の種別を判別している。これらのディスク種別判別方法によるとフォーカス引き込み実施前に光ディスク媒体の種別を判別することが可能なため、光ディスク媒体に既に書き込まれている記録マークを誤消去することや、記録パワーを照射して誤記録することなく、光ディスク媒体の種別を判別することができる。また、光ディスク媒体にあらかじめ記録されているＢＣＡや管理情報の読み出し前に光ディスク媒体の種別を判別することができるため、ディスク判別にかかる時間を短縮し、起動時間を早めることができる。【００７３】
次に、ディスク判別部１１２によって、単層光ディスク媒体であると判別された際の動作について説明する。単層光ディスク媒体であると判別された場合（ステップＳ４でＹＥＳ）、ステップＳ５の処理へ移行する。【００７４】
第１の情報面Ｌ０に対応する球面収差補正を実行させたら、ステップＳ５において、制御部１１７は、アクチュエータ１０７を駆動して対物レンズ１０５を移動させ、レーザ光のフォーカス状態を第１の情報面Ｌ０に合焦させる。次に、ステップＳ６において、制御部１１７は、光ディスク媒体の内周部のＢＣＡ１００２に光ピックアップ１１１をアクセスさせ、ＢＣＡ１００２に記録されているユニークＩＤの読み出しを実行させる。【００７５】
続いて、ステップＳ７において、制御部１１７は、初期記録領域１００３に光ピックアップ１１１をアクセスさせ、初期記録領域１００３内の管理情報の読み出しを実行させる。次に、ステップＳ８において、制御部１１７は、初期記録領域の管理情報の再生ができたか否かを判別する。ここで、管理情報の再生ができたと判別された場合（ステップＳ８でＹＥＳ）、ステップＳ９において、制御部１１７は、光ディスク媒体の種別に応じて順次各情報面における学習領域１００４（テストライトエリア）を用いて試し記録（テストライト）を行い、レーザパワーのキャリブレーションや、記録パルス条件のキャリブレーションを行う。即ち、単層光ディスク媒体であった場合、制御部１１７は、第１の情報面Ｌ０の学習領域１００４でテストライトを行う。【００７６】
テストライトを終えた後、ステップＳ１０において、制御部１１７は、記録又は再生動作を実行する。制御部１１７は、球面収差補正及びフォーカス制御を行いつつ、情報の記録又は再生を実行する。【００７７】
次にディスク判別部１１２によって、２層光ディスク媒体であると判別された際の動作について説明する。単層光ディスク媒体でないと判別された場合、すなわち、２層光ディスク媒体であると判別された場合（ステップＳ４でＮＯ）、図９のステップＳ１１の処理へ移行する。【００７８】
ステップＳ１１において、制御部１１７は、レーザ光源１０６を制御し、レーザを２層光ディスク媒体の設定パワーで照射する。次に、ステップＳ１２において、制御部１１７は、多層光ディスク媒体１０１の第１の情報面Ｌ０に合わせて球面収差を補正するように、球面収差補正部１０８に指示する。球面収差補正部１０８は、コリメートレンズ１０４を駆動することにより、第１の情報面Ｌ０に合わせて球面収差を補正する。【００７９】
第１の情報面Ｌ０に対応する球面収差補正を実行させたら、ステップＳ１３において、制御部１１７は、アクチュエータ１０７を駆動して対物レンズ１０５を移動させ、レーザ光のフォーカス状態を第１の情報面Ｌ０に合焦させる。次に、ステップＳ１４において、制御部１１７は、第１の情報面Ｌ０のＢＣＡ１００２に光ピックアップ１１１をアクセスさせ、ＢＣＡ１００２に記録されているユニークＩＤの読み出しを実行させる。【００８０】
続いて、ステップＳ１５において、制御部１１７は、第１の情報面Ｌ０の初期記録領域１００３に光ピックアップをアクセスさせ、初期記録領域１００３内の管理情報の読出しを実行させる。次に、ステップＳ１６において、制御部１１７は、第１の情報面Ｌ０の初期記録領域１００３から管理情報を再生することができたか否かを判別する。ここで、第１の情報面Ｌ０から管理情報の再生ができたと判別された場合（ステップＳ１６でＹＥＳ）、ステップＳ１７において、制御部１１７は、順次各情報面における学習領域１００４（テストライトエリア）を用いて試し記録（テストライト）を行い、レーザパワーのキャリブレーションや、記録パルス条件のキャリブレーションを行う。【００８１】
即ち、制御部１１７は、第１の情報面Ｌ０及び第２の情報面Ｌ１のそれぞれにおいて、学習領域１００４でテストライトを行い、各情報面のそれぞれについて最適なレーザパワーを設定する。ここで、各情報面でテストライトを実行する際、その都度、必要に応じてテストライトを実行しようとする情報面に対して球面収差補正及びフォーカス制御が行われる。【００８２】
次に、ステップＳ１８において、制御部１１７は、球面収差補正及びフォーカス制御を行いつつ、第１の情報面Ｌ０への情報の記録又は第１の情報面Ｌ０からの情報の再生を実行する。次に、ステップＳ１９において、制御部１１７は、球面収差補正及びフォーカス制御を行いつつ、第２の情報面Ｌ１への情報の記録又は第２の情報面Ｌ１からの情報の再生を実行する。【００８３】
ここで、実際にデータの記録又は再生を行う前には、初期記録領域から管理情報を読み出す必要がある。第１の情報面Ｌ０の初期記録領域から両方の情報面に関する管理情報が読み出せればよいが、何らかの原因で管理情報が読み出せなかった場合は、記録又は再生することができない光ディスク媒体となってしまう。【００８４】
上述したように２層光ディスク媒体の場合、第２の情報面Ｌ１の初期記録領域にも、第１の情報面Ｌ０の初期記録領域と同一の管理情報が記録されている。そこで本実施の形態では、第１の情報面Ｌ０で管理情報を読み出せなかった場合は、他の情報面から管理情報を読み出すようにしてもよい。【００８５】
すなわち、第１の情報面Ｌ０から管理情報の再生ができないと判別された場合（ステップＳ１６でＮＯ）、ステップＳ２０において、制御部１１７は、多層光ディスク媒体１０１の第２の情報面Ｌ１に合わせて球面収差を補正するように、球面収差補正部１０８に指示する。球面収差補正部１０８は、コリメートレンズ１０４を駆動することにより、第２の情報面Ｌ１に合わせて球面収差を補正する。【００８６】
次に、ステップＳ２１において、制御部１１７は、アクチュエータ１０７を駆動して対物レンズ１０５を移動させ、レーザ光のフォーカス状態を第２の情報面Ｌ１に合焦させる。次に、ステップＳ２２において、制御部１１７は、第２の情報面Ｌ１のＢＣＡ１００２に光ピックアップ１１１をアクセスさせ、ＢＣＡ１００２に記録されているユニークＩＤの読み出しを実行させる。【００８７】
次に、ステップＳ２３において、制御部１１７は、第２の情報面Ｌ１の初期記録領域１００３に光ピックアップをアクセスさせ、初期記録領域１００３内の管理情報の読出しを実行させる。次に、ステップＳ２４において、制御部１１７は、初期記録領域１００３の管理情報の再生ができたか否かを判別する。ここで、第２の情報面Ｌ１から管理情報の再生ができたと判別された場合（ステップＳ２４でＹＥＳ）、ステップＳ１７の処理へ移行する。【００８８】
一方、第２の情報面Ｌ１から管理情報の再生ができないと判別された場合（ステップＳ２４でＮＯ）、ステップＳ２５において、制御部１１７は、エラー通知を行い、処理を終了する。すなわち、第１の情報面Ｌ０及び第２の情報面Ｌ１の両方から管理情報を読み出すことができない場合、光ディスク媒体への情報の記録又は再生ができない。なお、ステップＳ８において、第１の情報面Ｌ０から管理情報の再生ができないと判別された場合（ステップＳ８でＮＯ）、ステップＳ２５の処理へ移行する。【００８９】
次に、本実施の形態における４層光ディスク媒体及び８層光ディスク媒体のエリア構成について説明する。図１０は、図４に示すトラックレイアウトに対応する４層光ディスク媒体の半径方向のエリア構成を説明するための図である。尚、ＢＣＡ、初期記録領域（ＰＲ）、学習領域及びＤＭＡ領域（ＯＰＣ、ＤＭＡ）、データ領域、及びリードアウト領域の配置は、図１及び図４で説明した通りである。【００９０】
４層光ディスク媒体では、第１の情報面Ｌ０は、単層光ディスク媒体あるいは２層光ディスク媒体の第１の情報面Ｌ０と同様のエリア構成である。ただし、単層光ディスク媒体におけるリードアウトゾーンに相当する部分は４層光ディスク媒体では記録再生終端ではないためアウターゾーンとなる。４層光ディスク媒体の第２の情報面Ｌ１は、２層光ディスク媒体の第２の情報面Ｌ１と同様のエリア構成である。但し、２層光ディスク媒体の第２の情報面Ｌ１における内周側となったリードアウトゾーンは、４層光ディスク媒体では記録再生終端ではないためインナーゾーンとしてある。【００９１】
第３の情報面Ｌ２は、内周部に低反射率領域（ＬＲＡ）、初期記録領域（ＰＲ）、及び学習領域及びＤＭＡ領域（ＯＰＣ、ＤＭＡ）が配置され、内周側がインナーゾーンとなり、外周側がアウターゾーンとなる。その場合、第３の情報面Ｌ２のアドレスのオーダーは、内周から外周の方向に記録されており、記録再生は内周から外周の方向に行われる。【００９２】
第４の情報面Ｌ３は、内周部に低反射率領域（ＬＲＡ）、学習領域及びＤＭＡ領域（ＯＰＣ、ＤＭＡ）が配置され、内周側がリードアウトゾーンとなり、外周側がアウターゾーンとなる。その場合、第４の情報面Ｌ３のアドレスのオーダーは、外周から内周の方向に記録されており、記録再生は外周から内周の方向に行う。このような記録再生の進行が行われることで、上述した２層光ディスク媒体の場合と同様、外周から内周へのフルシークを必要とせず、第１の情報面Ｌ０の内周から外周、第２の情報面Ｌ１の外周から内周、第３の情報面Ｌ２の内周から外周、第４の情報面Ｌ３の外周から内周へと順次記録再生することができ、ビデオ記録再生等の、高転送レートのリアルタイム記録を長時間行うことができる。【００９３】
また、アドレスは第１及び第３の情報面Ｌ０，Ｌ２では内周から外周へカウントアップされ、第２及び第４の情報面Ｌ１，Ｌ３では、外周から内周へカウントアップされる。偶数番目の情報面（第２及び第４の情報面）では、奇数番目の情報面（第１及び第３の情報面）のアドレスの補数をとって用いることにより、レイヤー内アドレスは、１つの情報面のレイヤー内アドレスのビット数で表すことができる。また、第１及び第２の情報面Ｌ０，Ｌ１と、第３及び第４の情報面Ｌ２，Ｌ３の、アドレスに対する半径の位置関係も知ることができ高速アクセスが可能となる。【００９４】
次に、本実施の形態における８層光ディスク媒体の半径方向のエリア構成について説明する。図１１は、本実施の形態における８層光ディスク媒体の半径方向のエリア構成を説明するための図である。図１１に示す８層光ディスク媒体における第１の情報面Ｌ０は、先に述べた単層光ディスク媒体、２層光ディスク媒体、４層光ディスク媒体の第１の情報面Ｌ０と同様のエリア構成である。ただし、単層光ディスク媒体におけるリードアウトゾーンに相当する部分はアウターゾーンとなる。８層光ディスク媒体の第３の情報面Ｌ２は、２層光ディスク媒体の第２の情報面Ｌ１、及び図１０で示す４層光ディスク媒体の第２の情報面Ｌ１と同様のディスクレイアウトである。ただし、２層光ディスク媒体の第２の情報面Ｌ１における内周側となったリードアウトゾーンは、８層光ディスク媒体では記録再生終端ではないためインナーゾーンとなる。８層光ディスク媒体の第５の情報面Ｌ４は、図１０で示す４層光ディスク媒体の第３の情報面Ｌ２と同様のエリア構成である。８層光ディスク媒体の第７の情報面Ｌ６は、図１０で示す４層光ディスク媒体の第４の情報面Ｌ３と同様のエリア構成である。但し４層光ディスク媒体におけるリードアウトイン領域に相当する部分はインナーゾーンとなる。【００９５】
８層光ディスク媒体の第２、第４、第６、第８の各情報面Ｌ１，Ｌ３，Ｌ５，Ｌ７は８層光ディスク媒体で新たに追加された情報面である。第２の情報面Ｌ１は、内周部に低反射率領域（ＬＲＡ）、初期記録領域（ＰＲ）、学習領域及びＤＭＡ領域（ＯＰＣ、ＤＭＡ）が配置され、内周側がインナーゾーンとなり、外周側がアウターゾーンとなる。その場合、第２の情報面Ｌ１のアドレスのオーダーは、内周から外周の方向に記録されており、記録再生は内周から外周の方向に行う。【００９６】
第４の情報面Ｌ３は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第４の情報面Ｌ３のアドレスのオーダーは、外周から内周の方向に記録されており、記録再生は外周から内周の方向に行う。【００９７】
第６の情報面Ｌ５は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第６の情報面Ｌ５のアドレスのオーダーは、内周から外周の方向に記録されており、記録再生は内周から外周の方向に行う。【００９８】
第８の情報面Ｌ７は、内周部に低反射率領域（ＬＲＡ）、学習領域及びＤＭＡ領域（ＯＰＣ、ＤＭＡ）が配置され、内周側がリードアウトゾーンとなり、外周側がアウターゾーンとなる。その場合、第８の情報面Ｌ７のアドレスのオーダーは、外周から内周の方向に記録されており、記録再生は外周から内周の方向に行う。【００９９】
第１の情報面Ｌ０の内周から外周、第３の情報面Ｌ２の外周から内周、第５の情報面Ｌ４の内周から外周、第７の情報面Ｌ６の外周から内周、第２の情報面Ｌ１の内周から外周、第４の情報面Ｌ３の外周から内周、第６の情報面Ｌ５の内周から外周、第８の情報面Ｌ７の外周から内周へと順次記録再生が行われる。これにより、ビデオ記録再生等の、高転送レートのリアルタイム記録を長時間行うことができる。【０１００】
また、アドレスは第１、第２、第５、第６の各情報面では内周から外周へカウントアップされ、第３、第４、第７、第８の各情報面では、外周から内周へカウントアップされる。第１の情報面と第３の情報面との間、第５の情報面と第７の情報面との間、第２の情報面と第４の情報面との間、第６の情報面と第８の情報面との間では、それぞれの情報面のアドレスの補数をとって用いることにより、レイヤー内アドレスは、１つの層のレイヤー内アドレスのビット数で表すことができる。【０１０１】
また、それぞれの情報面のアドレスに対する半径の位置関係も知ることができ高速アクセスが可能となる。すなわち、第１から第８の複数の情報面において、ＭＯＤ（ｎ／４）＝１，２となる情報面は光ディスク媒体の内周側から外周側に向かって記録又は再生が行われ、ＭＯＤ（ｎ／４）＝３，０となる情報面は、光ディスク媒体の外周側から内周側に向かって記録又は再生が行われる。これにより、ビデオ記録再生等の、高転送レートのリアルタイム記録を長時間行うことができる。但し、ＭＯＤ（ｎ／４）は情報面の数ｎを除数４で割ったときの剰余を表している。【０１０２】
次に、本実施の形態の８層光ディスク媒体の半径方向の別のエリア構成について説明する。図１２は、本実施の形態の８層光ディスク媒体の半径方向の別のエリア構成を説明するための図である。図１２に示す８層光ディスク媒体では、第１の情報面Ｌ０は、単層光ディスク媒体、２層光ディスク媒体及び４層光ディスク媒体の第１の情報面Ｌ０と同様のエリア構成である。ただし、単層光ディスク媒体におけるリードアウトゾーンに相当する部分はアウターゾーンとなる。【０１０３】
８層光ディスク媒体の第３の情報面Ｌ２は、２層光ディスク媒体の第２の情報面Ｌ１、及び図１０で示す４層光ディスク媒体の第２の情報面Ｌ１と同様のエリア構成である。ただし、２層光ディスク媒体の第２の情報面Ｌ１における内周側となったリードアウトゾーンは、８層光ディスク媒体では記録再生終端ではないためインナーゾーンとなる。【０１０４】
８層光ディスク媒体の第５の情報面Ｌ４は、図１０で示す４層光ディスク媒体の第３の情報面Ｌ２と同様のエリア構成である。８層光ディスク媒体の第７の情報面Ｌ６は、図１０で示す４層光ディスク媒体の第４の情報面Ｌ３と同様のエリア構成である。但し４層光ディスク媒体におけるリードアウト領域に相当する部分はインナーゾーンとなる。【０１０５】
８層光ディスク媒体の第２、第４、第６、第８の情報面Ｌ１，Ｌ３，Ｌ５，Ｌ７は８層光ディスク媒体で新たに追加された情報面である。８層光ディスク媒体の第２の情報面Ｌ１は、内周部に低反射率領域（ＬＲＡ）、学習領域及びＤＭＡ領域（ＯＰＣ、ＤＭＡ）が配置され、内周側がリードインゾーンとなり、外周側がアウターゾーンとなる。その場合、第２の情報面Ｌ１のアドレスのオーダーは、外周から内周の方向に記録されており、記録再生は外周から内周の方向に行う。８層光ディスク媒体の第４の情報面Ｌ３は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第４の情報面Ｌ３のアドレスのオーダーは、内周から外周の方向に記録されており、記録再生は内周から外周の方向に行う。【０１０６】
８層光ディスク媒体の第６の情報面Ｌ５は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第６の情報面Ｌ５のアドレスのオーダーは、外周から内周の方向に記録されており、記録再生は外周から内周の方向に行う。８層光ディスク媒体の第８の情報面Ｌ７は、内周部に低反射率領域（ＬＲＡ）、初期記録領域（ＰＲ）、学習領域及びＤＭＡ領域（ＯＰＣ、ＤＭＡ）が配置され、内周側がインナーゾーンとなり、外周側がアウターゾーンとなる。その場合、第８の情報面Ｌ７のアドレスのオーダーは、内周から外周の方向に記録されており、記録再生は内周から外周の方向に行う。【０１０７】
第１の情報面Ｌ０の内周から外周、第３の情報面Ｌ２の外周から内周、第５の情報面Ｌ４の内周から外周、第７の情報面Ｌ６の外周から内周、第８の情報面Ｌ７の内周から外周、第６の情報面Ｌ５の外周から内周、第４の情報面Ｌ３の内周から外周、第２の情報面Ｌ１の外周から内周へと順次記録再生が行われる。これにより、ビデオ記録再生等の、高転送レートのリアルタイム記録を長時間行うことができる。【０１０８】
また、アドレスは第１、第４、第５、第８の情報面Ｌ０，Ｌ３，Ｌ４，Ｌ７では内周から外周へカウントアップされ、第２、第３、第６、第７の情報面Ｌ１，Ｌ２，Ｌ５，Ｌ６では、外周から内周へカウントアップされる。第１の情報面と第３の情報面との間、第５の情報面と第７の情報面との間、第２の情報面と第４の情報面との間、第６の情報面と第８との間では、それぞれの情報面のアドレスの補数をとって用いることにより、レイヤー内アドレスは、１つの層のレイヤー内アドレスのビット数で表すことができる。【０１０９】
また、各情報面のアドレスに対する半径の位置関係も知ることができ高速アクセスが可能となる。すなわち、第１から第８の複数の情報面において、ＭＯＤ（ｎ／４）＝０，１となる情報面はディスク内周側から外周側に向かって記録又は再生が行われ、ＭＯＤ（ｎ／４）＝２，３となる情報面は、ディスク外周側から内周側に向かって記録又は再生が行われる。これにより、ビデオ記録再生等の、高転送レートのリアルタイム記録を長時間行うことができる。【０１１０】
次に、本実施の形態の別の４層光ディスク媒体の半径方向のエリア構成について説明する。図１３は、図１０のエリア構成とは別の４層光ディスク媒体の半径方向のエリア構成を説明するための図である。図１０と異なる点は、図１０の第２の情報面Ｌ１と第３の情報面Ｌ２とのエリア構成が入れ替わっている点である。図１３のエリア構成にすることにより２層光ディスク媒体と同様のエリア構成である第１の情報面Ｌ０と第３の情報面Ｌ２との間に新たに情報面を挿入でき、ディスク全体での層間の厚みの合計を小さくすることができ、ディスク表面を厚くすることができる。【０１１１】
このようなエリア構成にすることで、外周から内周へのフルシークを必要とせず、第１の情報面Ｌ０の内周から外周、第３の情報面Ｌ２の外周から内周、第２の情報面Ｌ１の内周から外周、第４の情報面Ｌ３の外周から内周へと順次記録再生することができる。これにより、ビデオ記録再生等の、高転送レートのリアルタイム記録を長時間行うことができる。また、アドレスは第１及び第２の情報面Ｌ０，Ｌ１では内周から外周へカウントアップされ、第３及び第４の情報面Ｌ２，Ｌ３では、外周から内周へカウントアップされる。第１の情報面と第３の情報面との間、第２の情報面と第４の情報面との間では、それぞれ情報面のアドレスの補数をとって用いることにより、レイヤー内アドレスは、１つの情報面のレイヤー内アドレスのビット数で表すことができる。また第１及び第３の情報面Ｌ０，Ｌ２と、第２及び第４の情報面Ｌ１，Ｌ３とのアドレスに対する半径の位置関係も知ることができ高速アクセスが可能となる。【０１１２】
次に、本実施の形態における８層光ディスク媒体の半径方向のさらに別のエリア構成について説明する。図１４は、本実施の形態における８層光ディスク媒体の半径方向のさらに別のエリア構成を説明するための図である。図１４に示す８層光ディスク媒体では、第１の情報面Ｌ０は、単層光ディスク媒体、２層光ディスク媒体及び４層光ディスク媒体のＬ０と同様のディスクレイアウトである。ただし、単層光ディスク媒体におけるリードアウトゾーンに相当する部分はアウターゾーンとなる。【０１１３】
第５の情報面Ｌ４は、２層光ディスク媒体の第２の情報面Ｌ１、及び図１３で示す４層光ディスク媒体の第３の情報面Ｌ２と同様のエリア構成である。ただし、２層光ディスク媒体の第２の情報面Ｌ１における内周側となったリードアウトゾーンは、８層光ディスク媒体では記録再生終端ではないためインナーゾーンとなる。また、８層光ディスク媒体の第３の情報面Ｌ２は、及び図１３で示す４層光ディスク媒体の第２の情報面Ｌ１と同様のエリア構成である。【０１１４】
８層光ディスク媒体の第７の情報面Ｌ６は、図１３で示す４層光ディスク媒体の第４の情報面Ｌ３と同様のエリア構成である。但し４層光ディスク媒体におけるリードアウトゾーンに相当する部分はインナーゾーンとなる。【０１１５】
第２、第４、第６、第８の各情報面Ｌ１，Ｌ３，Ｌ５，Ｌ７は８層光ディスク媒体で新たに追加された情報面である。第２の情報面Ｌ１は、内周部に低反射率領域（ＬＲＡ）、初期記録領域（ＰＲ）、学習領域及びＤＭＡ領域（ＯＰＣ、ＤＭＡ）が配置され、内周側がインナーゾーンとなり、外周側がアウターゾーンとなる。その場合、第２の情報面Ｌ１のアドレスのオーダーは、内周から外周の方向に記録されており、記録再生は内周から外周の方向に行う。第４の情報面Ｌ３は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第４の情報面Ｌ３のアドレスのオーダーは、内周から外周の方向に記録されており、記録再生は内周から外周の方向に行う。【０１１６】
第６の情報面Ｌ５は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第６の情報面Ｌ５のアドレスのオーダーは、外周から内周の方向に記録されており、記録再生は外周から内周の方向に行う。第８の情報面Ｌ７は、内周部に低反射率領域（ＬＲＡ）、学習領域及びＤＭＡ領域（ＯＰＣ、ＤＭＡ）が配置され、内周側がリードアウトゾーンとなり、外周側がアウターゾーンとなる。その場合、第８の情報面Ｌ７のアドレスのオーダーは、外周から内周の方向に記録されており、記録再生は外周から内周の方向に行う。【０１１７】
第１の情報面Ｌ０の内周から外周、第５の情報面Ｌ４の外周から内周、第３の情報面Ｌ２の内周から外周、第７の情報面Ｌ６の外周から内周、第２の情報面Ｌ１の内周から外周、第６の情報面Ｌ５の外周から内周、第４の情報面Ｌ３の内周から外周、第８の情報面Ｌ７の外周から内周へと順次記録再生が行われる。これにより、ビデオ記録再生等の、高転送レートのリアルタイム記録を長時間行うことができる。また、アドレスは第１〜第４の情報面Ｌ０〜Ｌ３では内周から外周へカウントアップされ、第５〜第８の情報面Ｌ４〜Ｌ７では、外周から内周へカウントアップされる。第１の情報面と第５の情報面との間、第３の情報面と第７の情報面との間、第２の情報面と第６の情報面との間、第４の情報面と第８の情報面との間では、それぞれの情報面のアドレスの補数をとって用いることにより、レイヤー内アドレスは、１つの層のレイヤー内アドレスのビット数で表すことができる。また、それぞれの情報面のアドレスに対する半径の位置関係も知ることができ高速アクセスが可能となる。すなわち、第１から第ｎ（ｎ＝８）の複数の情報面において、第１から第ｎ／２の情報面はディスク内周側から外周側に向かって記録又は再生が行われ、第ｎ／２＋１から第ｎの情報面はディスク外周側から内周側に向かって記録又は再生が行われる。これにより、ビデオ記録再生等の、高転送レートのリアルタイム記録を長時間行うことができる。【０１１８】
次に、前述したエリア構成を有する本実施の形態における多層情報記録媒体の製造方法について説明する。【０１１９】
図１５は、本実施の形態における多層情報記録媒体を作製するための基板作製用金型であるスタンパの製造方法を説明するための図である。まず、ガラス板１６０１上にフォトレジスト等の感光材料が塗布されて感光膜１６０２が形成され（図１５の第１工程参照）、その後レーザ光１６０３による光記録により、ピットや案内溝等のパターンの露光が行われる（図１５の第２工程参照）。図１５の第２工程において、感光膜１６０２ａが露光された部分を示している。露光部分の感光材料は現像工程を経ることにより除去され、ピットや案内溝等のパターン１６０４が形成された光記録原盤１６０５が作製される（図１５の第３工程参照）。感光膜１６０２に形成されたピットや案内溝等のパターン１６０４の形状は、スパッタリングや蒸着等の方法によって膜付けされた導電膜１６０６に転写される（図１５の第４工程参照）。さらに、導電膜１６０６の剛性及び厚みを増加させるために、めっき膜１６０７が形成される（図１５の第５工程参照）。次に、感光膜１６０２と導電膜１６０６との界面から導電膜１６０６及びめっき膜１６０７が剥離されることにより、スタンパ１６０８が作製される（図１５の第６工程参照）。【０１２０】
図１６は、本実施の形態における多層情報記録媒体の断面図である。この多層情報記録媒体は、片面に凹凸形状からなるピットや案内溝の情報面が転写形成された第１信号基板１７０１と、第１信号基板１７０１の凹凸形状が設けられた面上に配置された第１薄膜層１７０２と、第１薄膜層１７０２と接着している面とは反対の面に凹凸形状からなるピットや案内溝の情報面が転写形成された第２信号基板１７０３と、第２信号基板１７０３の凹凸形状が設けられた面上に配置された第２薄膜層１７０４と、第２信号基板１７０３に対向配置された透明基板１７０６と、第２薄膜層１７０４と透明基板１７０６とを貼り合わせるために設けられた透明層１７０５により構成されている。【０１２１】
第１信号基板１７０１には、図１５の第６工程に示したスタンパ１６０８を用いて、射出圧縮成形等により片面にピットや案内溝が凹凸形状として転写形成されている。このように、情報面に薄膜層が形成されることで情報記録層が形成されている。第１信号基板１７０１の厚みは例えば１．１ｍｍ程度である。第１薄膜層１７０２及び第２薄膜層１７０４は、記録膜や反射膜を含んでいる。第１薄膜層１７０２及び第２薄膜層１７０４は、第１信号基板１７０１及び第２信号基板１７０３のピットや案内溝が形成された面側にスパッタリングや蒸着等の方法により形成される。【０１２２】
第２信号基板１７０３は、光硬化性樹脂のスピンコート法によって形成され、図１５の第６工程に示したスタンパ１６０８や第１信号基板１７０１のように片面にピットや案内溝が凹凸形状として形成された転写基板を、情報面が第１信号基板１７０１と対向するように光硬化性樹脂を介して貼り合わせる。そして、光硬化性樹脂の光硬化後に転写基板を光硬化性樹脂との界面から剥離することによって第２信号基板１７０３が形成されている。透明基板１７０６は、記録再生光に対して透明な（透過性を有する）材料からなり、厚みが例えば０．１ｍｍ程度である。透明層１７０５は、２枚の基板１７０６、１７０７を互いに接着するために設けられており、光硬化性樹脂や感圧接着剤等の接着剤から形成されている。このような多層情報記録媒体の記録再生は、透明基板１７０６からレーザ光を入射することによって行われる。【０１２３】
次に、本実施の形態における多層情報記録媒体の製造方法について説明する。図１７は、本実施の形態における多層情報記録媒体の製造方法について説明するための図である。【０１２４】
まず、第１信号基板８０１は、ピットや案内溝の信号面が形成された面にスパッタリングや蒸着等の方法により記録膜材料や反射膜材料を含んだ第１薄膜層８０２が形成されることにより情報記録層が形成される。信号面に形成する第１薄膜層８０２の領域は、スパッタリングや蒸着時に基板をマスクする領域によって決定される。【０１２５】
図１８は、スパッタ装置の構造を示す断面図である。まず、スパッタ装置内に搬送された基板１８０１は、インナーマスク１８０２とアウターマスク１８０３とがほぼ接するところに設置される。インナーマスク１８０２は、基板の中心孔を含む内径に薄膜層が形成されないように、基板の内周部を全面覆いかぶさった構造を有している。アウターマスク１８０３は、特定の基板の外径に薄膜層が形成されないように、また、基板裏面へスパッタ膜の回り込みを防ぐように構成されている。真空ポンプなどで真空雰囲気とした空間１８０４はアルゴンなどのガスの導入と、放電によってプラズマが発生する。そして、プラズマ中にできたイオン（ここではアルゴンイオン）をインナーマスク１８０２及びアウターマスク１８０３の根元に設置されたターゲット１８０５の材料に衝突させ、ターゲット１８０５を構成する材料の原子や分子を基板上に飛ばし、基板表面に薄膜を形成する。【０１２６】
第１薄膜層８０２を形成する領域は、インナーマスク１８０２の径や、アウターマスク１８０３の径を変更することにより、容易に変更が可能である。第１信号基板８０１は、第１薄膜層８０２が形成された面とは反対側の面でバキューム等の手段によって回転テーブル８０３上に固定される（図１７の第１工程参照）。回転テーブル８０３に固定された第１信号基板８０１上の第１薄膜層８０２には、ディスペンサーによって光硬化性樹脂８０４が所望の半径上に同心円状に塗布される（図１７の第２工程参照）。【０１２７】
そして、回転テーブル８０３をスピン回転させることにより光硬化性樹脂８０４の延伸が行われる（図１７の第３工程参照）。延伸された光硬化性樹脂８０４は、遠心力によって余分な樹脂と気泡を除去することができる。このとき、延伸される光硬化性樹脂８０４の厚みは、光硬化性樹脂８０４の粘度やスピン回転の回転数、時間、及びスピン回転をさせている周りの温度や湿度などの雰囲気を任意に設定することにより、所望の厚みに制御することができる。スピン回転停止後、延伸された光硬化性樹脂８０４は光照射機８０５の光照射によって硬化される。このようにして、第１信号基板８０１、第１薄膜層８０２及び光硬化性樹脂８０４で構成される第１の基板８１１が作成される。【０１２８】
次に、第１信号基板８０１の上に第２の情報面が形成される。まず、図１５の第６工程に示したスタンパ１６０８や図１６に示した第１信号基板１７０１のように片面にピットや案内溝が凹凸形状として形成された転写基板８０６が回転テーブル８０７上に固定される（図１７の第４工程参照）。回転テーブル８０７に固定された転写基板８０６の上には、ディスペンサーによって光硬化性樹脂８０８が所望の半径上に同心円状に塗布される（図１７の第５工程参照）。そして、回転テーブル８０７をスピン回転させることにより光硬化性樹脂８０８の延伸が行われる（図１７の第６工程参照）。延伸される光硬化性樹脂８０８は光硬化性樹脂８０４と同様に、所望の厚みに制御することができる。スピン回転停止後、延伸された光硬化性樹脂８０８は光照射機８０９の光照射によって硬化される。このようにして、転写基板８０６及び光硬化性樹脂８０８で構成される第２の基板８１０が作成される。【０１２９】
２枚の基板８１０，８１１は、１つの回転テーブル８０３の上で、双方の光硬化性樹脂層が対向するように光硬化性樹脂８１２を介して重ね合わされ（図１７の第７工程参照）、一体化させた状態で回転テーブル８０３によってスピン回転させられる。光硬化性樹脂８１２はスピン回転によって所望の厚みに制御された後に光照射機８０５の光照射によって硬化される（図１７の第８工程参照）。光硬化性樹脂８１２によって基板８１０，８１１が一体化された後に、転写基板８０６と光硬化性樹脂８０８の界面より、転写基板８０６を剥離することによって、第１信号基板８０１の上に第２の情報面が形成される（図１７の第９工程参照）。【０１３０】
ここで用いられている光硬化性樹脂８０４は第１薄膜層８０２と光硬化性樹脂８１２との接着性が良好なものを選定している。また、光硬化性樹脂８０８は転写基板８０６との剥離性が良く、且つ光硬化性樹脂８１２との接着性が良好なものを選定している。また、各々の光硬化性樹脂は出来るだけ薄く形成するために、粘度は約１５０Ｐａ・ｓ程度としている。【０１３１】
第１信号基板８０１の上に形成された第２の情報面には、スパッタリングや蒸着等の方法により記録膜材料や反射膜材料を含んだ第２薄膜層８１３が形成される。第２薄膜層８１３と透明基板８１４とを貼り合わせるときに形成される透明層８１５は、記録再生光に対してほぼ透明で（ほぼ透過し）、第２薄膜層８１３に光硬化性樹脂を塗布した後にスピン回転させることによって光硬化性樹脂に混入する気泡の除去や厚み制御を行い、延伸された後に光照射されることによって硬化することで形成される。【０１３２】
なお、本実施の形態では、基材厚が０．１ｍｍであるＢＤの多層化について説明しているが、本発明は特にこれに限定されず、基材厚が０．６ｍｍであるＨＤ  ＤＶＤの多層化にも適用可能であり、種類が同じである多層光ディスク媒体に適用可能である。【０１３３】
なお、上述した具体的実施形態には以下の構成を有する発明が主に含まれている。【０１３４】
本発明の一局面に係る多層情報記録媒体は、積層された複数の情報面を有し、光によって情報を記録又は再生する多層情報記録媒体であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含む。【０１３５】
この構成によれば、多層情報記録媒体が有する複数の情報面は、光が入射したときに、光を所定の第１の戻り光量で反射させる第１の反射面を有する少なくとも１つの情報面と、光を第１の戻り光量よりも小さい第２の戻り光量で反射させる第２の反射面を有する他の情報面とを含んでいる。【０１３６】
したがって、既に発売されている情報記録媒体の情報面と一致する少なくとも１つの情報面へのフォーカス引き込みを確実に実行することができるので、既に発売されている、あるいはフォーマットが既知の情報記録媒体との下位互換性を確保することができ、新フォーマットの多層情報記録媒体を既に広まっている情報記録再生装置を使って記録再生することができる。また、広く一般に流通している情報記録再生装置を有効活用することが可能であり、ユーザは、既存の情報記録再生装置を使って新たに発売された多層規格の光ディスク媒体を利用することができる。【０１３７】
即ち、多層情報記録媒体は、３層以上の情報記録面を有し、３番目以上の情報記録面の内周部あるいは外周部に、２番目までの情報記録面とは異なる物理特性（反射率、透過率、溝特性、ピット特性等）を持たせることにより、従来の２層情報記録媒体にのみ対応する情報記録再生装置において、情報を記録あるいは再生することができる。【０１３８】
また、上記の多層情報記録媒体において、前記第１の反射面には、ディスク管理情報が記録されていることが好ましい。この構成によれば、第１の反射面に光を照射することによりディスク管理情報を再生することができる。【０１３９】
また、上記の多層情報記録媒体において、前記多層情報記録媒体は、光ディスク媒体を含み、前記第２の反射面は、前記光ディスク媒体の内周部を含み、前記内周部の反射率は、データを記録するデータ領域の反射率よりも低いことが好ましい。【０１４０】
この構成によれば、多層情報記録媒体は、光ディスク媒体を含んでおり、第２の反射面は、光ディスク媒体の内周部を含んでおり、内周部の反射率は、データを記録するデータ領域の反射率よりも低い。したがって、内周部の反射率がデータ領域の反射率よりも低く設定されているので、既に発売されている情報記録媒体の情報面と一致する情報面の内周部へのフォーカス引き込みを確実に実行することができる。【０１４１】
また、上記の多層情報記録媒体において、前記多層情報記録媒体は、光ディスク媒体を含み、前記第１の反射面及び前記第２の反射面は、前記光ディスク媒体の内周部と、データを記録するデータ領域とを含み、前記第２の反射面の内周部及びデータ領域の反射率は、前記第１の反射面の内周部及びデータ領域の反射率よりも低いことが好ましい。【０１４２】
この構成によれば、第２の反射面の内周部及びデータ領域の反射率が、第１の反射面の内周部及びデータ領域の反射率よりも低いので、第１の反射面のデータ領域に記録されているデータを確実に再生することができる。【０１４３】
また、上記の多層情報記録媒体において、前記複数の情報面は、４つの情報面を含み、前記４つの情報面のうちの２つの情報面は、前記第１の反射面に光が入射したときに、前記光を所定の第１の戻り光量で反射させ、残りの２つの情報面は、前記第２の反射面に光が入射したときに、前記光を前記第１の戻り光量よりも小さい第２の戻り光量で反射させることが好ましい。【０１４４】
この構成によれば、複数の情報面は、４つの情報面を含んでおり、４つの情報面のうちの２つの情報面は、第１の反射面に光が入射したときに、光を所定の第１の戻り光量で反射させる。また、残りの２つの情報面は、第２の反射面に光が入射したときに、光を第１の戻り光量よりも小さい第２の戻り光量で反射させる。【０１４５】
したがって、２層の情報記録媒体に対応した情報記録装置を用いて、４層の多層情報記録媒体を記録再生する場合、４層のうちの２層の情報面に対して確実にフォーカス引き込みを実行することができるので、既に発売されている２層の情報記録媒体と、４層の多層情報記録媒体との互換性を確保することができる。【０１４６】
また、上記の多層情報記録媒体において、前記複数の情報面は、８つの情報面を含み、前記８つの情報面のうちの４つの情報面は、前記第１の反射面に光が入射したときに、前記光を所定の第１の戻り光量で反射させ、残りの４つの情報面は、前記第２の反射面に光が入射したときに、前記光を前記第１の戻り光量よりも小さい第２の戻り光量で反射させることが好ましい。【０１４７】
この構成によれば、複数の情報面は、８つの情報面を含んでおり、８つの情報面のうちの４つの情報面は、第１の反射面に光が入射したときに、光を所定の第１の戻り光量で反射させる。また、残りの４つの情報面は、第２の反射面に光が入射したときに、光を第１の戻り光量よりも小さい第２の戻り光量で反射させる。【０１４８】
したがって、４層の情報記録媒体に対応した情報記録装置を用いて、８層の多層情報記録媒体を記録再生する場合、８層のうちの４層の情報面に対して確実にフォーカス引き込みを実行することができるので、既に発売されている４層の情報記録媒体と、８層の多層情報記録媒体との互換性を確保することができる。【０１４９】
また、上記の多層情報記録媒体において、前記第１の反射面において、出射光量に対する前記第１の戻り光量の比を高戻り光量比Ｒｂとし、前記第２の反射面において、出射光量に対する前記第２の戻り光量の比を低戻り光量比Ｒｄとしたとき、前記低戻り光量比Ｒｄは、０≦Ｒｄ＜３．５％の範囲であり、前記高戻り光量比Ｒｂは、３．５％≦Ｒｂ≦８％の範囲であることが好ましい。【０１５０】
この構成によれば、第１の反射面において、出射光量に対する第１の戻り光量の比を高戻り光量比Ｒｂとし、第２の反射面において、出射光量に対する第２の戻り光量の比を低戻り光量比Ｒｄとしたとき、低戻り光量比Ｒｄは、０≦Ｒｄ＜３．５％の範囲であり、高戻り光量比Ｒｂは、３．５％≦Ｒｂ≦８％の範囲である。【０１５１】
従来の２層の情報記録媒体の戻り光量比は、３．５％以上８％以下に規定されており、この範囲より低戻り光量比Ｒｄの範囲を低くすることにより、フォーカス引き込みを確実に実行することができ、例えば２層の情報記録媒体に対応した情報記録装置を用いて、４層以上の多層情報記録媒体を記録再生することができる。【０１５２】
また、上記の多層情報記録媒体において、前記低戻り光量比Ｒｄと前記高戻り光量比Ｒｂとの関係が２×Ｒｄ＜Ｒｂであることが好ましい。この構成によれば、低戻り光量比Ｒｄと高戻り光量比Ｒｂとの関係が２×Ｒｄ＜Ｒｂであるので、高戻り光量比Ｒｂを低戻り光量比Ｒｄの２倍よりも大きく設定することにより、フォーカス引き込みを確実に実行することができる。【０１５３】
また、上記の多層情報記録媒体において、前記低戻り光量比Ｒｄは前記高戻り光量比Ｒｂに対して十分小さく、前記低戻り光量比Ｒｄは概略０であることが好ましい。この構成によれば、低戻り光量比Ｒｄは高戻り光量比Ｒｂに対して十分小さく、低戻り光量比Ｒｄは概略０であるので、フォーカス引き込みを確実に実行することができる。なお、例えば、低戻り光量比Ｒｄは高戻り光量比Ｒｂに対して十分小さいとは、低戻り光量比Ｒｄが、情報を記録したときの戻り光（反射光）のレベル以下になる場合を意味する。【０１５４】
また、上記の多層情報記録媒体において、前記多層情報記録媒体は光ディスク媒体を含み、前記第１の反射面及び前記第２の反射面は、前記光ディスク媒体の回転中心から２４ｍｍ以内の範囲に設けられていることが好ましい。【０１５５】
この構成によれば、多層情報記録媒体は光ディスク媒体を含んでおり、第１の反射面及び第２の反射面は、光ディスク媒体の回転中心から２４ｍｍ以内の範囲に設けられているので、光ディスク媒体の回転中心から２４ｍｍ以内の範囲に相当する内周部に対するフォーカス引き込みを確実に実行することができる。【０１５６】
また、上記の多層情報記録媒体において、前記第１の反射面は、多層情報記録媒体に固有の識別情報を反射層を焼ききることにより記録するＢＣＡ領域を含むことが好ましい。【０１５７】
この構成によれば、第１の反射面には、多層情報記録媒体に固有の識別情報を反射層を焼ききることにより記録するＢＣＡ領域が含まれるので、既に発売されている情報記録再生装置であっても、多層情報記録媒体のＢＣＡ領域から識別情報を確実に再生することができる。【０１５８】
また、上記の多層情報記録媒体において、前記第２の反射面は、レーザ光によってあらかじめ初期記録がなされていることが好ましい。この構成によれば、第２の反射面が、レーザ光によってあらかじめ初期記録がなされているので、他の情報面の第２の反射面における第２の戻り光量を第１の戻り光量よりも小さくすることができる。【０１５９】
また、上記の多層情報記録媒体において、前記第２の反射面は、反射層を焼ききることで形成されていることが好ましい。この構成によれば、第２の反射面が、反射層を焼ききることで形成されているので、他の情報面の第２の反射面における第２の戻り光量を第１の戻り光量よりも小さくすることができる。【０１６０】
また、上記の多層情報記録媒体において、前記第２の反射面は、反射層が形成されていないことが好ましい。この構成によれば、第２の戻り光量で反射させる第２の反射面には、反射層が形成されていないので、他の情報面の第２の反射面における第２の戻り光量を第１の戻り光量よりも小さくすることができる。【０１６１】
また、上記の多層情報記録媒体において、前記複数の情報面の間隔は６μｍ〜３０μｍであることが好ましい。この構成によれば、複数の情報面の間隔を６μｍ〜３０μｍとすることにより、各情報面からの回折光の干渉（層間干渉）を少なくすることができる。【０１６２】
また、上記の多層情報記録媒体において、前記第１の反射面のうちの少なくとも２箇所以上にディスク管理情報が記録されていることが好ましい。この構成によれば、光軸方向に並んだ第１の反射面のうちの少なくとも２箇所以上にディスク管理情報が記録されているので、１の情報面からディスク管理情報を読み出すことができない場合であっても、他の情報面からディスク管理情報を読み出すことができる。【０１６３】
また、上記の多層情報記録媒体において、前記ディスク管理情報が記録されている領域は、上下の情報面で重ならないように配置されていることが好ましい。この構成によれば、ディスク管理情報が記録されている領域は、上下の情報面で重ならないように配置されているので、１の情報面からディスク管理情報を読み出すことができない場合であっても、他の情報面からディスク管理情報を確実に読み出すことができる。【０１６４】
また、上記の多層情報記録媒体において、情報面単位でユーザデータ領域へのデータ記録を禁止する書き込み禁止フラグが記録され、前記書き込み禁止フラグにより禁止された情報面へのデータ記録が禁止されることが好ましい。【０１６５】
この構成によれば、情報面単位でユーザデータ領域へのデータ記録を禁止する書き込み禁止フラグが記録され、書き込み禁止フラグにより禁止された情報面へのデータ記録が禁止される。したがって、多層情報記録媒体の複数の情報面のうちの他の情報面へのデータ記録を禁止することにより、層数の少ない情報記録媒体との互換性を確保することができる。【０１６６】
また、上記の多層情報記録媒体において、前記複数の情報面は、第１から第ｎの情報面を含み、ＭＯＤ（ｎ／４）＝１，２（但し、ＭＯＤは数値ｎを除数４で割ったときの剰余）となる情報面は、光ディスク媒体の内周側から外周側に向かって記録又は再生が行われ、ＭＯＤ（ｎ／４）＝３，０となる情報面は、光ディスク媒体の外周側から内周側に向かって記録又は再生が行われることが好ましい。【０１６７】
この構成によれば、複数の情報面は、第１から第ｎの情報面を含み、ＭＯＤ（ｎ／４）＝１，２（但し、ＭＯＤは数値ｎを除数４で割ったときの剰余）となる情報面は、光ディスク媒体の内周側から外周側に向かって記録又は再生が行われる。また、ＭＯＤ（ｎ／４）＝３，０となる情報面は、光ディスク媒体の外周側から内周側に向かって記録又は再生が行われる。【０１６８】
したがって、例えば、４層の多層情報記録媒体の場合、第１の情報面と第２の情報面とは、内周側から外周側に向かって記録又は再生が行われ、第３の情報面と第４の情報面とは、外周側から内周側に向かって記録又は再生が行われるので、ビデオ記録再生等の、高転送レートのリアルタイム記録を長時間行うことができる。【０１６９】
また、上記の多層情報記録媒体において、ＭＯＤ（ｎ／４）＝１，２となる情報面は、光ディスク媒体の内周側から外周側に向かってアドレスが記録されており、ＭＯＤ（ｎ／４）＝３，０となる情報面は、光ディスク媒体の外周側から内周側に向かってアドレスが記録されていることが好ましい。【０１７０】
この構成によれば、ＭＯＤ（ｎ／４）＝１，２となる情報面は、光ディスク媒体の内周側から外周側に向かってアドレスが記録されており、ＭＯＤ（ｎ／４）＝３，０となる情報面は、光ディスク媒体の外周側から内周側に向かってアドレスが記録されている。【０１７１】
したがって、例えば、４層の多層情報記録媒体の場合、第１の情報面と第２の情報面とは、内周側から外周側に向かって、情報を記録又は再生することができ、第３の情報面と第４の情報面とは、外周側から内周側に向かって、情報を記録又は再生することができる。【０１７２】
また、上記の多層情報記録媒体において、前記複数の情報面は、第１から第ｎ（ｎは偶数）の情報面を含み、第１から第ｎ／２の情報面は、光ディスク媒体の内周側から外周側に向かって記録又は再生が行われ、第（ｎ／２）＋１から第ｎの情報面は、光ディスク媒体の外周側から内周側に向かって記録又は再生が行われることが好ましい。【０１７３】
この構成によれば、複数の情報面は、第１から第ｎ（ｎは偶数）の情報面を含んでおり、第１から第ｎ／２の情報面は、光ディスク媒体の内周側から外周側に向かって記録又は再生が行われる。また、第（ｎ／２）＋１から第ｎの情報面は、光ディスク媒体の外周側から内周側に向かって記録又は再生が行われる。【０１７４】
したがって、例えば、８層の多層情報記録媒体の場合、第１〜第４の情報面は、内周側から外周側に向かって記録又は再生が行われ、第５〜第８の情報面は、外周側から内周側に向かって記録又は再生が行われるので、ビデオ記録再生等の、高転送レートのリアルタイム記録を長時間行うことができる。【０１７５】
また、上記の多層情報記録媒体において、第１から第ｎ／２の情報面は、光ディスク媒体の内周側から外周側に向かってアドレスが記録されており、第（ｎ／２）＋１から第ｎの情報面は、光ディスク媒体の外周側から内周側に向かってアドレスが記録されていることが好ましい。【０１７６】
この構成によれば、第１から第ｎ／２の情報面は、光ディスク媒体の内周側から外周側に向かってアドレスが記録されている。また、第（ｎ／２）＋１から第ｎの情報面は、光ディスク媒体の外周側から内周側に向かってアドレスが記録されている。【０１７７】
したがって、例えば、８層の多層情報記録媒体の場合、第１〜第４の情報面は、内周側から外周側に向かって、情報を記録又は再生することができ、第５〜第８の情報面は、外周側から内周側に向かって、情報を記録又は再生することができる。【０１７８】
また、上記の多層情報記録媒体において、前記第１から第ｎの情報面は、第１から第ｎの情報面に向かってレーザ入射面に近づくよう形成されていることが好ましい。この構成によれば、第１から第ｎの情報面をレーザ入射面に近づくように形成することができる。【０１７９】
本発明の他の局面に係る情報記録再生装置は、積層された複数の情報面を有する多層記録媒体から情報を記録又は再生する情報記録再生装置であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含み、前記多層情報記録媒体が有する信号トラックに対して、信号の記録または再生を行うためのレーザ光を照射するレーザ光照射部と、前記レーザ光の球面収差を補正する球面収差補正部と、前記レーザ光を照射する情報面に応じて、前記レーザ光の焦点位置を制御する制御部と、前記多層情報記録媒体の前記第１の反射面にレーザ光を照射し、情報面の数を判別する媒体判別部とを備える。【０１８０】
この構成によれば、多層情報記録媒体の複数の情報面は、光が入射したときに、光を所定の第１の戻り光量で反射させる第１の反射面を有する少なくとも１つの情報面と、光を第１の戻り光量よりも小さい第２の戻り光量で反射させる第２の反射面を有する他の情報面とを含んでいる。多層情報記録媒体が有する信号トラックに対して、信号の記録または再生を行うためのレーザ光が照射され、レーザ光の球面収差が補正される。そして、レーザ光を照射する情報面に応じて、レーザ光の焦点位置が制御され、多層情報記録媒体の第１の反射面にレーザ光が照射され、情報面の数が判別される。【０１８１】
したがって、既に発売されている情報記録媒体の情報面と一致する少なくとも１つの情報面へのフォーカス引き込みを確実に実行し、情報面の数を判別することができるので、既に発売されている、あるいはフォーマットが既知の情報記録媒体との下位互換性を確保することができ、新フォーマットの多層情報記録媒体を既に広まっている情報記録再生装置を使って記録再生することができる。【０１８２】
また、上記の情報記録再生装置において、前記媒体判別部は、フォーカスエラー信号の波形情報から情報面の数を判別することが好ましい。この構成によれば、フォーカスエラー信号の波形情報から情報面の数を正確に判別することができる。【０１８３】
また、上記の情報記録再生装置において、情報面単位でユーザデータ領域へのデータ記録を禁止する書き込み禁止フラグを設定するフラグ設定部と、前記フラグ設定部によって前記書き込み禁止フラグが設定された情報面へのデータ記録を行わない記録部とをさらに備えることが好ましい。【０１８４】
この構成によれば、情報面単位でユーザデータ領域へのデータ記録を禁止する書き込み禁止フラグが設定され、書き込み禁止フラグが設定された情報面へのデータ記録が行われない。したがって、多層情報記録媒体の複数の情報面のうちの他の情報面へのデータ記録が行われないので、層数の少ない情報記録媒体との互換性を確保することができる。【０１８５】
本発明の他の局面に係る多層情報記録媒体の製造方法は、積層された複数の情報面を有する多層情報記録媒体の製造方法であって、片面に情報面が形成された基板上に、反射層を形成する第１の工程と、前記反射層の上に、情報面を有する透光性の中間層を形成する第２の工程と、前記中間層の前記情報面側に反射層を形成する第３の工程と、前記第２の工程と前記第３の工程とを複数回繰り返して複数の情報面を形成した後、透光性の保護層を形成する第４の工程と、光が入射したときに、前記光を所定の第１の戻り光量で反射させる第１の反射層を少なくとも１つの情報面に形成するとともに、前記光を前記第１の戻り光量よりも小さい第２の戻り光量で反射させる第２の反射面を他の情報面に形成する第５の工程とを含む。【０１８６】
この構成によれば、第１の工程において、片面に情報面が形成された基板上に、反射層が形成される。次に、第２の工程において、反射層の上に、情報面を有する透光性の中間層が形成される。次に、第３の工程において、中間層の情報面側に反射層が形成される。次に、第４の工程において、第２の工程と第３の工程とが複数回繰り返されて複数の情報面が形成された後、透光性の保護層が形成される。次に、第５の工程において、光が入射したときに、光を所定の第１の戻り光量で反射させる第１の反射面が少なくとも１つの情報面に形成されるとともに、光を第１の戻り光量よりも小さい第２の戻り光量で反射させる第２の反射面が他の情報面に形成される。【０１８７】
したがって、既に発売されている情報記録媒体の情報面と一致する少なくとも１つの情報面へのフォーカス引き込みを確実に実行することができるので、既に発売されている、あるいはフォーマットが既知の情報記録媒体との下位互換性を確保することができ、新フォーマットの多層情報記録媒体を既に広まっている情報記録再生装置を使って記録再生することができる。【０１８８】
また、上記の多層情報記録媒体の製造方法において、前記第５の工程は、前記他の情報面に対して、レーザ光によってあらかじめ初期記録することにより第２の反射面を形成することが好ましい。【０１８９】
この構成によれば、第５の工程において、他の情報面に対して、レーザ光によってあらかじめ初期記録することにより第２の反射面が形成されるので、他の情報面の第２の反射面における第２の戻り光量を第１の戻り光量よりも小さくすることができる。【０１９０】
また、上記の多層情報記録媒体の製造方法において、前記第５の工程は、前記他の情報面に対して、レーザ光によってあらかじめ反射層を焼ききることにより第２の反射面を形成することが好ましい。【０１９１】
この構成によれば、第５の工程において、他の情報面に対して、レーザ光によってあらかじめ反射層を焼ききるにより第２の反射面が形成されるので、他の情報面の第２の反射面における第２の戻り光量を第１の戻り光量よりも小さくすることができる。【０１９２】
また、上記の多層情報記録媒体の製造方法において、前記第１及び第３の工程は、反射層を形成する際に、前記他の情報面に対してマスク処理を行うことにより第２の反射面を形成することが好ましい。【０１９３】
この構成によれば、第１及び第３の工程において、反射層を形成する際に、他の情報面に対してマスク処理を行うことにより第２の反射面が形成されるので、他の情報面の第２の反射面には反射層が形成されず、他の情報面の第２の反射面における第２の戻り光量を第１の戻り光量よりも小さくすることができる。【０１９４】
また、上記の多層情報記録媒体の製造方法において、前記複数の情報面は、第１から第ｎの情報面を含み、ＭＯＤ（ｎ／４）＝１，２（但し、ＭＯＤは数値ｎを除数４で割ったときの剰余）となる情報面と、ＭＯＤ（ｎ／４）＝３，０となる情報面とは、スパイラルの方向がそれぞれ反対となるように形成されることが好ましい。【０１９５】
この構成によれば、複数の情報面は、第１から第ｎの情報面を含み、ＭＯＤ（ｎ／４）＝１，２（但し、ＭＯＤは数値ｎを除数４で割ったときの剰余）となる情報面と、ＭＯＤ（ｎ／４）＝３，０となる情報面とは、スパイラルの方向がそれぞれ反対となるように形成される。【０１９６】
したがって、例えば、４層の多層情報記録媒体の場合、第１の情報面と第２の情報面とにおけるトラッキング方向と、第３の情報面と第４の情報面とにおけるトラッキング方向とが反対となり、内周から外周又は外周から内周へとシークする必要がなくなり、ビデオ記録再生等の、高転送レートのリアルタイム記録を長時間行うことができる。【０１９７】
また、上記の多層情報記録媒体の製造方法において、ＭＯＤ（ｎ／４）＝１，２となる情報面は、光ディスク媒体の内周側から外周側に向かってアドレスが順番に形成され、ＭＯＤ（ｎ／４）＝３，０となる情報面は、光ディスク媒体の外周側から内周側に向かってアドレスが順番に形成されることが好ましい。【０１９８】
この構成によれば、ＭＯＤ（ｎ／４）＝１，２となる情報面は、光ディスク媒体の内周側から外周側に向かってアドレスが順番に形成される。また、ＭＯＤ（ｎ／４）＝３，０となる情報面は、光ディスク媒体の外周側から内周側に向かってアドレスが順番に形成される。【０１９９】
したがって、例えば、４層の多層情報記録媒体の場合、第１の情報面と第２の情報面とは、内周側から外周側に向かって、情報を記録又は再生することができ、第３の情報面と第４の情報面とは、外周側から内周側に向かって、情報を記録又は再生することができる。【０２００】
また、上記の多層情報記録媒体の製造方法において、前記複数の情報面は、前記第１から第ｎ（ｎは偶数）の情報面を含み、第１から第ｎ／２の情報面と、第（ｎ／２）＋１から第ｎの情報面とは、スパイラルの方向がそれぞれ反対となるように形成されることが好ましい。【０２０１】
この構成によれば、複数の情報面は、第１から第ｎ（ｎは偶数）の情報面を含んでおり、第１から第ｎ／２の情報面と、第（ｎ／２）＋１から第ｎの情報面とは、スパイラルの方向がそれぞれ反対となるように形成される。【０２０２】
したがって、例えば、８層の多層情報記録媒体の場合、第１〜第４の情報面におけるトラッキング方向と、第５〜第８の情報面とにおけるトラッキング方向とが反対となり、内周から外周又は外周から内周へとシークする必要がなくなり、ビデオ記録再生等の、高転送レートのリアルタイム記録を長時間行うことができる。【０２０３】
また、上記の多層情報記録媒体の製造方法において、第１から第ｎ／２の情報面は、光ディスク媒体の内周側から外周側に向かってアドレスが順番に形成され、第（ｎ／２）＋１から第ｎの情報面は、光ディスク媒体の外周側から内周側に向かってアドレスが順番に形成されることが好ましい。【０２０４】
この構成によれば、第１から第ｎ／２の情報面は、光ディスク媒体の内周側から外周側に向かってアドレスが順番に形成される。また、第（ｎ／２）＋１から第ｎの情報面は、光ディスク媒体の外周側から内周側に向かってアドレスが順番に形成される。【０２０５】
したがって、例えば、８層の多層情報記録媒体の場合、第１〜第４の情報面は、内周側から外周側に向かって、情報を記録又は再生することができ、第５〜第８の情報面は、外周側から内周側に向かって、情報を記録又は再生することができる。【０２０６】
また、上記の多層情報記録媒体の製造方法において、前記第１から第ｎの情報面は、第１から第ｎの情報面に向かってレーザ入射面に近づくよう形成されることが好ましい。この構成によれば、第１から第ｎの情報面をレーザ入射面に近づくように形成することができる。
【産業上の利用可能性】
【０２０７】
本発明に係る多層情報記録媒体、情報記録再生装置及び多層情報記録媒体の製造方法は、既に発売されている、あるいはフォーマットが既知の情報記録媒体との下位互換性を確保することができ、新フォーマットの多層情報記録媒体を既に広まっている情報記録再生装置を使って記録再生することができ、積層された複数の情報面を有し、光によって情報を記録又は再生する多層情報記録媒体、その多層情報記録媒体の製造方法、及びその多層情報記録媒体を記録再生する情報記録再生装置として有用である。
【図１】
2007099835.tif 000003
【図２】
2007099835.tif 000004
【図３】
2007099835.tif 000005
【図４】
2007099835.tif 000006
【図５】
2007099835.tif 000007
【図６】
2007099835.tif 000008
【図７】
2007099835.tif 000009
【図８】
2007099835.tif 000010
【図９】
2007099835.tif 000011
【図１０】
2007099835.tif 000012
【図１１】
2007099835.tif 000013
【図１２】
2007099835.tif 000014
【図１３】
2007099835.tif 000015
【図１４】
2007099835.tif 000016
【図１５】
2007099835.tif 000017
【図１６】
2007099835.tif 000018
【図１７】
2007099835.tif 000019
【図１８】
2007099835.tif 000020
【図１９】
2007099835.tif 000021
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
積層された複数の情報面を有し、光によって情報を記録又は再生する多層情報記録媒体であって、
前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含むことを特徴とする多層情報記録媒体。
【請求項２】
前記第１の反射面には、ディスク管理情報が記録されていることを特徴とする請求項１に記載の多層情報記録媒体。
【請求項３】
前記多層情報記録媒体は、光ディスク媒体を含み、
前記第２の反射面は、前記光ディスク媒体の内周部を含み、
前記内周部の反射率は、データを記録するデータ領域の反射率よりも低いことを特徴とする請求項１記載の多層情報記録媒体。
【請求項４】
前記多層情報記録媒体は、光ディスク媒体を含み、
前記第１の反射面及び前記第２の反射面は、前記光ディスク媒体の内周部と、データを記録するデータ領域とを含み、
前記第２の反射面の内周部及びデータ領域の反射率は、前記第１の反射面の内周部及びデータ領域の反射率よりも低いことを特徴とする請求項１記載の多層情報記録媒体。
【請求項５】
前記複数の情報面は、４つの情報面を含み、
前記４つの情報面のうちの２つの情報面は、前記第１の反射面に光が入射したときに、前記光を所定の第１の戻り光量で反射させ、
残りの２つの情報面は、前記第２の反射面に光が入射したときに、前記光を前記第１の戻り光量よりも小さい第２の戻り光量で反射させることを特徴とする請求項１記載の多層情報記録媒体。
【請求項６】
前記第１の反射面において、出射光量に対する前記第１の戻り光量の比を高戻り光量比Ｒｂとし、前記第２の反射面において、出射光量に対する前記第２の戻り光量の比を低戻り光量比Ｒｄとしたとき、前記低戻り光量比Ｒｄは、０≦Ｒｄ＜３．５％の範囲であり、前記高戻り光量比Ｒｂは、３．５％≦Ｒｂ≦８％の範囲であることを特徴とする請求項１〜５のいずれかに記載の多層情報記録媒体。
【請求項７】
前記低戻り光量比Ｒｄと前記高戻り光量比Ｒｂとの関係が２×Ｒｄ＜Ｒｂであることを特徴とする請求項６記載の多層情報記録媒体。
【請求項８】
前記低戻り光量比Ｒｄは前記高戻り光量比Ｒｂに対して十分小さく、前記低戻り光量比Ｒｄは概略０であることを特徴とする請求項６記載の多層情報記録媒体。
【請求項９】
前記多層情報記録媒体は光ディスク媒体を含み、
前記第１の反射面及び前記第２の反射面は、前記光ディスク媒体の回転中心から２４ｍｍ以内の範囲に設けられていることを特徴とする請求項１〜８のいずれかに記載の多層情報記録媒体。
【請求項１０】
前記第１の反射面は、多層情報記録媒体に固有の識別情報を反射層を焼ききることにより記録するＢＣＡ領域を含むことを特徴とする請求項９に記載の多層情報記録媒体。
【請求項１１】
前記第２の反射面は、レーザ光によってあらかじめ初期記録がなされていることを特徴とする請求項１〜１０のいずれかに記載の多層情報記録媒体。
【請求項１２】
前記第２の反射面は、反射層を焼ききることで形成されていることを特徴とする請求項１〜１０のいずれかに記載の多層情報記録媒体。
【請求項１３】
前記第２の反射面は、反射層が形成されていないことを特徴とする請求項１〜１０のいずれかに記載の多層情報記録媒体。
【請求項１４】
隣接する情報面の間隔は６μｍ〜３０μｍであることを特徴とする請求項１〜１３のいずれかに記載の多層情報記録媒体。
【請求項１５】
前記第１の反射面のうちの少なくとも２箇所以上にディスク管理情報が記録されていることを特徴とする請求項１〜１４のいずれかに記載の多層情報記録媒体。
【請求項１６】
前記ディスク管理情報が記録されている領域は、上下の情報面で重ならないように配置されていることを特徴とする請求項１５記載の多層情報記録媒体。
【請求項１７】
情報面単位でユーザデータ領域へのデータ記録を禁止する書き込み禁止フラグが記録され、前記書き込み禁止フラグにより禁止された情報面へのデータ記録が禁止されることを特徴とする請求項１〜１６のいずれかに記載の多層情報記録媒体。
【請求項１８】
前記複数の情報面は、第１から第ｎの情報面を含み、
ＭＯＤ（ｎ／４）＝１，２（但し、ＭＯＤは数値ｎを除数４で割ったときの剰余）となる情報面は、光ディスク媒体の内周側から外周側に向かって記録又は再生が行われ、
ＭＯＤ（ｎ／４）＝３，０となる情報面は、光ディスク媒体の外周側から内周側に向かって記録又は再生が行われることを特徴とする請求項１〜１７のいずれかに記載の多層情報記録媒体。
【請求項１９】
ＭＯＤ（ｎ／４）＝１，２となる情報面は、光ディスク媒体の内周側から外周側に向かってアドレスが記録されており、
ＭＯＤ（ｎ／４）＝３，０となる情報面は、光ディスク媒体の外周側から内周側に向かってアドレスが記録されていることを特徴とする請求項１８記載の多層情報記録媒体。
【請求項２０】
前記複数の情報面は、第１から第ｎ（ｎは偶数）の情報面を含み、
第１から第ｎ／２の情報面は、光ディスク媒体の内周側から外周側に向かって記録又は再生が行われ、
第（ｎ／２）＋１から第ｎの情報面は、光ディスク媒体の外周側から内周側に向かって記録又は再生が行われることを特徴とする請求項１〜１７のいずれかに記載の多層情報記録媒体。
【請求項２１】
第１から第ｎ／２の情報面は、光ディスク媒体の内周側から外周側に向かってアドレスが記録されており、
第（ｎ／２）＋１から第ｎの情報面は、光ディスク媒体の外周側から内周側に向かってアドレスが記録されていることを特徴とする請求項２０記載の多層情報記録媒体。
【請求項２２】
前記第１から第ｎの情報面は、第１から第ｎの情報面に向かってレーザ入射面に近づくよう形成されていることを特徴とする請求項１８〜２１のいずれかに記載の多層情報記録媒体。
【請求項２３】
積層された複数の情報面を有する多層記録媒体から情報を記録又は再生する情報記録再生装置であって、
前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含み、
前記多層情報記録媒体が有する信号トラックに対して、信号の記録または再生を行うためのレーザ光を照射するレーザ光照射部と、
前記レーザ光の球面収差を補正する球面収差補正部と、
前記レーザ光を照射する情報面に応じて、前記レーザ光の焦点位置を制御する制御部と、
前記多層情報記録媒体の前記第１の反射面にレーザ光を照射し、情報面の数を判別する媒体判別部とを備えることを特徴とする情報記録再生装置。
【請求項２４】
前記媒体判別部は、フォーカスエラー信号の波形情報から情報面の数を判別することを特徴とする請求項２３記載の情報記録再生装置。
【請求項２５】
情報面単位でユーザデータ領域へのデータ記録を禁止する書き込み禁止フラグを設定するフラグ設定部と、
前記フラグ設定部によって前記書き込み禁止フラグが設定された情報面へのデータ記録を行わない記録部とをさらに備えることを特徴とする請求項２３又は２４記載の情報記録再生装置。
【請求項２６】
積層された複数の情報面を有する多層情報記録媒体の製造方法であって、
片面に情報面が形成された基板上に、反射層を形成する第１の工程と、
前記反射層の上に、情報面を有する透光性の中間層を形成する第２の工程と、
前記中間層の前記情報面側に反射層を形成する第３の工程と、
前記第２の工程と前記第３の工程とを複数回繰り返して複数の情報面を形成した後、透光性の保護層を形成する第４の工程と、
光が入射したときに、前記光を所定の第１の戻り光量で反射させる第１の反射面を少なくとも１つの情報面に形成するとともに、前記光を前記第１の戻り光量よりも小さい第２の戻り光量で反射させる第２の反射面を他の情報面に形成する第５の工程とを含むことを特徴とする多層情報記録媒体の製造方法。
【請求項２７】
前記第５の工程は、前記他の情報面に対して、レーザ光によってあらかじめ初期記録することにより第２の反射面を形成することを特徴とする請求項２６記載の多層情報記録媒体の製造方法。
【請求項２８】
前記第５の工程は、前記他の情報面に対して、レーザ光によってあらかじめ反射層を焼ききることにより第２の反射面を形成することを特徴とする請求項２６記載の多層情報記録媒体の製造方法。
【請求項２９】
前記第１及び第３の工程は、反射層を形成する際に、前記他の情報面に対してマスク処理を行うことにより第２の反射面を形成することを特徴とする請求項２６記載の多層情報記録媒体の製造方法。
【請求項３０】
前記複数の情報面は、第１から第ｎの情報面を含み、
ＭＯＤ（ｎ／４）＝１，２（但し、ＭＯＤは数値ｎを除数４で割ったときの剰余）となる情報面と、ＭＯＤ（ｎ／４）＝３，０となる情報面とは、スパイラルの方向がそれぞれ反対となるように形成されることを特徴とする請求項２６〜２９のいずれかに記載の多層情報記録媒体の製造方法。
【請求項３１】
ＭＯＤ（ｎ／４）＝１，２となる情報面は、光ディスク媒体の内周側から外周側に向かってアドレスが順番に形成され、ＭＯＤ（ｎ／４）＝３，０となる情報面は、光ディスク媒体の外周側から内周側に向かってアドレスが順番に形成されることを特徴とする請求項３０記載の多層情報記録媒体の製造方法。
【請求項３２】
前記複数の情報面は、前記第１から第ｎ（ｎは偶数）の情報面を含み、
第１から第ｎ／２の情報面と、第（ｎ／２）＋１から第ｎの情報面とは、スパイラルの方向がそれぞれ反対となるように形成されることを特徴とする請求項２６〜２９のいずれかに記載の多層情報記録媒体の製造方法。
【請求項３３】
第１から第ｎ／２の情報面は、光ディスク媒体の内周側から外周側に向かってアドレスが順番に形成され、第（ｎ／２）＋１から第ｎの情報面は、光ディスク媒体の外周側から内周側に向かってアドレスが順番に形成されることを特徴とする請求項３２記載の多層情報記録媒体の製造方法。
【請求項３４】
前記第１から第ｎの情報面は、第１から第ｎの情報面に向かってレーザ入射面に近づくよう形成されることを特徴とする請求項３０〜３３のいずれかに記載の多層情報記録媒体の製造方法。
【手続補正２】
【補正対象書類名】明細書
【補正対象項目名】全文
【補正方法】変更
【補正の内容】
【発明の詳細な説明】
【技術分野】
【０００１】
本発明は、積層された複数の情報面を有し、光によって情報を記録又は再生する多層情報記録媒体、その多層情報記録媒体の製造方法、及びデジタルビデオ情報などの情報を高密度で多層情報記録媒体に記録するとともに、多層情報記録媒体に記録された情報を再生する情報記録再生装置に関するものである。
【背景技術】
【０００２】
高密度・大容量の記憶媒体として、ピット状パターンを有する光ディスク媒体を用いる光メモリ技術は、ディジタル・バーサタイル・ディスク（ＤＶＤ）、ビデオディスク、文書ファイルディスク、さらにはデータファイルと用途を拡張しつつ、実用化されてきている。例えば、直径１μｍ以下の微小に絞られた光ビームを介して、光ディスク媒体に対して高い信頼性のもとに情報の記録・再生が首尾よく遂行されるために要求される機能は、回折限界の微小スポットを形成する集光機能、光学系の焦点制御機能（フォーカスサーボ）、トラッキング制御機能、及びピット信号（情報信号）検出機能に大別される。
【０００３】
近年、光ディスク媒体の記録密度を一層高密度化するため、光ディスク媒体上に光ビームを収束させて回折限界の微小スポットを形成する対物レンズの開口数（ＮＡ）を拡大することが検討されている。しかし、光ディスク媒体の記録層を保護する基材厚みの誤差に起因する球面収差はＮＡの４乗に比例するため、例えばＮＡを０．８や０．８５等に大きくする場合には、球面収差が飛躍的に大きくなってしまう。従って、開口数を大きくする場合、光学系に球面収差を補正する手段を設けることが不可欠になる。
【０００４】
このような球面収差を補正する方法としては、例えば特許文献１に示した方法がある。図１９は、特許文献１に示す従来の光ディスク装置の構成を示す図である。図１９で収差補正量切替手段６１４には、基準厚みを１００μｍとして、球面収差補正量が０ｍλである収差補正量（ａ）、基準厚みに対して基材厚が薄い光ディスク媒体の球面収差を補正するための収差補正量（ｂ）、及び基準厚みに対して基材厚が厚い光ディスク媒体の球面収差を補正するための収差補正量（ｃ）からなる３種類の球面収差補正量がフォーカス制御を行う光ディスク媒体の情報面ごとに予め設定されている。収差補正量切替手段６１４は、これらの収差補正量のうちから、ディスク判別手段６１２からのディスク判別信号６１３に応じて適切な球面収差補正量を選択し、切り替える。これにより、ＮＡの大きな対物レンズを用いて高密度の光ディスク媒体に対して記録又は再生する場合に、フォーカス制御を行う光ディスク媒体の情報面に適した球面収差補正が行われるので、安定してフォーカス制御を行うことができる。
【０００５】
ところで、近年、光ディスク媒体の片面に２つの情報面を有した光ディスク媒体（２層光ディスク媒体）として、８．５ＧＢの容量をもつ２層ＤＶＤ−Ｒのような追記型光ディスク媒体や、青色レーザ光源を用いて記録再生を行う５０ＧＢの容量をもつ２層Ｂｌｕ−ｒａｙディスク媒体のような書き換え可能な光ディスク媒体等が商品化されている。このような２層光ディスク媒体は、単層光ディスク媒体に比べて２倍近く記憶容量を増大することができる。このような２層以上の情報面をもつ多層光ディスク媒体のディスクフォーマットに関して、例えば特許文献２に示したフォーマットがある。
【０００６】
特許文献２に示されたフォーマットによると、情報面がレーザ入射側から１層である単層光ディスク媒体と、２層以上の複数層光ディスク媒体とにおいて、第１層となる情報面Ｌ０はディスク厚み方向において、レーザ光が入射されるカバー層表面からの距離を同一とする。また複数層光ディスク媒体においては、第２の情報面Ｌ１以降の情報面は、第１の情報面Ｌ０よりもカバー層表面に近づく位置に形成される。このため、単層光ディスク媒体と、２層、３層、或いは更に多数層の複数層光ディスク媒体のそれぞれにおいて、第１層としての記録層（例えば相変化記録膜の記録層）はポリカーボネート基板上に同様に形成することができ、製造工程の共通化が図られると共に、１層光ディスク媒体、複数層光ディスク媒体とも同様の記録再生特性を得ることができる。
【０００７】
また、複数層光ディスク媒体においては、第２層以降の記録層は、第１層よりもカバー層表面に近づく位置に形成されているため、第２層以降の記録層は、それぞれ各記録層からカバー層表面までの距離が短くなる。つまり、各層からみてカバー層の厚さが薄くなる。これにより光ディスク媒体と光ビームのチルト（傾き）許容角度が拡大する。即ち、第２層以降の記録層のチルトマージンを、第１層の記録膜に比較して緩めることができるため、記録再生特性の向上、ディスク生産性の向上、及びコストダウンを促進できる。
【０００８】
また、前述の２層光ディスク媒体にフォーカス制御する方法に関して、例えば特許文献３に示した方法がある。特許文献３によると多層光ディスク媒体のようにそれぞれの情報面からの全反射光量のレベルが低くなる場合であっても、情報面に対するフォーカス引き込みを確実にするための方法が開示されている。
【０００９】
さらに、特許文献４には、ＢＤフォーマットに対応する記録面と、ＤＶＤフォーマットに対応する記録面とを有する光記録媒体が開示されている。特許文献４における光記録媒体は、異なるフォーマットに対応した光記録再生装置に対して装着可能な互換性を有している。
【特許文献１】特開２００２−３７３４４１号公報
【特許文献２】特開２００３−３４６３７９号公報
【特許文献３】国際公開第０２／０６７２５０号パンフレット
【特許文献４】特開２００６−２３６５０９号公報
【発明の開示】
【発明が解決しようとする課題】
【００１０】
上記の特許文献１に記載の従来の球面収差補正方法は、ディスク判別手段を用いて光ディスク媒体の種類を判別し、フォーカス制御の対象である記録面の厚みに対応した球面収差補正量を収差補正量切替手段で予め補正する方法である。しかしながら、記録面が２層までの光ディスク媒体を想定した光ディスク装置では、当初設定範囲外の光ディスク媒体、例えばレーザ入射面から片側４層の情報記録面を持った光ディスク媒体などが挿入された場合、エラー処理を実施して光ディスク媒体を排出するなどして、挿入された光ディスク媒体に対するアクセス制御を中止し、光ディスク媒体に対して記録または再生動作ができない。あるいは、動作したとしても、最適な条件で光ディスク媒体を起動することができないという課題があった。
【００１１】
また、特許文献２に記載の従来の多層光ディスク媒体は、情報面がレーザ入射側からディスク厚み方向において、カバー層表面に近づく位置に形成されている。この場合、多層光ディスク媒体を設計、開発すると同時に、その多層光ディスク媒体を記録／再生することができる光ディスク装置が設計、開発されれば問題ない。しかしながら、多層光ディスク媒体の全ての種類のフォーマットがあらかじめ決まる前に発売されているレガシードライブにおいて、旧来のフォーマットの光ディスク媒体に記録あるいは再生する場合には制限がある。例えば、既に発売済の２層光ディスク媒体に対応の光ディスク装置において、４層光ディスク媒体のように情報面が片側２層を超えるような光ディスク媒体が挿入された場合、正しく４層光ディスク媒体と判別することは不可能である。
【００１２】
また、複数の情報面のうち第１の情報面Ｌ０の厚みと第２の情報面Ｌ１の厚みとが、従来の発売済の２層光ディスク媒体と同一の厚みであったとしても、ディスク判別時に２層光ディスク媒体でないと判断された場合には、４層光ディスク媒体に記録あるいは再生を行うことができない。例えば、情報面が４層であるディスクのフォーマットが開示される前に発売された、情報面が２層であるディスクを光ディスク装置に挿入した場合、光ディスク装置の起動時に行われる起動手順によっては、４層光ディスク媒体を排出してしまい、新フォーマットの４層光ディスク媒体に対して記録あるいは再生することはできない。
【００１３】
本発明は、上記の課題を解決するためになされたもので、既に発売されている、あるいはフォーマットが既知の情報記録媒体との下位互換性を確保することができ、新フォーマットの多層情報記録媒体を既に広まっている情報記録再生装置を使って記録再生することができる多層情報記録媒体、情報記録再生装置及び多層情報記録媒体の製造方法を提供することを目的とする。
【課題を解決するための手段】
【００１４】
本発明の一局面に係る多層情報記録媒体は、積層された複数の情報面を有し、光によって情報を記録又は再生する多層情報記録媒体であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含む。
【００１５】
本発明の他の局面に係る情報記録再生装置は、積層された複数の情報面を有する多層記録媒体から情報を記録又は再生する情報記録再生装置であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含み、前記多層情報記録媒体が有する信号トラックに対して、信号の記録または再生を行うためのレーザ光を照射するレーザ光照射部と、前記レーザ光の球面収差を補正する球面収差補正部と、前記レーザ光を照射する情報面に応じて、前記レーザ光の焦点位置を制御する制御部と、前記多層情報記録媒体の前記第１の反射面にレーザ光を照射し、情報面の数を判別する媒体判別部とを備える。
【００１６】
本発明の他の局面に係る多層情報記録媒体の製造方法は、積層された複数の情報面を有する多層情報記録媒体の製造方法であって、片面に情報面が形成された基板上に、反射層を形成する第１の工程と、前記反射層の上に、情報面を有する透光性の中間層を形成する第２の工程と、前記中間層の前記情報面側に反射層を形成する第３の工程と、前記第２の工程と前記第３の工程とを複数回繰り返して複数の情報面を形成した後、透光性の保護層を形成する第４の工程と、光が入射したときに、前記光を所定の第１の戻り光量で反射させる第１の反射面を少なくとも１つの情報面に形成するとともに、前記光を前記第１の戻り光量よりも小さい第２の戻り光量で反射させる第２の反射面を他の情報面に形成する第５の工程とを含む。
【発明の効果】
【００１７】
本発明によれば、既に発売されている情報記録媒体の情報面と一致する少なくとも１つの情報面へのフォーカス引き込みを確実に実行することができるので、既に発売されている、あるいはフォーマットが既知の情報記録媒体との下位互換性を確保することができ、新フォーマットの多層情報記録媒体を既に広まっている情報記録再生装置を使って記録再生することができる。
【発明を実施するための最良の形態】
【００１８】
以下、本発明の一実施の形態に係る多層情報記録媒体について図面を参照しながら説明する。なお、本実施の形態では多層情報記録媒体として追記型の相変化光ディスク媒体を例に説明するが、これは多層情報記録媒体を特に限定するものではなく、多層情報記録媒体にエネルギーを注入して未記録部とは物理的性質の異なるマークを形成することによって情報を記録する多層情報記録媒体（ＢＤ−ＲＥなどの書き換え型記録媒体やＢＤ−Ｒなどの追記型記録媒体）あるいは、凹凸のピット等の物理形状の違いによって情報を記録する再生専用の光ディスク媒体に共通の技術である。
【００１９】
主な光学条件は、波長４０５ｎｍのレーザと、ＮＡ＝０．８５の対物レンズとを用いる。ディスク構造は、トラックピッチが０．３２μｍであり、レーザ入射面から情報面までの厚みが２５μｍ〜１３０μｍである。光ディスク媒体上には０．１３８μｍから０．１６０μｍの最短マーク長（２Ｔ）をもつ信号がマークあるいはピットとして記録され、１層当たりの記録容量が２３．３ＧＢから２７ＧＢの多層光ディスク媒体を例として説明する。また、書き込み時の速度としては、６６ＭＨｚ（Ｔｗ＝１５．１５ｎｓ）のチャネルレートを１倍速とするＢＤ（Ｂｌｕ−ｒａｙディスク）において、チャネルレートが１３２ＭＨｚ（Ｔｗ＝７．５８ｎｓ）であるＢＤ２倍速の場合を例に説明する。この場合、記録線速度は９．８３ｍ／ｓである。
【００２０】
まず、本実施の形態における多層情報記録媒体である多層光ディスク媒体について説明する。図１は、本実施の形態における光学的情報記録媒体の構成について説明するための図である。図１では、多層光ディスク媒体の平面上の領域構成を示している。光ディスク媒体内の平面領域としては、内周側から、リードイン領域１００６と、データ領域１００１と、リードアウト領域１００５とが配置されている。リードイン領域１００６は、ＢＣＡ（Ｂｕｒｓｔ  Ｃｕｔｔｉｎｇ  Ａｒｅａ）１００２、初期記録領域（Ｐｒｅ−ｒｅｃｏｒｄｅｄ  ａｒｅａ）１００３、及び学習領域及びＤＭＡ領域１００４を含む。
【００２１】
次に、参考例として従来の２層光ディスク媒体の各層のトラックレイアウトについて説明する。図２は、従来の２層光ディスク媒体の各層のトラックレイアウトを説明するための図である。
【００２２】
図２においてリードイン領域は、第１の情報面Ｌ０の半径およそ２４ｍｍより内側に位置している。半径２１〜２２．２ｍｍの位置に媒体固有のユニークＩＤを情報面を焼ききる形式等で予め記録したＢＣＡ（Ｂｕｒｓｔ  Ｃｕｔｔｉｎｇ  Ａｒｅａ）がある。ＢＣＡは、記録マークを同心円状に並べるように形成することで、バーコード状の記録データが形成される。
【００２３】
半径２２．２〜２３．１ｍｍが初期記録領域（Ｐｒｅ−ｒｅｃｏｒｄｅｄ  ａｒｅａ）とされる。初期記録領域は、あらかじめ、記録パワーや記録パルス条件の推奨値、記録線速度の条件等のディスク情報や、コピープロテクションに用いる情報等を、ＨＦＭグルーブとよばれるスパイラル状に形成されたグルーブ（案内溝）をウォブリング（蛇行）させることによって記録している（プリレコーデッド情報）。これらのプリレコーデッド情報は書換不能な再生専用の情報であり、ディスク出荷時に予め記録されている。つまりＢＣＡと初期記録領域とが再生専用領域となる。
【００２４】
リードイン領域において半径２３．１〜２４ｍｍには、試し記録を行う学習領域及びディフェクトマネジメントエリア（ＤＭＡ）が設けられている。学習領域は、光ディスク装置に光ディスク媒体が挿入された起動時や、動作中に温度変動が大きく生じた際に、記録パワーや記録パルス条件の変動分をキャリブレーションするために、試し記録が行われる。ディフェクトマネジメントエリア（ＤＭＡ）は、光ディスク媒体上のディフェクト情報を管理するための領域である。
【００２５】
半径２４．０〜５８．０ｍｍには、データ領域が設けられている。データ領域は、実際にユーザが希望するデータが書き込まれる領域である。データ領域には、ＰＣユース等において、ディフェクト等により記録再生できない部分が存在した場合、記録再生できない部分（セクタ、クラスタ）を交替する交替エリアとして、ユーザデータを記録再生するデータエリアの前後にＩＳＡ（Ｉｎｎｅｒ  Ｓｐａｒｅ  Ａｒｅａ）、ＯＳＡ（Ｏｕｔｅｒ  Ｓｐａｒｅ  Ａｒｅａ）を設定する。ビデオ記録再生等の、高転送レートのリアルタイム記録では、交替エリアを設定しない場合もある。
【００２６】
半径５８．０〜５８．５ｍｍには、リードアウト領域が設けられている。リードアウト領域は、リードイン領域と同様のディフェクトマネジメントエリアが設けられたり、また、シークの際、オーバーランしてもよいようにバッファエリアとして使われる。なお記録再生の終了領域としての意味でのリードアウトは、複数層光ディスク媒体の場合は内周側となることもある。半径２３．１ｍｍ、つまり学習領域から、外周のアウターゾーンあるいはリードアウト領域までが、相変化マークが記録再生されるデータ領域（記録可能領域）とされる。
【００２７】
従来の２層光ディスク媒体において、第１の情報面Ｌ０以外の情報面にはＢＣＡに相当するエリアは設けられているが、ユニークＩＤの記録は行わない。第１の情報面Ｌ０のＢＣＡには、高出力のレーザで記録層を焼ききる記録方式により、半径方向にバーコード状の信号が記録される。この際、第１の情報面Ｌ０のＢＣＡと厚み方向に同じ位置にある、第２の情報面Ｌ１にユニークＩＤ等のＢＣＡ情報を新たに記録しても、信頼性のある記録ができない可能性があるからである。また、逆にいえば、第２の情報面Ｌ１にはＢＣＡ記録を行わないことにより、第１の情報面Ｌ０のＢＣＡの信頼性を高めるものとなる。
【００２８】
また、初期記録領域については、少なくとも第１の情報面Ｌ０に初期値情報を記録してある。また、第１の情報面Ｌ０の内周側がインナーゾーンとなり、外周側がアウターゾーンとなる。その場合、第１の情報面Ｌ０のアドレスのオーダーは、内周から外周の方向に記録されており、記録再生は内周から外周の方向に行う。第２の情報面Ｌ１では、内周側がリードアウト領域となり、外周側がアウターゾーンとなる。その場合、第２の情報面Ｌ１のアドレスのオーダーは、外周から内周の方向に記録されており、記録再生は外周から内周の方向に行う。このような記録再生の進行が行われることで、外周から内周へのフルシークを必要とせず、第１の情報面Ｌ０は内周側から外周側に向かって、第２の情報面Ｌ１は外周側から内周側に向かって順次記録再生することができ、ビデオ記録再生等の、高転送レートのリアルタイム記録を長時間行うことができる。
【００２９】
図３は、本実施の形態においてレーザ入射側から４つの情報面を有する４層光ディスク媒体のスタック構成を示す概略図である。４層光ディスク媒体は、基板９０５、第１の情報面Ｌ０、第２の情報面Ｌ１、第３の情報面Ｌ２、第４の情報面Ｌ３及びカバー層９０９を備える。レーザ光は、カバー層９０９側から入射する。基板９０５の厚みは概略１．１ｍｍであり、カバー層９０９の厚みは少なくとも２５μｍ以上である。各情報面は、透明なスペース層９０６〜９０８で隔てられている。本実施の形態においては、具体例として、カバー層９０９の厚みは６０μｍであり、第４の情報面Ｌ３と第３の情報面Ｌ２との間の厚みは１０μｍであり、第３の情報面Ｌ２と第２の情報面Ｌ１との間の厚みは１７μｍであり、第２の情報面Ｌ１と第１の情報面Ｌ０との間の厚みは１３μｍであるが、スペース層で隔てられた各情報面の間隔は、４層光ディスク媒体の場合６μｍ〜３０μｍの間であればよい。スペース層で隔てられた情報面の間隔は、各情報面からの回折光の干渉（層間干渉）が少なくなるよう最適化されており、上述のスペース間距離に限定されるわけではない。
【００３０】
次に、４つの情報面を有する４層光ディスク媒体の各層のトラックレイアウトについて説明する。図４は、本実施の形態における４層光ディスク媒体の各層のトラックレイアウトを説明するための図である。
【００３１】
図４において、４層光ディスク媒体の第１の情報面Ｌ０は、情報面が１つの単層光ディスク媒体の情報面あるいは、図２で示した情報面が２つの２層光ディスク媒体の第１の情報面Ｌ０と同様のトラックレイアウトである。同様に４層光ディスク媒体の第２の情報面Ｌ１は、図２で示した情報面が２つの２層光ディスク媒体の第２の情報面Ｌ１と同様のトラックレイアウトである。ただし、第２の情報面Ｌ１における内周側となったリードアウトゾーンは、３層以上の情報面をもった多層光ディスク媒体では記録再生終端ではないためインナーゾーンとなる。
【００３２】
第３の情報面Ｌ２と第４の情報面Ｌ３の内周部は、第１及び第２の情報面Ｌ０，Ｌ１の内周部のトラックレイアウトと異なっている。通常、各情報面における初期記録領域は、同一の半径位置に並ぶよう配置されるが、本実施の形態の多層光ディスク媒体においては、第３の情報面Ｌ２の初期記録領域は図４で示すとおり第１の情報面Ｌ０のＢＣＡや初期記録領域の半径位置と大きく重ならないように配置されている。これにより、第１の情報面Ｌ０のＢＣＡ及び初期記録領域を再生する際、第４の情報面Ｌ３及び第３の情報面Ｌ２を通過する光ビームが散乱や回折を受けて、再生信号品質の低下を少なくする構成がなされている。
【００３３】
第３の情報面Ｌ２では、初期記録領域に対応するトラックの蛇行で形成されたＨＦＭグルーブは半径２３．１ｍｍの位置から開始され、ユーザデータ領域が開始される２４．０ｍｍの位置までの間に形成されている。初期記録領域の外側には、学習領域とＤＭＡ領域とが配置されている。同様に第４の情報面Ｌ３では、半径２３．１ｍｍの位置から外側に学習領域とＤＭＡ領域とが配置されている。４層光ディスク媒体において、第１の情報面Ｌ０以外の情報面にはＢＣＡに対する記録は行わない。
【００３４】
また、初期記録領域は、第１の情報面Ｌ０と、第３の情報面Ｌ２及び第４の情報面Ｌ３の内の少なくとも１つとに設けられ、記録媒体全体で合計少なくとも２面にディスク管理情報が記録されている。第１の情報面Ｌ０の初期記録領域には、第１の情報面Ｌ０及び第２の情報面Ｌ１の記録パワー、記録パルス条件、ディスクバージョン及びレイヤー番号などの情報が記録されており、さらに従来リザーブ領域として使われていなかった管理領域内の所定の領域に、第３の情報面Ｌ２及び第４の情報面Ｌ３のディスク管理情報を記録している。こうすることで、ディスク管理情報を従来の光ディスク装置で読み出すことができるだけでなく、新しい多層光ディスク媒体用の光ディスク装置においては、第１の情報面Ｌ０から第４の情報面Ｌ３までの全ての情報面のディスク管理情報を一括して読み出すことができ、起動時間を短縮できる。
【００３５】
また、第３の情報面Ｌ２には、少なくとも第３の情報面Ｌ２及び第４の情報面Ｌ３に関する記録パワー及び記録パルス条件等の情報が記録されている。第３の情報面Ｌ２には、従来の２層光ディスク媒体で記録されている第１の情報面Ｌ０及び第２の情報面Ｌ１に関する記録パワー及び記録パルス条件等の情報を省略することにより、第３の情報面Ｌ２の記録スペースを節約することができる。
【００３６】
また、第３の情報面Ｌ２のインナーゾーンの追記可能な記録エリアには、第３の情報面Ｌ２及び第４の情報面Ｌ３のユーザデータ領域への記録の可否を示すフラグ情報が記録される。フラグ情報が第３の情報面Ｌ２及び第４の情報面Ｌ３への記録不可状態になっている場合は、第３の情報面Ｌ２及び第４の情報面Ｌ３にデータを記録することはできず、第１の情報面Ｌ０及び第２の情報面Ｌ１のみにデータを記録することとなる。フラグ情報は、従来の２層光ディスク媒体対応ドライブでは読み出すことができないが、４層対応の光ディスク装置においては、読み出し、書き込みあるいは書き換えをすることが可能である。４層対応光ディスク装置は、本フラグ情報を用いることにより、２層対応光ディスク装置で読み出し可能な状態になるよう４層光ディスク媒体にデータを記録することができる。即ち、４層対応光ディスク装置は、４層光ディスク媒体において、２層光ディスク媒体と同じ領域にのみ同一フォーマットでデータを記録することで、既に発売済で広く市場に存在する２層対応光ディスク装置を使ってデータの読み出しが可能となる。
【００３７】
また、４層対応光ディスク装置は、第３の情報面Ｌ２及び第４の情報面Ｌ３へデータの記録を禁止する状態にフラグ情報を設定し、２層光ディスク媒体と同じ領域にデータを記録した後、第３の情報面Ｌ２及び第４の情報面Ｌ３へデータの記録を許可する状態にフラグ情報を設定し、４層光ディスク媒体全体へデータを記録することもできる。こうすることで、ユーザは、２層対応光ディスク装置と４層対応光ディスク装置との間で１枚の光ディスク媒体を共有することができ、データを自由にやり取りすることが可能となる。
【００３８】
また、第３の情報面Ｌ２及び第４の情報面Ｌ３の半径２３．１ｍｍより内周側は、スパイラル状の溝を持ったトラックを形成する他に、溝を形成せずに鏡面を形成してもよい。このように、第３の情報面Ｌ２及び第４の情報面Ｌ３の初期記録領域及びＢＣＡに相当する領域を鏡面状にすることで、溝による回折光を低減し、第１の情報面Ｌ０及び第２の情報面Ｌ１へのフォーカス引き込みを容易にすることが可能となる。
【００３９】
また、図４において、領域２０１と領域２０２とはそれぞれ第３の情報面Ｌ２及び第４の情報面Ｌ３の内周部における低反射率領域（ＬＲＡ；Ｌｏｗ  Ｒｅｆｌｅｃｔｉｖｉｔｙ  Ａｒｅａ）となっており、これらの領域でのレーザ光の反射や散乱をできるだけ少なくし、第１の情報面Ｌ０及び第２の情報面Ｌ１にレーザ光を効率よく集光するための構造になっている。低反射率領域の反射率は概略０にするか、あるいは、低反射率領域とそれ以外の領域とで反射率に差をつけた条件として設計する。例えば、レーザ出射光に対する戻り光量の比である戻り光量比をＲとしたとき、低反射率領域での戻り光量比Ｒｄの範囲は０≦Ｒｄ＜３．５％となるように設計し、それ以外の領域での戻り光量比Ｒｂの範囲は３．５％≦Ｒｂ≦８％となるように設計する。あるいは、低反射率領域での戻り光量比Ｒｄと、低反射率領域以外の領域での戻り光量比Ｒｂとの関係が２×Ｒｄ＜Ｒｂとなるように設計してもよい。
【００４０】
ディスク表面（厚み０μｍ）からの反射率は理論的に約４％であり、この表面反射率を下回る反射高レベルに戻り光量比Ｒｄを設定する。レーザ光が光ディスク表面へ入射する際には、カバー層を透過して情報面に集光される。このカバー層樹脂の屈折率ｎは、およそ１．５±０．１である。一般に、光が空気中から媒質へ垂直入射した場合の表面からの反射率は、媒質の屈折率をｎとすると、Ｒ＝（１−ｎ）２／（１＋ｎ）２で表される。これにより、カバー層樹脂表面からの反射率Ｒは３％〜５％と計算される。ただし、本実施の形態における多層光ディスク媒体のように、１００μｍの入射厚みを有する情報面に光学系が収差補正されている場合、ディスク表面ではカバー層厚み分の球面収差が生じるため、表面からの戻り光量が約７０％に減衰する。表面反射率に球面収差の減衰量を掛け合わせた値が実際の表面からの戻り光量となり、表面反射率は、２％〜３．５％程度となる。
【００４１】
カバー層樹脂の屈折率の値が予め決まっていることから、光ディスク装置には、表面反射率は約３％の値であることが予め記憶されている。表面反射によるＲＦ信号の振幅値よりも、低反射率領域からの戻り光量が小さい場合、ディスク表面からの反射光であると誤検出する可能性が低くなる。そこで、低反射率領域の反射率は、この表面からの戻り光（表面反射）よりも小さくすることが望まれる。
【００４２】
表面からのＳ字波形の検出を確実にするためには、表面Ｓ字波形の半分をスライスレベルにして検出するのが一番確実な方法である。したがって、低反射率領域での戻り光量比Ｒｄは、表面反射率の１／２以下にするのが最も効果が高くなる。このように、情報記録再生装置に記憶されている値より小さい反射光量となるように、低反射率領域での戻り光量比Ｒｄを設計することで、２層対応情報記録再生装置で多層情報記録媒体を利用することができる。
【００４３】
また、第３の情報面Ｌ２及び第４の情報面Ｌ３からの反射光や散乱光を低減することによって、ディスク起動時に第１の情報面Ｌ０あるいは第２の情報面Ｌ１へのフォーカス引き込みを容易にすることが可能である。ディスク挿入時又は光ディスク装置の起動時のシーケンスとしては、第１の情報面Ｌ０の内周部にあるＢＣＡが再生される。レーザ光のフォーカス引き込みの実行処理は、ＢＣＡがある内周部で行われるのが一般的である。第１の情報面Ｌ０のＢＣＡを含む半径位置である第３の情報面Ｌ２の領域２０１及び第４の情報面Ｌ３の領域２０２は、第１の情報面Ｌ０及び第２の情報面Ｌ１の同一半径位置における領域に比べて反射率が低く設定されており、第３の情報面Ｌ２及び第４の情報面Ｌ３からの反射光を少なくする。これにより、第１の情報面Ｌ０のＢＣＡへのフォーカス引き込みを確実に実行することができる。
【００４４】
なお、本実施の形態において、第１及び第２の情報面におけるＢＣＡ及び初期記録領域が第１の反射面に相当し、第３及び第４の情報面における低反射率領域が第２の反射面に相当する。
【００４５】
前述の第３の情報面Ｌ２及び第４の情報面Ｌ３の内周部の低反射率領域（ＬＲＡ）の形成方法としては、ディスク出荷前のディスク製造工程において、情報面の成膜後、レーザ初期化装置によって、第３の情報面Ｌ２及び第４の情報面Ｌ３のそれぞれの記録層に対して記録パワーのレーザ光を照射してあらかじめ強制的にマークを形成するプリ記録を行うことによって、低反射状態を実現する方法がある。また、レーザ初期化装置だけでなく、ＢＣＡライターの照射パワーを下げるなどして、マークが形成される記録パワーでプリ記録を行う方法でもよい。これらの方法を用いた場合、光ディスク媒体を通常の成膜プロセスで製作することができ、ディスク製造工程に特殊な設備を付加することが必要なく、容易に多層光ディスク媒体を量産することができる。
【００４６】
また、別の方法として、ＢＣＡライターなどが備える高出力レーザの集光ビームを使って所望の情報面の反射層を焼ききるなどして、低反射率領域を形成する方法もある。または、例えばスパッタ装置を使って反射層を成膜する際、内周部の低反射率領域にマスクをすることで、内周部に反射層を成膜しない方法もある。この場合、マスクの径を変更することで容易に低反射率領域を形成することができるため、ディスク製造後、レーザ光によりプリ記録する工程や、反射層を焼ききって低反射率領域を形成する工程が不要となり、従来のディスク製造工程をそのまま利用することができる。
【００４７】
なお、本実施の形態では、複数の情報面のうち、従来の光ディスク媒体、例えば２層構造の光ディスク媒体と互換性のある情報面の内周部（ＢＣＡ及び初期記録領域）の反射率を、他の情報面の内周部の反射率よりも高くしているが、本発明は特にこれに限定されず、従来の光ディスク媒体と互換性のある情報面以外の情報面のデータ領域の反射率を、互換性のある情報面の反射率より下げてもよい。例えば、第３の情報面Ｌ２及び第４の情報面Ｌ３のデータ領域の反射率を、第１の情報面Ｌ０及び第２の情報面Ｌ２のデータ領域の反射率よりも低く設定する。この場合、第３の情報面Ｌ２及び第４の情報面Ｌ３の内周部及びデータ領域等の全ての領域の反射率を、第１の情報面Ｌ０及び第２の情報面Ｌ２の全ての領域の反射率よりも低く設定してもよい。なお、この場合、第１及び第２の情報面におけるＢＣＡ、初期記録領域及びデータ領域が第１の反射面に相当し、第３及び第４の情報面における低反射率領域及びデータ領域が第２の反射面に相当する。
【００４８】
次に多層光ディスク媒体の情報面へのフォーカス引き込み時の動作について説明する。フォーカスエラー信号に非点収差法を用いる場合、フォーカスエラー信号のＳ字特性を使ってフォーカス引き込みを実行する。図５は、低反射率領域が形成されていない４層光ディスク媒体を用いた場合の各情報面のディスク表面からの厚みとフォーカスエラー信号との関係を示す図である。図５の直線４１は、紙面の左から右にいくにつれて、レーザ光の集光点がディスク表面から奥側にある情報面に向かって徐々に移動していることを表している。このとき、フォーカスエラー信号には光ディスク媒体の反射面（情報面）に応じて図５に示すようなＳ字波形４２が現れる。
【００４９】
球面収差補正部によってディスク入射面の厚みが第１の情報面Ｌ０に最適化されている場合、ディスク表面のＳ字波形、第４情報面Ｌ３のＳ字波形、第３情報面Ｌ２のＳ字波形、第２情報面Ｌ１のＳ字波形、及び第１情報面Ｌ０のＳ字波形の順に徐々にＳ字波形の振幅が大きくなる。これらの５つのＳ字波形４２がフォーカスエラー信号として現れることとなる。このような４層光ディスク媒体を、例えば既に発売されている２層対応の光ディスク装置でフォーカス引き込みを実施しようとすると、想定されているよりも多くのＳ字信号を検出してしまうこととなり、正確に所望の情報面へのフォーカス引き込みを実行することが困難となる。そこで、本実施の形態では、上述の通り、第３の情報面Ｌ２及び第４の情報面Ｌ３のフォーカスエラー信号を検出する位置に低反射率領域を設けている。
【００５０】
図６は、本実施の形態における４層光ディスク媒体を用いた場合の各情報面のディスク表面からの厚みとフォーカスエラー信号との関係を示す図である。図６の直線５１は、ディスク表面からのレーザビームスポットの焦点位置の変化を表し、図６のＳ字波形５２は、フォーカスエラー信号を表す。直線５１は、紙面の左から右にいくにつれて、レーザ光の集光点がディスク表面から奥側にある情報面に向かって徐々に移動していることを表している。このとき、フォーカスエラー信号には光ディスク媒体の反射面（情報面）に応じて図６に示すようなＳ字波形５２が現れる。
【００５１】
球面収差補正部によってディスク厚みが第１の情報面Ｌ０に最適化されている場合、図６に示す３つのＳ字波形５２が現れる。レーザ入射方向から順に、ディスク表面のＳ字波形、第２の情報面Ｌ１のＳ字波形、及び第１情報面Ｌ０のＳ字波形が現れる。低反射率領域が形成された４層光ディスク媒体では、これらの３つのＳ字波形がフォーカスエラー信号として現れる。これは、情報面が２つの２層光ディスク媒体のＳ字波形とほぼ同様のＳ字波形となる。よって、既に発売されている２層対応の光ディスク装置を使った場合、あたかも２層光ディスク媒体であるかのごとくフォーカス処理を実行することができ、容易に第１の情報面Ｌ０へのフォーカス引き込みが可能となりＢＣＡを再生することが可能となる。
【００５２】
また、本実施の形態では、多層光ディスク媒体として、４層の情報面をもつ４層光ディスク媒体を例に説明したが、低反射率領域を備えた５層以上の多層光ディスク媒体に応用できることはいうまでもない。
【００５３】
また、本実施の形態では、２層光ディスク媒体のトラックレイアウトを含む４層光ディスク媒体のトラックレイアウトを例に説明したが、単層光ディスク媒体のトラックレイアウトを含む３層光ディスク媒体としてもよい。この場合、３層光ディスク媒体の第１の情報面Ｌ０のトラックレイアウトは単層光ディスク媒体のトラックレイアウトと同一であり、３層光ディスク媒体の第２、第３の情報面Ｌ１、Ｌ２は内周部に低反射率領域を含むトラックレイアウトとなる。
【００５４】
さらに、多層情報記録媒体は、２層光ディスク媒体のトラックレイアウトを含む３層光ディスク媒体としてもよい。この場合、３層光ディスク媒体の第１及び第２の情報面Ｌ０，Ｌ１のトラックレイアウトは２層光ディスク媒体の第１及び第２の情報面Ｌ０，Ｌ１のトラックレイアウトと同一であり、３層光ディスク媒体の第３の情報面Ｌ２は内周部に低反射率領域を含むトラックレイアウトとなる。
【００５５】
さらにまた、多層情報記録媒体は、単層光ディスク媒体のトラックレイアウトを含む２層光ディスク媒体としてもよい。この場合、２層光ディスク媒体の第１の情報面Ｌ０のトラックレイアウトは単層光ディスク媒体の第１の情報面Ｌ０のトラックレイアウトと同一であり、２層光ディスク媒体の第２の情報面Ｌ１は内周部に低反射率領域を含むトラックレイアウトとなる。このとき、内周部の反射率は、データを記録するデータ領域の反射率よりも低い。
【００５６】
次に、本実施の形態の４層光ディスク媒体への情報記録再生システムについて説明する。図７は、本実施の形態における多層光ディスク媒体を記録再生する情報記録再生装置（光ディスク装置）の全体構成の一例を示す図である。
【００５７】
図７において、光ディスク装置は、球面収差補正部１０８、光ピックアップ１１１、ディスク判別部１１２、センサ１１３、ＦＥ（フォーカスエラー）信号演算部１１４、ＲＦ信号演算部１１５、記憶部１１６及び制御部１１７を備える。光ピックアップ１１１は、回折素子１０２、コリメートレンズ１０３，１０４、対物レンズ１０５、レーザ光源１０６、アクチュエータ１０７及び光検出器１０９，１１０を備える。
【００５８】
ここで、図７に示す光ディスク装置の動作について説明する。まず、レーザ光源１０６は、光ビームを出射する。レーザ光源１０６から出射された光ビームは、回折素子１０２を透過し、コリメートレンズ１０３，１０４によって平行光に変換され、対物レンズ１０５に入射する。対物レンズ１０５は、多層光ディスク媒体１０１の情報記録面上に光ビームを収束させる。多層光ディスク媒体１０１で反射された光ビームは、もとの光路を逆にたどってコリメートレンズ１０３，１０４によって集光され、回折素子１０２によって分岐され、光検出器１０９，１１０へ入射する。フォーカスエラー信号及びトラッキングエラー信号を含むサーボ信号と情報信号（ＲＦ信号）とは、光検出器１０９，１１０の出力信号より生成される。
【００５９】
ここで、対物レンズ１０５のＮＡは０．８以上の大きなものである。アクチュエータ１０７は、対物レンズ１０５の光軸方向の位置制御であるフォーカス制御と、光軸に垂直な方向の位置制御であるトラッキング制御とを制御部１１７からの信号に基づいて行う。アクチュエータ１０７は、コイルや磁石などの駆動手段により構成される。また、ＦＥ信号演算部１１４は、光検出器１０９，１１０からの信号に基づいてＦＥ信号を生成し、ＲＦ信号演算部１１５は、光検出器１０９，１１０からの信号に基づいてＲＦ信号を生成する。
【００６０】
センサ１１３は、ディスクカートリッジのホールを検出し、検出信号を出力する。ディスク判別部１１２は、記憶部１１６に格納されているＦＥ振幅ＦＥ０及びＲＦ振幅ＲＦ０と、ＦＥ信号演算部１１４及びＲＦ信号演算部１１５によって生成されたＦＥ振幅ＦＥ１及びＲＦ振幅ＲＦ１と、センサ１１３からの検出信号とのうちのいずれかあるいは複数の信号を組み合わせて得たディスク判別情報を用いて多層光ディスク媒体１０１の種類を判別する。球面収差補正部１０８は、ディスク判別部１１２によって判別した光ディスク媒体の種別に応じてコリメートレンズ１０４を駆動し、各情報面の表面からの厚みに応じた最適な球面収差補正を行う。
【００６１】
なお、制御部１１７は、情報面単位でユーザデータ領域へのデータ記録を禁止する書き込み禁止フラグを設定する。また、制御部１１７は、書き込み禁止フラグが設定された情報面へのデータ記録を禁止する。本実施の形態において、レーザ光源１０６がレーザ光照射部の一例に相当し、球面収差補正部１０８が球面収差補正部の一例に相当し、制御部１１７が制御部、フラグ設定部及び記録禁止部の一例に相当し、ディスク判別部１１２が媒体判別部の一例に相当する。
【００６２】
本実施の形態における多層光ディスク媒体１０１が装填された際の、２層対応光ディスク装置における処理手順について説明する。図８及び図９は、２層対応光ディスク装置における処理手順について説明するためのフローチャートである。
【００６３】
まず、ステップＳ１において、制御部１１７は、多層光ディスク媒体１０１が光ディスク装置に挿入されたか否かを判断する。ここで、光ディスク媒体が挿入されていないと判断された場合（ステップＳ１でＮＯ）、光ディスク媒体が挿入されるまで所定の時間間隔でステップＳ１の判断処理が実行される。
【００６４】
一方、２層対応光ディスク装置に多層光ディスク媒体１０１が装填され、光ディスク媒体が挿入されたと判断された場合（ステップＳ１でＹＥＳ）、ステップＳ２において、制御部１１７は、多層光ディスク媒体１０１の第１の情報面Ｌ０に合わせて球面収差を補正するように、球面収差補正部１０８に指示する。球面収差補正部１０８は、コリメートレンズ１０４を駆動することにより、第１の情報面Ｌ０に合わせて球面収差を補正する。図７のような光学系においてコリメートレンズ１０４はレーザ光の径を可変する機能を持つ。即ち、コリメートレンズ１０４が光軸方向に移動することで、多層光ディスク媒体１０１に照射されるレーザ光の径が調整される。つまり、光ディスク装置は、液晶等の収差補正素子の替わりに、コリメートレンズ１０４を光軸方向に移動させる球面収差補正部１０８を備えることで、第１の情報面Ｌ０に最適な球面収差補正を行うことが可能である。
【００６５】
また、このような球面収差補正方法の他に、コリメートレンズ１０３，１０４に代えて液晶パネル等を備えることで球面収差を補正する方法も可能であるが、本方式の球面収差補正方法では、液晶パネル等を不要とし、光ディスク装置の部品点数削減、コスト及び調整工程の節減、及び小型化の面で優れている。
【００６６】
次に、ステップＳ３において、制御部１１７は、レーザ光源１０６を制御し、レーザを単層光ディスク媒体の設定パワーで照射する。一般的に単層光ディスク媒体からの戻り光量は、第２の情報面Ｌ１の透過率を５０％とすると２層光ディスク媒体の戻り光量に比べて４倍程度多く、制御部１１７はレーザパワーを２層光ディスク媒体に比べて低く設定する。また高い照射パワーで記録されたマークを誤消去してしまわないように、制御部１１７は、読み取り時に照射するレーザパワーを２層光ディスク媒体に比べて１／２程度低く設定する。
【００６７】
次に、ステップＳ４において、ディスク判別部１１２は、光ディスク媒体の種別を判別し、単層光ディスク媒体であるか否かを判別する。ここで、ディスク判別部１１２による光ディスク媒体の種別を判別する方法について説明する。
【００６８】
第１のディスク種別判別方法は、光ディスク媒体が入っているカートリッジを使って判別する方法である。まず、図７のセンサ１１３は、赤外線あるいはその他の波長の光をカートリッジ方向に照射する。ディスク判別部１１２は、光ディスク媒体による反射光からの情報に基づいて、挿入された光ディスク媒体がカートリッジに入っているかの有無を判別する。光ディスク媒体がカートリッジに入っている場合、ディスク判別部１１２は、カートリッジに設けられたセンサホールを用いて光ディスク媒体の種別を判別する。なお、ディスク判別部１１２は、２層光ディスク媒体であるか、単層光ディスク媒体であるか、ＲＯＭ光ディスク媒体であるか、書き換え可能光ディスク媒体であるか、追記型光ディスク媒体であるかを判別する。
【００６９】
第２のディスク種別判別方法は、光ディスク媒体がカートリッジに入っていない場合に、光ディスク媒体からの戻り光から判別する方法である。ディスク判別部１１２は、図７のＲＦ信号演算部１１５によって生成されるＲＦ信号の信号レベルと、ＦＥ信号演算部１１４によって生成されるＦＥ信号の振幅レベルとに基づいて、単層光ディスク媒体であるか、２層光ディスク媒体であるかを判別する。単層光ディスク媒体と２層光ディスク媒体とは、光ディスク媒体からの戻り光量の差で区別される。ディスク判別部１１２は、記憶部１１６に予め記憶されているＲＦ信号の基準信号レベル及びＦＥ信号の基準振幅レベルと、実際の光ディスク媒体からの戻り光から生成されるＲＦ信号の信号レベル及びＦＥ信号の振幅レベルとを比較し判別する。なお、当初設定されている範囲のいずれのグループにも属さない光ディスク媒体、例えば反射光量が０あるいは、制限を越えるものは、異常ディスクとしてエラー処理が行われる。
【００７０】
また、第３のディスク種別判別方法は、フォーカスエラー信号のＳ字波形の数を用いて判別する方法である。フォーカスサーボがＯＦＦになった状態で、レーザの焦点位置をディスク表面から徐々に光ディスク媒体の厚み方向に移動させることによって、フォーカスエラー信号に図５あるいは図６のようなＳ字波形が現れる。ディスク判別部１１２は、このＳ字波形の閾値振幅が規定値より超える個数をカウントすることによって、単層光ディスク媒体であるか、２層光ディスク媒体であるかを判別する。
【００７１】
このように、本実施の形態では、光ディスク媒体からの戻り光量、ＦＥ信号のＳ字波形、又はＲＦ信号の信号レベルを用いて光ディスク媒体の種別を判別している。これらのディスク種別判別方法によるとフォーカス引き込み実施前に光ディスク媒体の種別を判別することが可能なため、光ディスク媒体に既に書き込まれている記録マークを誤消去することや、記録パワーを照射して誤記録することなく、光ディスク媒体の種別を判別することができる。また、光ディスク媒体にあらかじめ記録されているＢＣＡや管理情報の読み出し前に光ディスク媒体の種別を判別することができるため、ディスク判別にかかる時間を短縮し、起動時間を早めることができる。
【００７２】
次に、ディスク判別部１１２によって、単層光ディスク媒体であると判別された際の動作について説明する。単層光ディスク媒体であると判別された場合（ステップＳ４でＹＥＳ）、ステップＳ５の処理へ移行する。
【００７３】
第１の情報面Ｌ０に対応する球面収差補正を実行させたら、ステップＳ５において、制御部１１７は、アクチュエータ１０７を駆動して対物レンズ１０５を移動させ、レーザ光のフォーカス状態を第１の情報面Ｌ０に合焦させる。次に、ステップＳ６において、制御部１１７は、光ディスク媒体の内周部のＢＣＡ１００２に光ピックアップ１１１をアクセスさせ、ＢＣＡ１００２に記録されているユニークＩＤの読み出しを実行させる。
【００７４】
続いて、ステップＳ７において、制御部１１７は、初期記録領域１００３に光ピックアップ１１１をアクセスさせ、初期記録領域１００３内の管理情報の読み出しを実行させる。次に、ステップＳ８において、制御部１１７は、初期記録領域の管理情報の再生ができたか否かを判別する。ここで、管理情報の再生ができたと判別された場合（ステップＳ８でＹＥＳ）、ステップＳ９において、制御部１１７は、光ディスク媒体の種別に応じて順次各情報面における学習領域１００４（テストライトエリア）を用いて試し記録（テストライト）を行い、レーザパワーのキャリブレーションや、記録パルス条件のキャリブレーションを行う。即ち、単層光ディスク媒体であった場合、制御部１１７は、第１の情報面Ｌ０の学習領域１００４でテストライトを行う。
【００７５】
テストライトを終えた後、ステップＳ１０において、制御部１１７は、記録又は再生動作を実行する。制御部１１７は、球面収差補正及びフォーカス制御を行いつつ、情報の記録又は再生を実行する。
【００７６】
次にディスク判別部１１２によって、２層光ディスク媒体であると判別された際の動作について説明する。単層光ディスク媒体でないと判別された場合、すなわち、２層光ディスク媒体であると判別された場合（ステップＳ４でＮＯ）、図９のステップＳ１１の処理へ移行する。
【００７７】
ステップＳ１１において、制御部１１７は、レーザ光源１０６を制御し、レーザを２層光ディスク媒体の設定パワーで照射する。次に、ステップＳ１２において、制御部１１７は、多層光ディスク媒体１０１の第１の情報面Ｌ０に合わせて球面収差を補正するように、球面収差補正部１０８に指示する。球面収差補正部１０８は、コリメートレンズ１０４を駆動することにより、第１の情報面Ｌ０に合わせて球面収差を補正する。
【００７８】
第１の情報面Ｌ０に対応する球面収差補正を実行させたら、ステップＳ１３において、制御部１１７は、アクチュエータ１０７を駆動して対物レンズ１０５を移動させ、レーザ光のフォーカス状態を第１の情報面Ｌ０に合焦させる。次に、ステップＳ１４において、制御部１１７は、第１の情報面Ｌ０のＢＣＡ１００２に光ピックアップ１１１をアクセスさせ、ＢＣＡ１００２に記録されているユニークＩＤの読み出しを実行させる。
【００７９】
続いて、ステップＳ１５において、制御部１１７は、第１の情報面Ｌ０の初期記録領域１００３に光ピックアップをアクセスさせ、初期記録領域１００３内の管理情報の読出しを実行させる。次に、ステップＳ１６において、制御部１１７は、第１の情報面Ｌ０の初期記録領域１００３から管理情報を再生することができたか否かを判別する。ここで、第１の情報面Ｌ０から管理情報の再生ができたと判別された場合（ステップＳ１６でＹＥＳ）、ステップＳ１７において、制御部１１７は、順次各情報面における学習領域１００４（テストライトエリア）を用いて試し記録（テストライト）を行い、レーザパワーのキャリブレーションや、記録パルス条件のキャリブレーションを行う。
【００８０】
即ち、制御部１１７は、第１の情報面Ｌ０及び第２の情報面Ｌ１のそれぞれにおいて、学習領域１００４でテストライトを行い、各情報面のそれぞれについて最適なレーザパワーを設定する。ここで、各情報面でテストライトを実行する際、その都度、必要に応じてテストライトを実行しようとする情報面に対して球面収差補正及びフォーカス制御が行われる。
【００８１】
次に、ステップＳ１８において、制御部１１７は、球面収差補正及びフォーカス制御を行いつつ、第１の情報面Ｌ０への情報の記録又は第１の情報面Ｌ０からの情報の再生を実行する。次に、ステップＳ１９において、制御部１１７は、球面収差補正及びフォーカス制御を行いつつ、第２の情報面Ｌ１への情報の記録又は第２の情報面Ｌ１からの情報の再生を実行する。
【００８２】
ここで、実際にデータの記録又は再生を行う前には、初期記録領域から管理情報を読み出す必要がある。第１の情報面Ｌ０の初期記録領域から両方の情報面に関する管理情報が読み出せればよいが、何らかの原因で管理情報が読み出せなかった場合は、記録又は再生することができない光ディスク媒体となってしまう。
【００８３】
上述したように２層光ディスク媒体の場合、第２の情報面Ｌ１の初期記録領域にも、第１の情報面Ｌ０の初期記録領域と同一の管理情報が記録されている。そこで本実施の形態では、第１の情報面Ｌ０で管理情報を読み出せなかった場合は、他の情報面から管理情報を読み出すようにしてもよい。
【００８４】
すなわち、第１の情報面Ｌ０から管理情報の再生ができないと判別された場合（ステップＳ１６でＮＯ）、ステップＳ２０において、制御部１１７は、多層光ディスク媒体１０１の第２の情報面Ｌ１に合わせて球面収差を補正するように、球面収差補正部１０８に指示する。球面収差補正部１０８は、コリメートレンズ１０４を駆動することにより、第２の情報面Ｌ１に合わせて球面収差を補正する。
【００８５】
次に、ステップＳ２１において、制御部１１７は、アクチュエータ１０７を駆動して対物レンズ１０５を移動させ、レーザ光のフォーカス状態を第２の情報面Ｌ１に合焦させる。次に、ステップＳ２２において、制御部１１７は、第２の情報面Ｌ１のＢＣＡ１００２に光ピックアップ１１１をアクセスさせ、ＢＣＡ１００２に記録されているユニークＩＤの読み出しを実行させる。
【００８６】
次に、ステップＳ２３において、制御部１１７は、第２の情報面Ｌ１の初期記録領域１００３に光ピックアップをアクセスさせ、初期記録領域１００３内の管理情報の読出しを実行させる。次に、ステップＳ２４において、制御部１１７は、初期記録領域１００３の管理情報の再生ができたか否かを判別する。ここで、第２の情報面Ｌ１から管理情報の再生ができたと判別された場合（ステップＳ２４でＹＥＳ）、ステップＳ１７の処理へ移行する。
【００８７】
一方、第２の情報面Ｌ１から管理情報の再生ができないと判別された場合（ステップＳ２４でＮＯ）、ステップＳ２５において、制御部１１７は、エラー通知を行い、処理を終了する。すなわち、第１の情報面Ｌ０及び第２の情報面Ｌ１の両方から管理情報を読み出すことができない場合、光ディスク媒体への情報の記録又は再生ができない。なお、ステップＳ８において、第１の情報面Ｌ０から管理情報の再生ができないと判別された場合（ステップＳ８でＮＯ）、ステップＳ２５の処理へ移行する。
【００８８】
次に、本実施の形態における４層光ディスク媒体及び８層光ディスク媒体のエリア構成について説明する。図１０は、図４に示すトラックレイアウトに対応する４層光ディスク媒体の半径方向のエリア構成を説明するための図である。尚、ＢＣＡ、初期記録領域（ＰＲ）、学習領域及びＤＭＡ領域（ＯＰＣ、ＤＭＡ）、データ領域、及びリードアウト領域の配置は、図１及び図４で説明した通りである。
【００８９】
４層光ディスク媒体では、第１の情報面Ｌ０は、単層光ディスク媒体あるいは２層光ディスク媒体の第１の情報面Ｌ０と同様のエリア構成である。ただし、単層光ディスク媒体におけるリードアウトゾーンに相当する部分は４層光ディスク媒体では記録再生終端ではないためアウターゾーンとなる。４層光ディスク媒体の第２の情報面Ｌ１は、２層光ディスク媒体の第２の情報面Ｌ１と同様のエリア構成である。但し、２層光ディスク媒体の第２の情報面Ｌ１における内周側となったリードアウトゾーンは、４層光ディスク媒体では記録再生終端ではないためインナーゾーンとしてある。
【００９０】
第３の情報面Ｌ２は、内周部に低反射率領域（ＬＲＡ）、初期記録領域（ＰＲ）、及び学習領域及びＤＭＡ領域（ＯＰＣ、ＤＭＡ）が配置され、内周側がインナーゾーンとなり、外周側がアウターゾーンとなる。その場合、第３の情報面Ｌ２のアドレスのオーダーは、内周から外周の方向に記録されており、記録再生は内周から外周の方向に行われる。
【００９１】
第４の情報面Ｌ３は、内周部に低反射率領域（ＬＲＡ）、学習領域及びＤＭＡ領域（ＯＰＣ、ＤＭＡ）が配置され、内周側がリードアウトゾーンとなり、外周側がアウターゾーンとなる。その場合、第４の情報面Ｌ３のアドレスのオーダーは、外周から内周の方向に記録されており、記録再生は外周から内周の方向に行う。このような記録再生の進行が行われることで、上述した２層光ディスク媒体の場合と同様、外周から内周へのフルシークを必要とせず、第１の情報面Ｌ０の内周から外周、第２の情報面Ｌ１の外周から内周、第３の情報面Ｌ２の内周から外周、第４の情報面Ｌ３の外周から内周へと順次記録再生することができ、ビデオ記録再生等の、高転送レートのリアルタイム記録を長時間行うことができる。
【００９２】
また、アドレスは第１及び第３の情報面Ｌ０，Ｌ２では内周から外周へカウントアップされ、第２及び第４の情報面Ｌ１，Ｌ３では、外周から内周へカウントアップされる。偶数番目の情報面（第２及び第４の情報面）では、奇数番目の情報面（第１及び第３の情報面）のアドレスの補数をとって用いることにより、レイヤー内アドレスは、１つの情報面のレイヤー内アドレスのビット数で表すことができる。また、第１及び第２の情報面Ｌ０，Ｌ１と、第３及び第４の情報面Ｌ２，Ｌ３の、アドレスに対する半径の位置関係も知ることができ高速アクセスが可能となる。
【００９３】
次に、本実施の形態における８層光ディスク媒体の半径方向のエリア構成について説明する。図１１は、本実施の形態における８層光ディスク媒体の半径方向のエリア構成を説明するための図である。図１１に示す８層光ディスク媒体における第１の情報面Ｌ０は、先に述べた単層光ディスク媒体、２層光ディスク媒体、４層光ディスク媒体の第１の情報面Ｌ０と同様のエリア構成である。ただし、単層光ディスク媒体におけるリードアウトゾーンに相当する部分はアウターゾーンとなる。８層光ディスク媒体の第３の情報面Ｌ２は、２層光ディスク媒体の第２の情報面Ｌ１、及び図１０で示す４層光ディスク媒体の第２の情報面Ｌ１と同様のディスクレイアウトである。ただし、２層光ディスク媒体の第２の情報面Ｌ１における内周側となったリードアウトゾーンは、８層光ディスク媒体では記録再生終端ではないためインナーゾーンとなる。８層光ディスク媒体の第５の情報面Ｌ４は、図１０で示す４層光ディスク媒体の第３の情報面Ｌ２と同様のエリア構成である。８層光ディスク媒体の第７の情報面Ｌ６は、図１０で示す４層光ディスク媒体の第４の情報面Ｌ３と同様のエリア構成である。但し４層光ディスク媒体におけるリードアウトイン領域に相当する部分はインナーゾーンとなる。
【００９４】
８層光ディスク媒体の第２、第４、第６、第８の各情報面Ｌ１，Ｌ３，Ｌ５，Ｌ７は８層光ディスク媒体で新たに追加された情報面である。第２の情報面Ｌ１は、内周部に低反射率領域（ＬＲＡ）、初期記録領域（ＰＲ）、学習領域及びＤＭＡ領域（ＯＰＣ、ＤＭＡ）が配置され、内周側がインナーゾーンとなり、外周側がアウターゾーンとなる。その場合、第２の情報面Ｌ１のアドレスのオーダーは、内周から外周の方向に記録されており、記録再生は内周から外周の方向に行う。
【００９５】
第４の情報面Ｌ３は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第４の情報面Ｌ３のアドレスのオーダーは、外周から内周の方向に記録されており、記録再生は外周から内周の方向に行う。
【００９６】
第６の情報面Ｌ５は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第６の情報面Ｌ５のアドレスのオーダーは、内周から外周の方向に記録されており、記録再生は内周から外周の方向に行う。
【００９７】
第８の情報面Ｌ７は、内周部に低反射率領域（ＬＲＡ）、学習領域及びＤＭＡ領域（ＯＰＣ、ＤＭＡ）が配置され、内周側がリードアウトゾーンとなり、外周側がアウターゾーンとなる。その場合、第８の情報面Ｌ７のアドレスのオーダーは、外周から内周の方向に記録されており、記録再生は外周から内周の方向に行う。
【００９８】
第１の情報面Ｌ０の内周から外周、第３の情報面Ｌ２の外周から内周、第５の情報面Ｌ４の内周から外周、第７の情報面Ｌ６の外周から内周、第２の情報面Ｌ１の内周から外周、第４の情報面Ｌ３の外周から内周、第６の情報面Ｌ５の内周から外周、第８の情報面Ｌ７の外周から内周へと順次記録再生が行われる。これにより、ビデオ記録再生等の、高転送レートのリアルタイム記録を長時間行うことができる。
【００９９】
また、アドレスは第１、第２、第５、第６の各情報面では内周から外周へカウントアップされ、第３、第４、第７、第８の各情報面では、外周から内周へカウントアップされる。第１の情報面と第３の情報面との間、第５の情報面と第７の情報面との間、第２の情報面と第４の情報面との間、第６の情報面と第８の情報面との間では、それぞれの情報面のアドレスの補数をとって用いることにより、レイヤー内アドレスは、１つの層のレイヤー内アドレスのビット数で表すことができる。
【０１００】
また、それぞれの情報面のアドレスに対する半径の位置関係も知ることができ高速アクセスが可能となる。すなわち、第１から第８の複数の情報面において、ＭＯＤ（ｎ／４）＝１，２となる情報面は光ディスク媒体の内周側から外周側に向かって記録又は再生が行われ、ＭＯＤ（ｎ／４）＝３，０となる情報面は、光ディスク媒体の外周側から内周側に向かって記録又は再生が行われる。これにより、ビデオ記録再生等の、高転送レートのリアルタイム記録を長時間行うことができる。但し、ＭＯＤ（ｎ／４）は情報面の数ｎを除数４で割ったときの剰余を表している。
【０１０１】
次に、本実施の形態の８層光ディスク媒体の半径方向の別のエリア構成について説明する。図１２は、本実施の形態の８層光ディスク媒体の半径方向の別のエリア構成を説明するための図である。図１２に示す８層光ディスク媒体では、第１の情報面Ｌ０は、単層光ディスク媒体、２層光ディスク媒体及び４層光ディスク媒体の第１の情報面Ｌ０と同様のエリア構成である。ただし、単層光ディスク媒体におけるリードアウトゾーンに相当する部分はアウターゾーンとなる。
【０１０２】
８層光ディスク媒体の第３の情報面Ｌ２は、２層光ディスク媒体の第２の情報面Ｌ１、及び図１０で示す４層光ディスク媒体の第２の情報面Ｌ１と同様のエリア構成である。ただし、２層光ディスク媒体の第２の情報面Ｌ１における内周側となったリードアウトゾーンは、８層光ディスク媒体では記録再生終端ではないためインナーゾーンとなる。
【０１０３】
８層光ディスク媒体の第５の情報面Ｌ４は、図１０で示す４層光ディスク媒体の第３の情報面Ｌ２と同様のエリア構成である。８層光ディスク媒体の第７の情報面Ｌ６は、図１０で示す４層光ディスク媒体の第４の情報面Ｌ３と同様のエリア構成である。但し４層光ディスク媒体におけるリードアウト領域に相当する部分はインナーゾーンとなる。
【０１０４】
８層光ディスク媒体の第２、第４、第６、第８の情報面Ｌ１，Ｌ３，Ｌ５，Ｌ７は８層光ディスク媒体で新たに追加された情報面である。８層光ディスク媒体の第２の情報面Ｌ１は、内周部に低反射率領域（ＬＲＡ）、学習領域及びＤＭＡ領域（ＯＰＣ、ＤＭＡ）が配置され、内周側がリードインゾーンとなり、外周側がアウターゾーンとなる。その場合、第２の情報面Ｌ１のアドレスのオーダーは、外周から内周の方向に記録されており、記録再生は外周から内周の方向に行う。８層光ディスク媒体の第４の情報面Ｌ３は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第４の情報面Ｌ３のアドレスのオーダーは、内周から外周の方向に記録されており、記録再生は内周から外周の方向に行う。
【０１０５】
８層光ディスク媒体の第６の情報面Ｌ５は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第６の情報面Ｌ５のアドレスのオーダーは、外周から内周の方向に記録されており、記録再生は外周から内周の方向に行う。８層光ディスク媒体の第８の情報面Ｌ７は、内周部に低反射率領域（ＬＲＡ）、初期記録領域（ＰＲ）、学習領域及びＤＭＡ領域（ＯＰＣ、ＤＭＡ）が配置され、内周側がインナーゾーンとなり、外周側がアウターゾーンとなる。その場合、第８の情報面Ｌ７のアドレスのオーダーは、内周から外周の方向に記録されており、記録再生は内周から外周の方向に行う。
【０１０６】
第１の情報面Ｌ０の内周から外周、第３の情報面Ｌ２の外周から内周、第５の情報面Ｌ４の内周から外周、第７の情報面Ｌ６の外周から内周、第８の情報面Ｌ７の内周から外周、第６の情報面Ｌ５の外周から内周、第４の情報面Ｌ３の内周から外周、第２の情報面Ｌ１の外周から内周へと順次記録再生が行われる。これにより、ビデオ記録再生等の、高転送レートのリアルタイム記録を長時間行うことができる。
【０１０７】
また、アドレスは第１、第４、第５、第８の情報面Ｌ０，Ｌ３，Ｌ４，Ｌ７では内周から外周へカウントアップされ、第２、第３、第６、第７の情報面Ｌ１，Ｌ２，Ｌ５，Ｌ６では、外周から内周へカウントアップされる。第１の情報面と第３の情報面との間、第５の情報面と第７の情報面との間、第２の情報面と第４の情報面との間、第６の情報面と第８との間では、それぞれの情報面のアドレスの補数をとって用いることにより、レイヤー内アドレスは、１つの層のレイヤー内アドレスのビット数で表すことができる。
【０１０８】
また、各情報面のアドレスに対する半径の位置関係も知ることができ高速アクセスが可能となる。すなわち、第１から第８の複数の情報面において、ＭＯＤ（ｎ／４）＝０，１となる情報面はディスク内周側から外周側に向かって記録又は再生が行われ、ＭＯＤ（ｎ／４）＝２，３となる情報面は、ディスク外周側から内周側に向かって記録又は再生が行われる。これにより、ビデオ記録再生等の、高転送レートのリアルタイム記録を長時間行うことができる。
【０１０９】
次に、本実施の形態の別の４層光ディスク媒体の半径方向のエリア構成について説明する。図１３は、図１０のエリア構成とは別の４層光ディスク媒体の半径方向のエリア構成を説明するための図である。図１０と異なる点は、図１０の第２の情報面Ｌ１と第３の情報面Ｌ２とのエリア構成が入れ替わっている点である。図１３のエリア構成にすることにより２層光ディスク媒体と同様のエリア構成である第１の情報面Ｌ０と第３の情報面Ｌ２との間に新たに情報面を挿入でき、ディスク全体での層間の厚みの合計を小さくすることができ、ディスク表面を厚くすることができる。
【０１１０】
このようなエリア構成にすることで、外周から内周へのフルシークを必要とせず、第１の情報面Ｌ０の内周から外周、第３の情報面Ｌ２の外周から内周、第２の情報面Ｌ１の内周から外周、第４の情報面Ｌ３の外周から内周へと順次記録再生することができる。これにより、ビデオ記録再生等の、高転送レートのリアルタイム記録を長時間行うことができる。また、アドレスは第１及び第２の情報面Ｌ０，Ｌ１では内周から外周へカウントアップされ、第３及び第４の情報面Ｌ２，Ｌ３では、外周から内周へカウントアップされる。第１の情報面と第３の情報面との間、第２の情報面と第４の情報面との間では、それぞれ情報面のアドレスの補数をとって用いることにより、レイヤー内アドレスは、１つの情報面のレイヤー内アドレスのビット数で表すことができる。また第１及び第３の情報面Ｌ０，Ｌ２と、第２及び第４の情報面Ｌ１，Ｌ３とのアドレスに対する半径の位置関係も知ることができ高速アクセスが可能となる。
【０１１１】
次に、本実施の形態における８層光ディスク媒体の半径方向のさらに別のエリア構成について説明する。図１４は、本実施の形態における８層光ディスク媒体の半径方向のさらに別のエリア構成を説明するための図である。図１４に示す８層光ディスク媒体では、第１の情報面Ｌ０は、単層光ディスク媒体、２層光ディスク媒体及び４層光ディスク媒体のＬ０と同様のディスクレイアウトである。ただし、単層光ディスク媒体におけるリードアウトゾーンに相当する部分はアウターゾーンとなる。
【０１１２】
第５の情報面Ｌ４は、２層光ディスク媒体の第２の情報面Ｌ１、及び図１３で示す４層光ディスク媒体の第３の情報面Ｌ２と同様のエリア構成である。ただし、２層光ディスク媒体の第２の情報面Ｌ１における内周側となったリードアウトゾーンは、８層光ディスク媒体では記録再生終端ではないためインナーゾーンとなる。また、８層光ディスク媒体の第３の情報面Ｌ２は、図１３で示す４層光ディスク媒体の第２の情報面Ｌ１と同様のエリア構成である。
【０１１３】
８層光ディスク媒体の第７の情報面Ｌ６は、図１３で示す４層光ディスク媒体の第４の情報面Ｌ３と同様のエリア構成である。但し４層光ディスク媒体におけるリードアウトゾーンに相当する部分はインナーゾーンとなる。
【０１１４】
第２、第４、第６、第８の各情報面Ｌ１，Ｌ３，Ｌ５，Ｌ７は８層光ディスク媒体で新たに追加された情報面である。第２の情報面Ｌ１は、内周部に低反射率領域（ＬＲＡ）、初期記録領域（ＰＲ）、学習領域及びＤＭＡ領域（ＯＰＣ、ＤＭＡ）が配置され、内周側がインナーゾーンとなり、外周側がアウターゾーンとなる。その場合、第２の情報面Ｌ１のアドレスのオーダーは、内周から外周の方向に記録されており、記録再生は内周から外周の方向に行う。第４の情報面Ｌ３は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第４の情報面Ｌ３のアドレスのオーダーは、内周から外周の方向に記録されており、記録再生は内周から外周の方向に行う。
【０１１５】
第６の情報面Ｌ５は、内周部に低反射率領域（ＬＲＡ）、学習領域及びＤＭＡ領域（ＯＰＣ、ＤＭＡ）が配置され、内周側がインナーゾーンとなり、外周側がアウターゾーンとなる。その場合、第６の情報面Ｌ５のアドレスのオーダーは、外周から内周の方向に記録されており、記録再生は外周から内周の方向に行う。第８の情報面Ｌ７は、内周部に低反射率領域（ＬＲＡ）、学習領域及びＤＭＡ領域（ＯＰＣ、ＤＭＡ）が配置され、内周側がリードアウトゾーンとなり、外周側がアウターゾーンとなる。その場合、第８の情報面Ｌ７のアドレスのオーダーは、外周から内周の方向に記録されており、記録再生は外周から内周の方向に行う。
【０１１６】
第１の情報面Ｌ０の内周から外周、第５の情報面Ｌ４の外周から内周、第３の情報面Ｌ２の内周から外周、第７の情報面Ｌ６の外周から内周、第２の情報面Ｌ１の内周から外周、第６の情報面Ｌ５の外周から内周、第４の情報面Ｌ３の内周から外周、第８の情報面Ｌ７の外周から内周へと順次記録再生が行われる。これにより、ビデオ記録再生等の、高転送レートのリアルタイム記録を長時間行うことができる。また、アドレスは第１〜第４の情報面Ｌ０〜Ｌ３では内周から外周へカウントアップされ、第５〜第８の情報面Ｌ４〜Ｌ７では、外周から内周へカウントアップされる。第１の情報面と第５の情報面との間、第３の情報面と第７の情報面との間、第２の情報面と第６の情報面との間、第４の情報面と第８の情報面との間では、それぞれの情報面のアドレスの補数をとって用いることにより、レイヤー内アドレスは、１つの層のレイヤー内アドレスのビット数で表すことができる。また、それぞれの情報面のアドレスに対する半径の位置関係も知ることができ高速アクセスが可能となる。すなわち、第１から第ｎ（ｎ＝８）の複数の情報面において、第１から第ｎ／２の情報面はディスク内周側から外周側に向かって記録又は再生が行われ、第ｎ／２＋１から第ｎの情報面はディスク外周側から内周側に向かって記録又は再生が行われる。これにより、ビデオ記録再生等の、高転送レートのリアルタイム記録を長時間行うことができる。
【０１１７】
次に、前述したエリア構成を有する本実施の形態における多層情報記録媒体の製造方法について説明する。
【０１１８】
図１５は、本実施の形態における多層情報記録媒体を作製するための基板作製用金型であるスタンパの製造方法を説明するための図である。まず、ガラス板１６０１上にフォトレジスト等の感光材料が塗布されて感光膜１６０２が形成され（図１５の第１工程参照）、その後レーザ光１６０３による光記録により、ピットや案内溝等のパターンの露光が行われる（図１５の第２工程参照）。図１５の第２工程において、感光膜１６０２ａが露光された部分を示している。露光部分の感光材料は現像工程を経ることにより除去され、ピットや案内溝等のパターン１６０４が形成された光記録原盤１６０５が作製される（図１５の第３工程参照）。感光膜１６０２に形成されたピットや案内溝等のパターン１６０４の形状は、スパッタリングや蒸着等の方法によって膜付けされた導電膜１６０６に転写される（図１５の第４工程参照）。さらに、導電膜１６０６の剛性及び厚みを増加させるために、めっき膜１６０７が形成される（図１５の第５工程参照）。次に、感光膜１６０２と導電膜１６０６との界面から導電膜１６０６及びめっき膜１６０７が剥離されることにより、スタンパ１６０８が作製される（図１５の第６工程参照）。
【０１１９】
図１６は、本実施の形態における多層情報記録媒体の断面図である。この多層情報記録媒体は、片面に凹凸形状からなるピットや案内溝の情報面が転写形成された第１信号基板１７０１と、第１信号基板１７０１の凹凸形状が設けられた面上に配置された第１薄膜層１７０２と、第１薄膜層１７０２と接着している面とは反対の面に凹凸形状からなるピットや案内溝の情報面が転写形成された第２信号基板１７０３と、第２信号基板１７０３の凹凸形状が設けられた面上に配置された第２薄膜層１７０４と、第２信号基板１７０３に対向配置された透明基板１７０６と、第２薄膜層１７０４と透明基板１７０６とを貼り合わせるために設けられた透明層１７０５により構成されている。
【０１２０】
第１信号基板１７０１には、図１５の第６工程に示したスタンパ１６０８を用いて、射出圧縮成形等により片面にピットや案内溝が凹凸形状として転写形成されている。このように、情報面に薄膜層が形成されることで情報記録層が形成されている。第１信号基板１７０１の厚みは例えば１．１ｍｍ程度である。第１薄膜層１７０２及び第２薄膜層１７０４は、記録膜や反射膜を含んでいる。第１薄膜層１７０２及び第２薄膜層１７０４は、第１信号基板１７０１及び第２信号基板１７０３のピットや案内溝が形成された面側にスパッタリングや蒸着等の方法により形成される。
【０１２１】
第２信号基板１７０３は、光硬化性樹脂のスピンコート法によって形成され、図１５の第６工程に示したスタンパ１６０８や第１信号基板１７０１のように片面にピットや案内溝が凹凸形状として形成された転写基板を、情報面が第１信号基板１７０１と対向するように光硬化性樹脂を介して貼り合わせる。そして、光硬化性樹脂の光硬化後に転写基板を光硬化性樹脂との界面から剥離することによって第２信号基板１７０３が形成されている。透明基板１７０６は、記録再生光に対して透明な（透過性を有する）材料からなり、厚みが例えば０．１ｍｍ程度である。透明層１７０５は、２枚の基板１７０６、１７０７を互いに接着するために設けられており、光硬化性樹脂や感圧接着剤等の接着剤から形成されている。このような多層情報記録媒体の記録再生は、透明基板１７０６からレーザ光を入射することによって行われる。
【０１２２】
次に、本実施の形態における多層情報記録媒体の製造方法について説明する。図１７は、本実施の形態における多層情報記録媒体の製造方法について説明するための図である。
【０１２３】
まず、第１信号基板８０１は、ピットや案内溝の信号面が形成された面にスパッタリングや蒸着等の方法により記録膜材料や反射膜材料を含んだ第１薄膜層８０２が形成されることにより情報記録層が形成される。信号面に形成する第１薄膜層８０２の領域は、スパッタリングや蒸着時に基板をマスクする領域によって決定される。
【０１２４】
図１８は、スパッタ装置の構造を示す断面図である。まず、スパッタ装置内に搬送された基板１８０１は、インナーマスク１８０２とアウターマスク１８０３とがほぼ接するところに設置される。インナーマスク１８０２は、基板の中心孔を含む内径に薄膜層が形成されないように、基板の内周部を全面覆いかぶさった構造を有している。アウターマスク１８０３は、特定の基板の外径に薄膜層が形成されないように、また、基板裏面へスパッタ膜の回り込みを防ぐように構成されている。真空ポンプなどで真空雰囲気とした空間１８０４はアルゴンなどのガスの導入と、放電によってプラズマが発生する。そして、プラズマ中にできたイオン（ここではアルゴンイオン）をインナーマスク１８０２及びアウターマスク１８０３の根元に設置されたターゲット１８０５の材料に衝突させ、ターゲット１８０５を構成する材料の原子や分子を基板上に飛ばし、基板表面に薄膜を形成する。
【０１２５】
第１薄膜層８０２を形成する領域は、インナーマスク１８０２の径や、アウターマスク１８０３の径を変更することにより、容易に変更が可能である。第１信号基板８０１は、第１薄膜層８０２が形成された面とは反対側の面でバキューム等の手段によって回転テーブル８０３上に固定される（図１７の第１工程参照）。回転テーブル８０３に固定された第１信号基板８０１上の第１薄膜層８０２には、ディスペンサーによって光硬化性樹脂８０４が所望の半径上に同心円状に塗布される（図１７の第２工程参照）。
【０１２６】
そして、回転テーブル８０３をスピン回転させることにより光硬化性樹脂８０４の延伸が行われる（図１７の第３工程参照）。延伸された光硬化性樹脂８０４は、遠心力によって余分な樹脂と気泡を除去することができる。このとき、延伸される光硬化性樹脂８０４の厚みは、光硬化性樹脂８０４の粘度やスピン回転の回転数、時間、及びスピン回転をさせている周りの温度や湿度などの雰囲気を任意に設定することにより、所望の厚みに制御することができる。スピン回転停止後、延伸された光硬化性樹脂８０４は光照射機８０５の光照射によって硬化される。このようにして、第１信号基板８０１、第１薄膜層８０２及び光硬化性樹脂８０４で構成される第１の基板８１１が作成される。
【０１２７】
次に、第１信号基板８０１の上に第２の情報面が形成される。まず、図１５の第６工程に示したスタンパ１６０８や図１６に示した第１信号基板１７０１のように片面にピットや案内溝が凹凸形状として形成された転写基板８０６が回転テーブル８０７上に固定される（図１７の第４工程参照）。回転テーブル８０７に固定された転写基板８０６の上には、ディスペンサーによって光硬化性樹脂８０８が所望の半径上に同心円状に塗布される（図１７の第５工程参照）。そして、回転テーブル８０７をスピン回転させることにより光硬化性樹脂８０８の延伸が行われる（図１７の第６工程参照）。延伸される光硬化性樹脂８０８は光硬化性樹脂８０４と同様に、所望の厚みに制御することができる。スピン回転停止後、延伸された光硬化性樹脂８０８は光照射機８０９の光照射によって硬化される。このようにして、転写基板８０６及び光硬化性樹脂８０８で構成される第２の基板８１０が作成される。
【０１２８】
２枚の基板８１０，８１１は、１つの回転テーブル８０３の上で、双方の光硬化性樹脂層が対向するように光硬化性樹脂８１２を介して重ね合わされ（図１７の第７工程参照）、一体化させた状態で回転テーブル８０３によってスピン回転させられる。光硬化性樹脂８１２はスピン回転によって所望の厚みに制御された後に光照射機８０５の光照射によって硬化される（図１７の第８工程参照）。光硬化性樹脂８１２によって基板８１０，８１１が一体化された後に、転写基板８０６と光硬化性樹脂８０８の界面より、転写基板８０６を剥離することによって、第１信号基板８０１の上に第２の情報面が形成される（図１７の第９工程参照）。
【０１２９】
ここで用いられている光硬化性樹脂８０４は第１薄膜層８０２と光硬化性樹脂８１２との接着性が良好なものを選定している。また、光硬化性樹脂８０８は転写基板８０６との剥離性が良く、且つ光硬化性樹脂８１２との接着性が良好なものを選定している。また、各々の光硬化性樹脂は出来るだけ薄く形成するために、粘度は約１５０Ｐａ・ｓ程度としている。
【０１３０】
第１信号基板８０１の上に形成された第２の情報面には、スパッタリングや蒸着等の方法により記録膜材料や反射膜材料を含んだ第２薄膜層８１３が形成される。第２薄膜層８１３と透明基板８１４とを貼り合わせるときに形成される透明層８１５は、記録再生光に対してほぼ透明で（ほぼ透過し）、第２薄膜層８１３に光硬化性樹脂を塗布した後にスピン回転させることによって光硬化性樹脂に混入する気泡の除去や厚み制御を行い、延伸された後に光照射されることによって硬化することで形成される。
【０１３１】
なお、本実施の形態では、基材厚が０．１ｍｍであるＢＤの多層化について説明しているが、本発明は特にこれに限定されず、基材厚が０．６ｍｍであるＨＤ  ＤＶＤの多層化にも適用可能であり、種類が同じである多層光ディスク媒体に適用可能である。
【０１３２】
なお、上述した具体的実施形態には以下の構成を有する発明が主に含まれている。
【０１３３】
本発明の一局面に係る多層情報記録媒体は、積層された複数の情報面を有し、光によって情報を記録又は再生する多層情報記録媒体であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含む。
【０１３４】
この構成によれば、多層情報記録媒体が有する複数の情報面は、光が入射したときに、光を所定の第１の戻り光量で反射させる第１の反射面を有する少なくとも１つの情報面と、光を第１の戻り光量よりも小さい第２の戻り光量で反射させる第２の反射面を有する他の情報面とを含んでいる。
【０１３５】
したがって、既に発売されている情報記録媒体の情報面と一致する少なくとも１つの情報面へのフォーカス引き込みを確実に実行することができるので、既に発売されている、あるいはフォーマットが既知の情報記録媒体との下位互換性を確保することができ、新フォーマットの多層情報記録媒体を既に広まっている情報記録再生装置を使って記録再生することができる。また、広く一般に流通している情報記録再生装置を有効活用することが可能であり、ユーザは、既存の情報記録再生装置を使って新たに発売された多層規格の光ディスク媒体を利用することができる。
【０１３６】
即ち、多層情報記録媒体は、３層以上の情報記録面を有し、３番目以上の情報記録面の内周部あるいは外周部に、２番目までの情報記録面とは異なる物理特性（反射率、透過率、溝特性、ピット特性等）を持たせることにより、従来の２層情報記録媒体にのみ対応する情報記録再生装置において、情報を記録あるいは再生することができる。
【０１３７】
また、上記の多層情報記録媒体において、前記第１の反射面には、ディスク管理情報が記録されていることが好ましい。この構成によれば、第１の反射面に光を照射することによりディスク管理情報を再生することができる。
【０１３８】
また、上記の多層情報記録媒体において、前記多層情報記録媒体は、光ディスク媒体を含み、前記第２の反射面は、前記光ディスク媒体の内周部を含み、前記内周部の反射率は、データを記録するデータ領域の反射率よりも低いことが好ましい。
【０１３９】
この構成によれば、多層情報記録媒体は、光ディスク媒体を含んでおり、第２の反射面は、光ディスク媒体の内周部を含んでおり、内周部の反射率は、データを記録するデータ領域の反射率よりも低い。したがって、内周部の反射率がデータ領域の反射率よりも低く設定されているので、既に発売されている情報記録媒体の情報面と一致する情報面の内周部へのフォーカス引き込みを確実に実行することができる。
【０１４０】
また、上記の多層情報記録媒体において、前記多層情報記録媒体は、光ディスク媒体を含み、前記第１の反射面及び前記第２の反射面は、前記光ディスク媒体の内周部と、データを記録するデータ領域とを含み、前記第２の反射面の内周部及びデータ領域の反射率は、前記第１の反射面の内周部及びデータ領域の反射率よりも低いことが好ましい。
【０１４１】
この構成によれば、第２の反射面の内周部及びデータ領域の反射率が、第１の反射面の内周部及びデータ領域の反射率よりも低いので、第１の反射面のデータ領域に記録されているデータを確実に再生することができる。
【０１４２】
また、上記の多層情報記録媒体において、前記複数の情報面は、４つの情報面を含み、前記４つの情報面のうちの２つの情報面は、前記第１の反射面に光が入射したときに、前記光を所定の第１の戻り光量で反射させ、残りの２つの情報面は、前記第２の反射面に光が入射したときに、前記光を前記第１の戻り光量よりも小さい第２の戻り光量で反射させることが好ましい。
【０１４３】
この構成によれば、複数の情報面は、４つの情報面を含んでおり、４つの情報面のうちの２つの情報面は、第１の反射面に光が入射したときに、光を所定の第１の戻り光量で反射させる。また、残りの２つの情報面は、第２の反射面に光が入射したときに、光を第１の戻り光量よりも小さい第２の戻り光量で反射させる。
【０１４４】
したがって、２層の情報記録媒体に対応した情報記録装置を用いて、４層の多層情報記録媒体を記録再生する場合、４層のうちの２層の情報面に対して確実にフォーカス引き込みを実行することができるので、既に発売されている２層の情報記録媒体と、４層の多層情報記録媒体との互換性を確保することができる。
【０１４５】
また、上記の多層情報記録媒体において、前記複数の情報面は、８つの情報面を含み、前記８つの情報面のうちの４つの情報面は、前記第１の反射面に光が入射したときに、前記光を所定の第１の戻り光量で反射させ、残りの４つの情報面は、前記第２の反射面に光が入射したときに、前記光を前記第１の戻り光量よりも小さい第２の戻り光量で反射させることが好ましい。
【０１４６】
この構成によれば、複数の情報面は、８つの情報面を含んでおり、８つの情報面のうちの４つの情報面は、第１の反射面に光が入射したときに、光を所定の第１の戻り光量で反射させる。また、残りの４つの情報面は、第２の反射面に光が入射したときに、光を第１の戻り光量よりも小さい第２の戻り光量で反射させる。
【０１４７】
したがって、４層の情報記録媒体に対応した情報記録装置を用いて、８層の多層情報記録媒体を記録再生する場合、８層のうちの４層の情報面に対して確実にフォーカス引き込みを実行することができるので、既に発売されている４層の情報記録媒体と、８層の多層情報記録媒体との互換性を確保することができる。
【０１４８】
また、上記の多層情報記録媒体において、前記第１の反射面において、出射光量に対する前記第１の戻り光量の比を高戻り光量比Ｒｂとし、前記第２の反射面において、出射光量に対する前記第２の戻り光量の比を低戻り光量比Ｒｄとしたとき、前記低戻り光量比Ｒｄは、０≦Ｒｄ＜３．５％の範囲であり、前記高戻り光量比Ｒｂは、３．５％≦Ｒｂ≦８％の範囲であることが好ましい。
【０１４９】
この構成によれば、第１の反射面において、出射光量に対する第１の戻り光量の比を高戻り光量比Ｒｂとし、第２の反射面において、出射光量に対する第２の戻り光量の比を低戻り光量比Ｒｄとしたとき、低戻り光量比Ｒｄは、０≦Ｒｄ＜３．５％の範囲であり、高戻り光量比Ｒｂは、３．５％≦Ｒｂ≦８％の範囲である。
【０１５０】
従来の２層の情報記録媒体の戻り光量比は、３．５％以上８％以下に規定されており、この範囲より低戻り光量比Ｒｄの範囲を低くすることにより、フォーカス引き込みを確実に実行することができ、例えば２層の情報記録媒体に対応した情報記録装置を用いて、４層以上の多層情報記録媒体を記録再生することができる。
【０１５１】
また、上記の多層情報記録媒体において、前記低戻り光量比Ｒｄと前記高戻り光量比Ｒｂとの関係が２×Ｒｄ＜Ｒｂであることが好ましい。この構成によれば、低戻り光量比Ｒｄと高戻り光量比Ｒｂとの関係が２×Ｒｄ＜Ｒｂであるので、高戻り光量比Ｒｂを低戻り光量比Ｒｄの２倍よりも大きく設定することにより、フォーカス引き込みを確実に実行することができる。
【０１５２】
また、上記の多層情報記録媒体において、前記低戻り光量比Ｒｄは前記高戻り光量比Ｒｂに対して十分小さく、前記低戻り光量比Ｒｄは概略０であることが好ましい。この構成によれば、低戻り光量比Ｒｄは高戻り光量比Ｒｂに対して十分小さく、低戻り光量比Ｒｄは概略０であるので、フォーカス引き込みを確実に実行することができる。なお、例えば、低戻り光量比Ｒｄは高戻り光量比Ｒｂに対して十分小さいとは、低戻り光量比Ｒｄが、情報を記録したときの戻り光（反射光）のレベル以下になる場合を意味する。
【０１５３】
また、上記の多層情報記録媒体において、前記多層情報記録媒体は光ディスク媒体を含み、前記第１の反射面及び前記第２の反射面は、前記光ディスク媒体の回転中心から２４ｍｍ以内の範囲に設けられていることが好ましい。
【０１５４】
この構成によれば、多層情報記録媒体は光ディスク媒体を含んでおり、第１の反射面及び第２の反射面は、光ディスク媒体の回転中心から２４ｍｍ以内の範囲に設けられているので、光ディスク媒体の回転中心から２４ｍｍ以内の範囲に相当する内周部に対するフォーカス引き込みを確実に実行することができる。
【０１５５】
また、上記の多層情報記録媒体において、前記第１の反射面は、多層情報記録媒体に固有の識別情報を反射層を焼ききることにより記録するＢＣＡ領域を含むことが好ましい。
【０１５６】
この構成によれば、第１の反射面には、多層情報記録媒体に固有の識別情報を反射層を焼ききることにより記録するＢＣＡ領域が含まれるので、既に発売されている情報記録再生装置であっても、多層情報記録媒体のＢＣＡ領域から識別情報を確実に再生することができる。
【０１５７】
また、上記の多層情報記録媒体において、前記第２の反射面は、レーザ光によってあらかじめ初期記録がなされていることが好ましい。この構成によれば、第２の反射面が、レーザ光によってあらかじめ初期記録がなされているので、他の情報面の第２の反射面における第２の戻り光量を第１の戻り光量よりも小さくすることができる。
【０１５８】
また、上記の多層情報記録媒体において、前記第２の反射面は、反射層を焼ききることで形成されていることが好ましい。この構成によれば、第２の反射面が、反射層を焼ききることで形成されているので、他の情報面の第２の反射面における第２の戻り光量を第１の戻り光量よりも小さくすることができる。
【０１５９】
また、上記の多層情報記録媒体において、前記第２の反射面は、反射層が形成されていないことが好ましい。この構成によれば、第２の戻り光量で反射させる第２の反射面には、反射層が形成されていないので、他の情報面の第２の反射面における第２の戻り光量を第１の戻り光量よりも小さくすることができる。
【０１６０】
また、上記の多層情報記録媒体において、前記複数の情報面の間隔は６μｍ〜３０μｍであることが好ましい。この構成によれば、複数の情報面の間隔を６μｍ〜３０μｍとすることにより、各情報面からの回折光の干渉（層間干渉）を少なくすることができる。
【０１６１】
また、上記の多層情報記録媒体において、前記第１の反射面のうちの少なくとも２箇所以上にディスク管理情報が記録されていることが好ましい。この構成によれば、光軸方向に並んだ第１の反射面のうちの少なくとも２箇所以上にディスク管理情報が記録されているので、１の情報面からディスク管理情報を読み出すことができない場合であっても、他の情報面からディスク管理情報を読み出すことができる。
【０１６２】
また、上記の多層情報記録媒体において、前記ディスク管理情報が記録されている領域は、上下の情報面で重ならないように配置されていることが好ましい。この構成によれば、ディスク管理情報が記録されている領域は、上下の情報面で重ならないように配置されているので、１の情報面からディスク管理情報を読み出すことができない場合であっても、他の情報面からディスク管理情報を確実に読み出すことができる。
【０１６３】
また、上記の多層情報記録媒体において、情報面単位でユーザデータ領域へのデータ記録を禁止する書き込み禁止フラグが記録され、前記書き込み禁止フラグにより禁止された情報面へのデータ記録が禁止されることが好ましい。
【０１６４】
この構成によれば、情報面単位でユーザデータ領域へのデータ記録を禁止する書き込み禁止フラグが記録され、書き込み禁止フラグにより禁止された情報面へのデータ記録が禁止される。したがって、多層情報記録媒体の複数の情報面のうちの他の情報面へのデータ記録を禁止することにより、層数の少ない情報記録媒体との互換性を確保することができる。
【０１６５】
また、上記の多層情報記録媒体において、前記複数の情報面は、第１から第ｎの情報面を含み、ＭＯＤ（ｎ／４）＝１，２（但し、ＭＯＤは数値ｎを除数４で割ったときの剰余）となる情報面は、光ディスク媒体の内周側から外周側に向かって記録又は再生が行われ、ＭＯＤ（ｎ／４）＝３，０となる情報面は、光ディスク媒体の外周側から内周側に向かって記録又は再生が行われることが好ましい。
【０１６６】
この構成によれば、複数の情報面は、第１から第ｎの情報面を含み、ＭＯＤ（ｎ／４）＝１，２（但し、ＭＯＤは数値ｎを除数４で割ったときの剰余）となる情報面は、光ディスク媒体の内周側から外周側に向かって記録又は再生が行われる。また、ＭＯＤ（ｎ／４）＝３，０となる情報面は、光ディスク媒体の外周側から内周側に向かって記録又は再生が行われる。
【０１６７】
したがって、例えば、４層の多層情報記録媒体の場合、第１の情報面と第２の情報面とは、内周側から外周側に向かって記録又は再生が行われ、第３の情報面と第４の情報面とは、外周側から内周側に向かって記録又は再生が行われるので、ビデオ記録再生等の、高転送レートのリアルタイム記録を長時間行うことができる。
【０１６８】
また、上記の多層情報記録媒体において、ＭＯＤ（ｎ／４）＝１，２となる情報面は、光ディスク媒体の内周側から外周側に向かってアドレスが記録されており、ＭＯＤ（ｎ／４）＝３，０となる情報面は、光ディスク媒体の外周側から内周側に向かってアドレスが記録されていることが好ましい。
【０１６９】
この構成によれば、ＭＯＤ（ｎ／４）＝１，２となる情報面は、光ディスク媒体の内周側から外周側に向かってアドレスが記録されており、ＭＯＤ（ｎ／４）＝３，０となる情報面は、光ディスク媒体の外周側から内周側に向かってアドレスが記録されている。
【０１７０】
したがって、例えば、４層の多層情報記録媒体の場合、第１の情報面と第２の情報面とは、内周側から外周側に向かって、情報を記録又は再生することができ、第３の情報面と第４の情報面とは、外周側から内周側に向かって、情報を記録又は再生することができる。
【０１７１】
また、上記の多層情報記録媒体において、前記複数の情報面は、第１から第ｎ（ｎは偶数）の情報面を含み、第１から第ｎ／２の情報面は、光ディスク媒体の内周側から外周側に向かって記録又は再生が行われ、第（ｎ／２）＋１から第ｎの情報面は、光ディスク媒体の外周側から内周側に向かって記録又は再生が行われることが好ましい。
【０１７２】
この構成によれば、複数の情報面は、第１から第ｎ（ｎは偶数）の情報面を含んでおり、第１から第ｎ／２の情報面は、光ディスク媒体の内周側から外周側に向かって記録又は再生が行われる。また、第（ｎ／２）＋１から第ｎの情報面は、光ディスク媒体の外周側から内周側に向かって記録又は再生が行われる。
【０１７３】
したがって、例えば、８層の多層情報記録媒体の場合、第１〜第４の情報面は、内周側から外周側に向かって記録又は再生が行われ、第５〜第８の情報面は、外周側から内周側に向かって記録又は再生が行われるので、ビデオ記録再生等の、高転送レートのリアルタイム記録を長時間行うことができる。
【０１７４】
また、上記の多層情報記録媒体において、第１から第ｎ／２の情報面は、光ディスク媒体の内周側から外周側に向かってアドレスが記録されており、第（ｎ／２）＋１から第ｎの情報面は、光ディスク媒体の外周側から内周側に向かってアドレスが記録されていることが好ましい。
【０１７５】
この構成によれば、第１から第ｎ／２の情報面は、光ディスク媒体の内周側から外周側に向かってアドレスが記録されている。また、第（ｎ／２）＋１から第ｎの情報面は、光ディスク媒体の外周側から内周側に向かってアドレスが記録されている。
【０１７６】
したがって、例えば、８層の多層情報記録媒体の場合、第１〜第４の情報面は、内周側から外周側に向かって、情報を記録又は再生することができ、第５〜第８の情報面は、外周側から内周側に向かって、情報を記録又は再生することができる。
【０１７７】
また、上記の多層情報記録媒体において、前記第１から第ｎの情報面は、第１から第ｎの情報面に向かってレーザ入射面に近づくよう形成されていることが好ましい。この構成によれば、第１から第ｎの情報面をレーザ入射面に近づくように形成することができる。
【０１７８】
本発明の他の局面に係る情報記録再生装置は、積層された複数の情報面を有する多層記録媒体から情報を記録又は再生する情報記録再生装置であって、前記複数の情報面は、光が入射したときに、前記光を所定の第１の戻り光量で反射させる第１の反射面を有する少なくとも１つの情報面と、前記光を前記第１の戻り光量よりも小さい第２の戻り光量で反射させる第２の反射面を有する他の情報面とを含み、前記多層情報記録媒体が有する信号トラックに対して、信号の記録または再生を行うためのレーザ光を照射するレーザ光照射部と、前記レーザ光の球面収差を補正する球面収差補正部と、前記レーザ光を照射する情報面に応じて、前記レーザ光の焦点位置を制御する制御部と、前記多層情報記録媒体の前記第１の反射面にレーザ光を照射し、情報面の数を判別する媒体判別部とを備える。
【０１７９】
この構成によれば、多層情報記録媒体の複数の情報面は、光が入射したときに、光を所定の第１の戻り光量で反射させる第１の反射面を有する少なくとも１つの情報面と、光を第１の戻り光量よりも小さい第２の戻り光量で反射させる第２の反射面を有する他の情報面とを含んでいる。多層情報記録媒体が有する信号トラックに対して、信号の記録または再生を行うためのレーザ光が照射され、レーザ光の球面収差が補正される。そして、レーザ光を照射する情報面に応じて、レーザ光の焦点位置が制御され、多層情報記録媒体の第１の反射面にレーザ光が照射され、情報面の数が判別される。
【０１８０】
したがって、既に発売されている情報記録媒体の情報面と一致する少なくとも１つの情報面へのフォーカス引き込みを確実に実行し、情報面の数を判別することができるので、既に発売されている、あるいはフォーマットが既知の情報記録媒体との下位互換性を確保することができ、新フォーマットの多層情報記録媒体を既に広まっている情報記録再生装置を使って記録再生することができる。
【０１８１】
また、上記の情報記録再生装置において、前記媒体判別部は、フォーカスエラー信号の波形情報から情報面の数を判別することが好ましい。この構成によれば、フォーカスエラー信号の波形情報から情報面の数を正確に判別することができる。
【０１８２】
また、上記の情報記録再生装置において、情報面単位でユーザデータ領域へのデータ記録を禁止する書き込み禁止フラグを設定するフラグ設定部と、前記フラグ設定部によって前記書き込み禁止フラグが設定された情報面へのデータ記録を行わない記録部とをさらに備えることが好ましい。
【０１８３】
この構成によれば、情報面単位でユーザデータ領域へのデータ記録を禁止する書き込み禁止フラグが設定され、書き込み禁止フラグが設定された情報面へのデータ記録が行われない。したがって、多層情報記録媒体の複数の情報面のうちの他の情報面へのデータ記録が行われないので、層数の少ない情報記録媒体との互換性を確保することができる。
【０１８４】
本発明の他の局面に係る多層情報記録媒体の製造方法は、積層された複数の情報面を有する多層情報記録媒体の製造方法であって、片面に情報面が形成された基板上に、反射層を形成する第１の工程と、前記反射層の上に、情報面を有する透光性の中間層を形成する第２の工程と、前記中間層の前記情報面側に反射層を形成する第３の工程と、前記第２の工程と前記第３の工程とを複数回繰り返して複数の情報面を形成した後、透光性の保護層を形成する第４の工程と、光が入射したときに、前記光を所定の第１の戻り光量で反射させる第１の反射面を少なくとも１つの情報面に形成するとともに、前記光を前記第１の戻り光量よりも小さい第２の戻り光量で反射させる第２の反射面を他の情報面に形成する第５の工程とを含む。
【０１８５】
この構成によれば、第１の工程において、片面に情報面が形成された基板上に、反射層が形成される。次に、第２の工程において、反射層の上に、情報面を有する透光性の中間層が形成される。次に、第３の工程において、中間層の情報面側に反射層が形成される。次に、第４の工程において、第２の工程と第３の工程とが複数回繰り返されて複数の情報面が形成された後、透光性の保護層が形成される。次に、第５の工程において、光が入射したときに、光を所定の第１の戻り光量で反射させる第１の反射面が少なくとも１つの情報面に形成されるとともに、光を第１の戻り光量よりも小さい第２の戻り光量で反射させる第２の反射面が他の情報面に形成される。
【０１８６】
したがって、既に発売されている情報記録媒体の情報面と一致する少なくとも１つの情報面へのフォーカス引き込みを確実に実行することができるので、既に発売されている、あるいはフォーマットが既知の情報記録媒体との下位互換性を確保することができ、新フォーマットの多層情報記録媒体を既に広まっている情報記録再生装置を使って記録再生することができる。
【０１８７】
また、上記の多層情報記録媒体の製造方法において、前記第５の工程は、前記他の情報面に対して、レーザ光によってあらかじめ初期記録することにより第２の反射面を形成することが好ましい。
【０１８８】
この構成によれば、第５の工程において、他の情報面に対して、レーザ光によってあらかじめ初期記録することにより第２の反射面が形成されるので、他の情報面の第２の反射面における第２の戻り光量を第１の戻り光量よりも小さくすることができる。
【０１８９】
また、上記の多層情報記録媒体の製造方法において、前記第５の工程は、前記他の情報面に対して、レーザ光によってあらかじめ反射層を焼ききることにより第２の反射面を形成することが好ましい。
【０１９０】
この構成によれば、第５の工程において、他の情報面に対して、レーザ光によってあらかじめ反射層を焼ききることにより第２の反射面が形成されるので、他の情報面の第２の反射面における第２の戻り光量を第１の戻り光量よりも小さくすることができる。
【０１９１】
また、上記の多層情報記録媒体の製造方法において、前記第１及び第３の工程は、反射層を形成する際に、前記他の情報面に対してマスク処理を行うことにより第２の反射面を形成することが好ましい。
【０１９２】
この構成によれば、第１及び第３の工程において、反射層を形成する際に、他の情報面に対してマスク処理を行うことにより第２の反射面が形成されるので、他の情報面の第２の反射面には反射層が形成されず、他の情報面の第２の反射面における第２の戻り光量を第１の戻り光量よりも小さくすることができる。
【０１９３】
また、上記の多層情報記録媒体の製造方法において、前記複数の情報面は、第１から第ｎの情報面を含み、ＭＯＤ（ｎ／４）＝１，２（但し、ＭＯＤは数値ｎを除数４で割ったときの剰余）となる情報面と、ＭＯＤ（ｎ／４）＝３，０となる情報面とは、スパイラルの方向がそれぞれ反対となるように形成されることが好ましい。
【０１９４】
この構成によれば、複数の情報面は、第１から第ｎの情報面を含み、ＭＯＤ（ｎ／４）＝１，２（但し、ＭＯＤは数値ｎを除数４で割ったときの剰余）となる情報面と、ＭＯＤ（ｎ／４）＝３，０となる情報面とは、スパイラルの方向がそれぞれ反対となるように形成される。
【０１９５】
したがって、例えば、４層の多層情報記録媒体の場合、第１の情報面と第２の情報面とにおけるトラッキング方向と、第３の情報面と第４の情報面とにおけるトラッキング方向とが反対となり、内周から外周又は外周から内周へとシークする必要がなくなり、ビデオ記録再生等の、高転送レートのリアルタイム記録を長時間行うことができる。
【０１９６】
また、上記の多層情報記録媒体の製造方法において、ＭＯＤ（ｎ／４）＝１，２となる情報面は、光ディスク媒体の内周側から外周側に向かってアドレスが順番に形成され、ＭＯＤ（ｎ／４）＝３，０となる情報面は、光ディスク媒体の外周側から内周側に向かってアドレスが順番に形成されることが好ましい。
【０１９７】
この構成によれば、ＭＯＤ（ｎ／４）＝１，２となる情報面は、光ディスク媒体の内周側から外周側に向かってアドレスが順番に形成される。また、ＭＯＤ（ｎ／４）＝３，０となる情報面は、光ディスク媒体の外周側から内周側に向かってアドレスが順番に形成される。
【０１９８】
したがって、例えば、４層の多層情報記録媒体の場合、第１の情報面と第２の情報面とは、内周側から外周側に向かって、情報を記録又は再生することができ、第３の情報面と第４の情報面とは、外周側から内周側に向かって、情報を記録又は再生することができる。
【０１９９】
また、上記の多層情報記録媒体の製造方法において、前記複数の情報面は、前記第１から第ｎ（ｎは偶数）の情報面を含み、第１から第ｎ／２の情報面と、第（ｎ／２）＋１から第ｎの情報面とは、スパイラルの方向がそれぞれ反対となるように形成されることが好ましい。
【０２００】
この構成によれば、複数の情報面は、第１から第ｎ（ｎは偶数）の情報面を含んでおり、第１から第ｎ／２の情報面と、第（ｎ／２）＋１から第ｎの情報面とは、スパイラルの方向がそれぞれ反対となるように形成される。
【０２０１】
したがって、例えば、８層の多層情報記録媒体の場合、第１〜第４の情報面におけるトラッキング方向と、第５〜第８の情報面とにおけるトラッキング方向とが反対となり、内周から外周又は外周から内周へとシークする必要がなくなり、ビデオ記録再生等の、高転送レートのリアルタイム記録を長時間行うことができる。
【０２０２】
また、上記の多層情報記録媒体の製造方法において、第１から第ｎ／２の情報面は、光ディスク媒体の内周側から外周側に向かってアドレスが順番に形成され、第（ｎ／２）＋１から第ｎの情報面は、光ディスク媒体の外周側から内周側に向かってアドレスが順番に形成されることが好ましい。
【０２０３】
この構成によれば、第１から第ｎ／２の情報面は、光ディスク媒体の内周側から外周側に向かってアドレスが順番に形成される。また、第（ｎ／２）＋１から第ｎの情報面は、光ディスク媒体の外周側から内周側に向かってアドレスが順番に形成される。
【０２０４】
したがって、例えば、８層の多層情報記録媒体の場合、第１〜第４の情報面は、内周側から外周側に向かって、情報を記録又は再生することができ、第５〜第８の情報面は、外周側から内周側に向かって、情報を記録又は再生することができる。
【０２０５】
また、上記の多層情報記録媒体の製造方法において、前記第１から第ｎの情報面は、第１から第ｎの情報面に向かってレーザ入射面に近づくよう形成されることが好ましい。この構成によれば、第１から第ｎの情報面をレーザ入射面に近づくように形成することができる。
【産業上の利用可能性】
【０２０６】
本発明に係る多層情報記録媒体、情報記録再生装置及び多層情報記録媒体の製造方法は、既に発売されている、あるいはフォーマットが既知の情報記録媒体との下位互換性を確保することができ、新フォーマットの多層情報記録媒体を既に広まっている情報記録再生装置を使って記録再生することができ、積層された複数の情報面を有し、光によって情報を記録又は再生する多層情報記録媒体、その多層情報記録媒体の製造方法、及びその多層情報記録媒体を記録再生する情報記録再生装置として有用である。
【図面の簡単な説明】
【０２０７】
【図１】本実施の形態における光学的情報記録媒体の構成について説明するための図である。
【図２】従来の２層光ディスク媒体の各層のトラックレイアウトを説明するための図である。
【図３】本実施の形態における４層光ディスク媒体のスタック構成を示す概略図である。
【図４】本実施の形態における４層光ディスク媒体における各層のトラックレイアウトを説明する図である。
【図５】低反射率領域が形成されていない４層光ディスク媒体を用いた場合の各情報面のディスク表面からの厚みとフォーカスエラー信号との関係を示す図である。
【図６】本実施の形態における４層光ディスク媒体を用いた場合の各情報面のディスク表面からの厚みとフォーカスエラー信号との関係を示す図である。
【図７】本実施の形態における多層光ディスク媒体を記録再生する光学的情報記録再生装置の全体構成を示す図である。
【図８】２層対応光ディスク装置における処理手順について説明するための第１のフローチャートである。
【図９】２層対応光ディスク装置における処理手順について説明するための第２のフローチャートである。
【図１０】本実施の形態における４層光ディスク媒体の半径方向のエリア構成を説明するための図である。
【図１１】本実施の形態における８層光ディスク媒体の半径方向のエリア構成を説明するための図である。
【図１２】本実施の形態における８層光ディスク媒体の半径方向の別のエリア構成を説明するための図である。
【図１３】本実施の形態における４層光ディスク媒体の半径方向の別のエリア構成を説明するための図である。
【図１４】本実施の形態における８層光ディスク媒体の半径方向のさらに別のエリア構成を説明するための図である。
【図１５】本実施の形態における多層光ディスク媒体を作製するための基板作製用金型の製造方法を説明するための断面図である。
【図１６】本実施の形態における多層光ディスク媒体の断面図である。
【図１７】本実施の形態における多層情報記録媒体の製造方法について説明するための図である。
【図１８】本実施の形態におけるスパッタ装置の構造を示す断面図である。
【図１９】従来の光ディスク装置の構成を示す図である。
【手続補正３】
【補正対象書類名】図面
【補正対象項目名】全図
【補正方法】変更
【補正の内容】
【図１】
2007099835.tif 000022
【図２】
2007099835.tif 000023
【図３】
2007099835.tif 000024
【図４】
2007099835.tif 000025
【図５】
2007099835.tif 000026
【図６】
2007099835.tif 000027
【図７】
2007099835.tif 000028
【図８】
2007099835.tif 000029
【図９】
2007099835.tif 000030
【図１０】
2007099835.tif 000031
【図１１】
2007099835.tif 000032
【図１２】
2007099835.tif 000033
【図１３】
2007099835.tif 000034
【図１４】
2007099835.tif 000035
【図１５】
2007099835.tif 000036
【図１６】
2007099835.tif 000037
【図１７】
2007099835.tif 000038
【図１８】
2007099835.tif 000039
【図１９】
2007099835.tif 000040
【国際調査報告】
2007099835.tif 000041
2007099835.tif 000042
2007099835.tif 000043
2007099835.tif 000044